(57)【要約】【課題】第１の無線通信と第２の無線通信を同時に使用したデータ伝送を行うこと。【解決手段】基地局１１０Ａは、第１の無線通信１０１を制御する制御部１１１により第２の無線通信１０２を制御する。基地局１１０Ｂは、第２の無線通信１０２が可能である。移動局１２０は、第１の無線通信１０１または第２の無線通信１０２を介して基地局１１０Ａとの間でデータ伝送が可能である。また、移動局１２０は、基地局１１０Ａから基地局１１０Ｂを介してデータとベアラを識別可能な識別情報とを受信し、識別情報を用いてデータに対応するベアラを識別する。【選択図】図２
2018152920.tif 000002
【特許請求の範囲】
【請求項１】
第１の無線通信を制御する制御部により前記第１の無線通信と異なる第２の無線通信を制御する第１無線通信装置と、
前記第２の無線通信が可能な第２無線通信装置と、
前記第１の無線通信または前記第２の無線通信を介して前記第１無線通信装置との間でデータの伝送が可能な第３無線通信装置と、
を含み、
前記第３無線通信装置は、前記第１無線通信装置から前記第２無線通信装置を介して前記データとベアラを識別可能な識別情報とを受信し、前記識別情報を用いて前記データに対応するベアラを識別する、
ことを特徴とする無線通信システム。
【請求項２】
前記第３無線通信装置は、前記第２の無線通信において使用可能な前記第３無線通信装置のアドレスを含む制御メッセージを前記第１無線通信装置へ送信し、
前記第１無線通信装置は、前記制御メッセージに含まれる前記アドレスを前記第２無線通信装置へ通知し、
前記第２無線通信装置は、前記アドレスを用いて前記第３無線通信装置と通信する、
ことを特徴とする請求項１に記載の無線通信システム。
【請求項３】
第１の無線通信または前記第１の無線通信と異なる第２の無線通信を介して通信が可能な移動局において、
前記第２の無線通信を用いて前記移動局と通信する無線通信装置から、ベアラを識別可能な識別情報とデータとを受信する受信部と、
前記識別情報を用いて前記データに対応するベアラを識別する制御部と、
を備えることを特徴とする移動局。
【請求項４】
前記第２の無線通信において使用可能な前記移動局のアドレスを含む制御メッセージを前記第１の無線通信を用いて送信する送信部をさらに備えることを特徴とする請求項３に記載の移動局。
【請求項５】
前記受信部は、前記無線通信装置から、前記第２の無線通信において使用可能な前記アドレスを要求する要求信号を受信し、
前記送信部は、前記要求信号に応じて前記制御メッセージを送信する、
ことを特徴とする請求項４に記載の移動局。
【請求項６】
第１無線通信装置との間で第１の無線通信または前記第１の無線通信と異なる第２の無線通信を介してデータ伝送が可能な無線局において、
前記第２の無線通信を制御することが可能な制御部と、
前記第２の無線通信を用いて前記第１無線通信装置と通信する第２無線通信装置に、ベアラが識別可能なデータを送信する送信部と、
を備えることを特徴とする無線局。
【請求項７】
前記第１無線通信装置から、前記第２の無線通信において使用可能な前記第１無線通信装置のアドレスを含む制御メッセージを受信する受信部をさらに備えることを特徴とする請求項６に記載の無線局。
【請求項８】
前記制御部は、前記第１の無線通信を行うための収束レイヤの処理を介してシーケンス番号を付した前記データを、アダプテーションサブレイヤを介して伝送するように制御することを特徴とする請求項６または７に記載の無線局。
【発明の詳細な説明】
【技術分野】
【０００１】
本発明は、無線通信システム、移動局および無線局に関する。
【背景技術】
【０００２】
従来、ＬＴＥ（Ｌｏｎｇ  Ｔｅｒｍ  Ｅｖｏｌｕｔｉｏｎ）などの移動体通信が知られている（たとえば、下記非特許文献１〜１３参照。）。また、ＬＴＥにおいて、ＷＬＡＮ（Ｗｉｒｅｌｅｓｓ  Ｌｏｃａｌ  Ａｒｅａ  Ｎｅｔｗｏｒｋ：無線構内通信網）と無線アクセスのレベルで通信の連携を行うアグリゲーションが検討されている（たとえば、下記非特許文献１４，１５参照。）。また、ＬＴＥとＷＬＡＮとの間の無線レベルでのインテグレーションやインターワーキングが検討されている（たとえば、下記非特許文献１６参照。）。
【０００３】
また、ＷＬＡＮを用いる場合にデータをＲＲＣ（Ｒａｄｉｏ  Ｒｅｓｏｕｒｃｅ  Ｃｏｎｔｒｏｌ：無線リソース制御）からＭＡＣ（Ｍｅｄｉａ  Ａｃｃｅｓｓ  Ｃｏｎｔｒｏｌ：メディアアクセス制御）レイヤに転送する技術が知られている（たとえば、下記特許文献１参照。）。また、ＬＴＥのＰＤＣＰ（Ｐａｃｋｅｔ  Ｄａｔａ  Ｃｏｎｖｅｒｇｅｎｃｅ  Ｐｒｏｔｏｃｏｌ）をＬＴＥとＷＬＡＮで共通化する技術が知られている（たとえば、下記特許文献２参照。）。また、ＷＬＡＮ等において、ＱｏＳ（Ｑｕａｌｉｔｙ  ｏｆ  Ｓｅｒｖｉｃｅ）情報に基づいてデータの伝送制御を行う技術が知られている。
【先行技術文献】
【特許文献】
【０００４】
【特許文献１】国際公開第２０１２／１２１７５７号
【特許文献２】国際公開第２０１３／０６８７８７号
【非特許文献】
【０００５】
【非特許文献１】３ＧＰＰ  ＴＳ３６．３００  ｖ１２．５．０、２０１５年３月
【非特許文献２】３ＧＰＰ  ＴＳ３６．２１１  ｖ１２．５．０、２０１５年３月
【非特許文献３】３ＧＰＰ  ＴＳ３６．２１２  ｖ１２．４．０、２０１５年３月
【非特許文献４】３ＧＰＰ  ＴＳ３６．２１３  ｖ１２．５．０、２０１５年３月
【非特許文献５】３ＧＰＰ  ＴＳ３６．３２１  ｖ１２．５．０、２０１５年３月
【非特許文献６】３ＧＰＰ  ＴＳ３６．３２２  ｖ１２．２．０、２０１５年３月
【非特許文献７】３ＧＰＰ  ＴＳ３６．３２３  ｖ１２．３．０、２０１５年３月
【非特許文献８】３ＧＰＰ  ＴＳ３６．３３１  ｖ１２．５．０、２０１５年３月
【非特許文献９】３ＧＰＰ  ＴＳ３６．４１３  ｖ１２．５．０、２０１５年３月
【非特許文献１０】３ＧＰＰ  ＴＳ３６．４２３  ｖ１２．５．０、２０１５年３月
【非特許文献１１】３ＧＰＰ  ＴＳ３６．４２５  ｖ１２．１．０、２０１５年３月
【非特許文献１２】３ＧＰＰ  ＴＲ３６．８４２  ｖ１２．０．０、２０１３年１２月
【非特許文献１３】３ＧＰＰ  ＴＲ３７．８３４  ｖ１２．０．０、２０１３年１２月
【非特許文献１４】３ＧＰＰ  ＲＷＳ−１４００２７、２０１４年６月
【非特許文献１５】３ＧＰＰ  ＲＰ−１４０２３７、２０１４年３月
【非特許文献１６】３ＧＰＰ  ＲＰ−１５０５１０、２０１５年３月
【発明の概要】
【発明が解決しようとする課題】
【０００６】
しかしながら、上述した従来技術では、ＬＴＥ等の第１の無線通信とＷＬＡＮ等の第２の無線通信を同時に使用してデータを送信すると、受信側において第１の無線通信により受信したデータと第２の無線通信により受信したデータとの間の順序制御が困難である。このため、第１の無線通信と第２の無線通信を同時に使用したデータ伝送を行うことができない場合がある。
【０００７】
１つの側面では、本発明は、第１の無線通信と第２の無線通信を同時に使用したデータ伝送を行うことができる無線通信システム、移動局および無線局を提供することを目的とする。
【課題を解決するための手段】
【０００８】
上述した課題を解決し、目的を達成するため、本発明の一側面によれば、第１無線通信装置は、第１の無線通信を制御する制御部により前記第１の無線通信と異なる第２の無線通信を制御し、第２無線通信装置は、前記第２の無線通信が可能であり、第３無線通信装置は、前記第１の無線通信または前記第２の無線通信を介して前記第１無線通信装置との間でデータ伝送が可能であり、前記第１無線通信装置から前記第２無線通信装置を介して前データとベアラを識別可能な識別情報とを受信し、前記識別情報を用いて前記データに対応するベアラを識別する無線通信システム、移動局および無線局が提案される。
【発明の効果】
【０００９】
本発明の一側面によれば、第１の無線通信と第２の無線通信を同時に使用したデータ伝送を行うことができるという効果を奏する。
【図面の簡単な説明】
【００１０】
【図１】図１は、実施の形態１にかかる無線通信システムの一例を示す図である。
【図２】図２は、実施の形態１にかかる無線通信システムの他の例を示す図である。
【図３】図３は、実施の形態２にかかる無線通信システムの一例を示す図である。
【図４】図４は、実施の形態２にかかる端末の一例を示す図である。
【図５】図５は、実施の形態２にかかる端末のハードウェア構成の一例を示す図である。
【図６】図６は、実施の形態２にかかる基地局の一例を示す図である。
【図７】図７は、実施の形態２にかかる基地局のハードウェア構成の一例を示す図である。
【図８】図８は、実施の形態２にかかる無線通信システムにおけるプロトコルスタックの一例を示す図である。
【図９】図９は、実施の形態２にかかる無線通信システムにおけるレイヤ２の一例を示す図である。
【図１０】図１０は、実施の形態２にかかる無線通信システムにおいて伝送されるＩＰパケットのＩＰヘッダの一例を示す図である。
【図１１】図１１は、実施の形態２にかかる無線通信システムにおいて伝送されるＩＰパケットのＩＰヘッダに含まれるＴｏＳフィールドの値の一例を示す図である。
【図１２】図１２は、実施の形態２にかかる無線通信システムにおけるＬＴＥ−ＡおよびＷＬＡＮによるアグリゲーションの一例を示す図である。
【図１３】図１３は、実施の形態２にかかる無線通信システムにおけるＴｏＳフィールドに基づくＱｏＳ制御の一例を示す図である。
【図１４】図１４は、実施の形態２にかかる無線通信システムにおけるＡＣ分類の一例を示す図である。
【図１５】図１５は、実施の形態２にかかる無線通信システムにおけるアグリゲーションの一例を示す図である。
【図１６】図１６は、実施の形態２にかかる無線通信システムに適用可能なＱｏＳクラスのＡＣへのマッピングの一例を示す図である。
【図１７】図１７は、実施の形態２にかかる無線通信システムにおける送信側装置による処理の一例を示すフローチャートである。
【図１８】図１８は、実施の形態２にかかる無線通信システムにおいて複数のＥＰＳベアラが同一のＱｏＳクラスを有する場合の一例を示す図である。
【図１９】図１９は、実施の形態２において３ＧＰＰプロトコルを用いるアウターＩＰレイヤの実装の一例を示す図である。
【図２０】図２０は、実施の形態２において３ＧＰＰプロトコルを用いるアウターＩＰレイヤの実装の他の例を示す図である。
【図２１】図２１は、実施の形態２において３ＧＰＰプロトコルを用いるアウターＩＰレイヤの実装のさらに他の例を示す図である。
【図２２】図２２は、実施の形態２において新規トンネリングプロトコルを用いるアウターＩＰレイヤの実装の一例を示す図である。
【図２３】図２３は、実施の形態２において新規トンネリングプロトコルを用いるアウターＩＰレイヤの実装の他の例を示す図である。
【図２４】図２４は、実施の形態２において新規トンネリングプロトコルを用いるアウターＩＰレイヤの実装のさらに他の例を示す図である。
【図２５】図２５は、実施の形態３にかかる無線通信システムにおいてＵＬのＴＦＴを用いてＥＰＳベアラを識別する方法の一例を示す図である。
【図２６】図２６は、実施の形態３にかかる無線通信システムにおいてＵＬのＴＦＴを用いてＥＰＳベアラを識別する方法の他の例を示す図である。
【図２７】図２７は、実施の形態３にかかる無線通信システムにおけるＴＦＴの取得方法の一例を示す図である。
【図２８】図２８は、実施の形態３にかかる無線通信システムにおいてＤＬのＴＦＴを用いてＥＰＳベアラを識別する方法の一例を示す図である。
【図２９】図２９は、実施の形態３にかかる無線通信システムにおいてＤＬのＴＦＴを用いてＥＰＳベアラを識別する方法の他の例を示す図である。
【図３０】図３０は、実施の形態３にかかる無線通信システムにおいて仮想ＩＰフローを用いてＥＰＳベアラを識別する方法の一例を示す図である。
【図３１】図３１は、実施の形態３にかかる無線通信システムにおいて仮想ＩＰフローを用いてＥＰＳベアラを識別する方法の他の例を示す図である。
【図３２】図３２は、実施の形態３にかかる無線通信システムにおいてＶＬＡＮを用いてＥＰＳベアラを識別する方法の一例を示す図である。
【図３３】図３３は、実施の形態３にかかる無線通信システムにおいてＶＬＡＮを用いてＥＰＳベアラを識別する方法の他の例を示す図である。
【図３４】図３４は、実施の形態３にかかる無線通信システムにおいてＧＲＥトンネリングを用いてＥＰＳベアラを識別する方法の一例を示す図である。
【図３５】図３５は、実施の形態３にかかる無線通信システムにおいてＧＲＥトンネリングを用いてＥＰＳベアラを識別する方法の他の例を示す図である。
【図３６】図３６は、実施の形態３にかかる無線通信システムにおいてＰＤＣＰｏＩＰを用いてＥＰＳベアラを識別する方法の一例を示す図である。
【図３７】図３７は、実施の形態３にかかる無線通信システムにおいてＰＤＣＰｏＩＰを用いてＥＰＳベアラを識別する方法の他の例を示す図である。
【図３８】図３８は、実施の形態４にかかる無線通信システムにおいてＷＬＡＮにより伝送するデータに対する処理を説明する図（その１）である。
【図３９】図３９は、実施の形態４にかかる無線通信システムにおいてＷＬＡＮにより伝送するデータに対する処理を説明する図（その２）である。
【図４０】図４０は、実施の形態４にかかる無線通信システムにおける処理の一例を示すシーケンス図である。
【図４１】図４１は、実施の形態４にかかる無線通信システムにおける処理において別のＲＲＣメッセージによりＭＡＣアドレスを通知する方法を示すシーケンス図である。
【図４２】図４２は、実施の形態４にかかる無線通信システムにおける処理においてさらに別のＲＲＣメッセージによりＭＡＣアドレスを通知する方法を示すシーケンス図である。
【図４３】図４３は、実施の形態４にかかる無線通信システムにおける処理の他の例を示すシーケンス図である。
【図４４】図４４は、実施の形態４に適用可能なＡＲＰにおけるパケットフォーマットの一例を示す図である。
【発明を実施するための形態】
【００１１】
以下に図面を参照して、本発明にかかる無線通信システム、移動局および無線局の実施の形態を詳細に説明する。
【００１２】
（実施の形態１）
図１は、実施の形態１にかかる無線通信システムの一例を示す図である。図１に示すように、実施の形態１にかかる無線通信システム１００は、基地局１１０と、移動局１２０と、を含む。無線通信システム１００においては、基地局１１０と移動局１２０との間で、第１の無線通信１０１と、第２の無線通信１０２と、を同時に用いたデータ伝送が可能である。
【００１３】
第１の無線通信１０１および第２の無線通信１０２は、互いに異なる無線通信（無線通信方式）である。第１の無線通信１０１は、一例としてはＬＴＥやＬＴＥ−Ａなどのセルラ通信である。第２の無線通信１０２は、一例としてはＷＬＡＮである。ただし、第１の無線通信１０１および第２の無線通信１０２はこれらに限らず、各種方式の通信とすることができる。図１に示す例では、基地局１１０は、たとえば移動局１２０との間で第１の無線通信１０１および第２の無線通信１０２が可能な基地局である。
【００１４】
第１の無線通信１０１と第２の無線通信１０２を同時に用いてデータを伝送する際に、基地局１１０および移動局１２０は、第１の無線通信１０１のデータを伝送するための第１の無線通信１０１の通信路を基地局１１０と移動局１２０との間に設定する。また、基地局１１０および移動局１２０は、第１の無線通信１０１のデータを伝送するための第２の無線通信１０２の通信路を基地局１１０と移動局１２０との間に設定する。そして、基地局１１０および移動局１２０は、設定した第１の無線通信１０１および第２の無線通信１０２の各通信路を同時に用いてデータを伝送する。
【００１５】
まず、基地局１１０から移動局１２０へデータを伝送する下りリンクについて説明する。基地局１１０は、制御部１１１と、処理部１１２と、を備える。制御部１１１は、第１の無線通信１０１の制御を行う。また、制御部１１１は、第２の無線通信１０２の制御を行う。一例としては、制御部１１１は、基地局１１０と移動局１２０との間の無線制御を行うＲＲＣなどの処理部である。ただし制御部１１１は、ＲＲＣに限らず、第１の無線通信１０１の制御を行う各種の処理部とすることができる。
【００１６】
処理部１１２は、第１の無線通信１０１を行うための処理を行う。たとえば、処理部１１２は、第１の無線通信１０１で伝送するデータを処理する処理部である。一例としては、処理部１１２は、ＰＤＣＰ、ＲＬＣ（Ｒａｄｉｏ  Ｌｉｎｋ  Ｃｏｎｔｒｏｌ：無線リンク制御）、ＭＡＣなどのデータリンク層の処理部である。ただし、処理部１１２は、これらに限らず、第１の無線通信１０１を行うための各種の処理部とすることができる。
【００１７】
第１の無線通信１０１を行うための処理部１１２の処理は、制御部１１１によって制御される。処理部１１２は、基地局１１０から移動局１２０へ第２の無線通信１０２の無線通信を用いてデータを伝送する際に、第１の無線通信１０１を行うための収束レイヤを確立する。この収束レイヤは、基地局１１０と移動局１２０との間で伝送するデータを、第１の無線通信１０１と第２の無線通信１０２とに分割するための処理を含む。
【００１８】
一例としては、収束レイヤへＰＤＣＰレイヤである。ただし、収束レイヤは、ＰＤＣＰレイヤに限らず各種のレイヤとすることができる。収束レイヤは、収束点、終端点、分岐点、スプリットファンクション、ルーティングファンクションとも呼称されることもあり、第１の無線通信１０１と第２の無線通信１０２のデータのスケジュールポイントとする意味であれば、このような呼称には限らない。以降では、そのような代表的な呼称として収束レイヤを使用する。
【００１９】
処理部１１２は、基地局１１０から移動局１２０へ第２の無線通信１０２を用いて伝送するデータについて、収束レイヤの処理後の該データを、収束レイヤの処理によりシーケンス番号（ＳＮ：Ｓｅｑｕｅｎｃｅ  Ｎｕｍｂｅｒ）等を含むヘッダが付されたプロトコルデータユニット（ＰＤＵ：Ｐｒｏｔｏｃｏｌ  Ｄａｔａ  Ｕｎｉｔ）をトンネリングにより移動局１２０へ伝送する。これにより、移動局１２０へのデータを、シーケンス番号を含んだまま第２の無線通信１０２によって伝送することができる。言い換えれば、第１の無線通信１０１のＰＤＵを第２の無線通信１０２によって透過的に伝送することができる。
【００２０】
これに対して、移動局１２０は、第１の無線通信１０１によって基地局１１０から伝送されたデータと、第２の無線通信１０２によって基地局１１０から伝送されたデータと、の受信処理を第１の無線通信１０１の処理に基づいて行うことができる。たとえば、移動局１２０は、順序制御を該シーケンス番号に基づいて行うことができる。これにより、第１の無線通信１０１と第２の無線通信１０２とを同時に使用したデータ伝送を行うことが可能になる。このため、たとえばデータの伝送速度の向上を図ることができる。
【００２１】
つぎに、移動局１２０から基地局１１０へデータを伝送する上りリンクについて説明する。移動局１２０は、処理部１２１を備える。処理部１２１は、基地局１１０の処理部１１２と同様に第１の無線通信１０１を行うための処理部である。一例としては、処理部１２１は、ＰＤＣＰ、ＲＬＣ、ＭＡＣなどのデータリンク層の処理部である。ただし、処理部１２１は、これらに限らず、第１の無線通信１０１を行うための各種の処理部とすることができる。
【００２２】
第１の無線通信１０１を行うための処理部１２１の処理は、基地局１１０の制御部１１１によって制御される。処理部１２１は、移動局１２０から基地局１１０へ第２の無線通信１０２の無線通信を用いてデータを伝送する際に、第１の無線通信１０１を行うための収束レイヤを確立する。この収束レイヤは、上述したように、基地局１１０と移動局１２０との間で伝送するデータを、第１の無線通信１０１と第２の無線通信１０２とに分割するための処理を含む。
【００２３】
処理部１２１は、移動局１２０から基地局１１０へ第２の無線通信１０２を用いて伝送するデータについて、収束レイヤの処理後の該データを、収束レイヤの処理によりシーケンス番号等を含むヘッダが付されたＰＤＵをトンネリングにより基地局１１０へ伝送する。これにより、基地局１１０へのデータを、シーケンス番号を含んだまま第２の無線通信１０２によって伝送することができる。
【００２４】
これに対して、基地局１１０は、第１の無線通信１０１によって移動局１２０から伝送されたデータと、第２の無線通信１０２によって移動局１２０から伝送されたデータと、の順序制御を該シーケンス番号に基づいて行うことができる。このため、第１の無線通信１０１と第２の無線通信１０２とを同時に使用したデータ伝送を行うことが可能になる。
【００２５】
このように、基地局１１０および移動局１２０のうちの送信側の局は、第２の無線通信１０２を用いて伝送するデータについて、収束レイヤの処理により付されたシーケンス番号等を含むヘッダが付されたＰＤＵをトンネリングにより伝送する。これにより、受信側の局において、第１の無線通信１０１によって移動局１２０から伝送されたデータと、第２の無線通信１０２によって移動局１２０から伝送されたデータと、の間の順序制御を該シーケンス番号に基づいて行うことができる。このため、第１の無線通信１０１と第２の無線通信１０２とを同時に使用したデータ伝送を行うことが可能になる。
【００２６】
図２は、実施の形態１にかかる無線通信システムの他の例を示す図である。図２において、図１に示した部分と同様の部分については同一の符号を付して説明を省略する。図１においては、基地局１１０が移動局１２０との間で第１の無線通信１０１および第２の無線通信１０２が可能な基地局である場合について説明したが、図２に示すように、基地局１１０に代えて基地局１１０Ａ，１１０Ｂを設けてもよい。
【００２７】
基地局１１０Ａは、移動局１２０との間で第１の無線通信１０１が可能な基地局である。基地局１１０Ｂは、基地局１１０Ａと接続された基地局であって、移動局１２０との間で第２の無線通信１０２が可能な基地局である。
【００２８】
図２に示す例においては、基地局１１０Ａは、移動局１２０との間で第２の無線通信１０２を用いたデータ伝送を、基地局１１０Ｂを介して行う。この場合に、図１に示した制御部１１１および処理部１１２は、たとえば基地局１１０Ａに設けられる。また、制御部１１１は、基地局１１０Ｂを介した移動局１２０との間の第２の無線通信１０２の制御を行う。
【００２９】
まず、基地局１１０Ａから移動局１２０へデータを伝送する下りリンクについて説明する。基地局１１０Ａの処理部１１２は、第２の無線通信１０２を用いて移動局１２０へ伝送するデータについて、収束レイヤの処理後の該データを、収束レイヤの処理によりシーケンス番号等を含むヘッダが付されたＰＤＵをトンネリングにより基地局１１０Ｂへ転送する。これにより、基地局１１０Ａ，１１０Ｂを介して該データを移動局１２０へ伝送することができる。基地局１１０Ｂは、基地局１１０Ａから転送されたデータを第２の無線通信１０２により移動局１２０へ伝送する。
【００３０】
つぎに、移動局１２０から基地局１１０Ａへデータを伝送する上りリンクについて説明する。移動局１２０の処理部１２１は、第２の無線通信１０２を用いて基地局１１０へ伝送するデータについて、収束レイヤの処理後の該データを、収束レイヤの処理によりシーケンス番号等を含むヘッダが付されたＰＤＵをトンネリングにより基地局１１０Ｂへ伝送する。基地局１１０Ｂは、移動局１２０から第２の無線通信１０２により伝送されたデータを基地局１１０Ａへ転送する。これにより、基地局１１０Ａへのデータを、第２の無線通信１０２を用いて基地局１１０Ａへ伝送することができる。
【００３１】
このように、実施の形態１にかかる無線通信システム１００によれば、基地局１１０と移動局１２０との間で第１の無線通信１０１と第２の無線通信１０２とを同時に使用したデータ伝送を行うことが可能になる。このため、たとえばデータの伝送速度の向上を図ることができる。
【００３２】
つぎに、図１に示した実施の形態１にかかる無線通信システム１００の詳細について、実施の形態２〜４を用いて説明する。実施の形態２〜４は、上述した実施の形態１を具象化した実施例として捉えることができるため、実施の形態１と組み合わせて実施することが可能である。
【００３３】
（実施の形態２）
図３は、実施の形態２にかかる無線通信システムの一例を示す図である。図３に示すように、実施の形態２にかかる無線通信システム３００は、ＵＥ３１１と、ｅＮＢ３２１，３２２と、パケットコア網３３０と、を含む。無線通信システム３００は、たとえば３ＧＰＰにおいて規定されたＬＴＥ−Ａなどの移動体通信システムであるが、無線通信システム３００の通信規格はこれらに限らない。
【００３４】
パケットコア網３３０は、一例としては３ＧＰＰにおいて規定されたＥＰＣ（Ｅｖｏｌｖｅｄ  Ｐａｃｋｅｔ  Ｃｏｒｅ：進化したパケットコア）であるが、特にこれに限定されない。なお、３ＧＰＰに規定されたコアネットワークはＳＡＥ（Ｓｙｓｔｅｍ  Ａｒｃｈｉｔｅｃｔｕｒｅ  Ｅｖｏｌｕｔｉｏｎ）と呼ばれる場合もある。パケットコア網３３０は、ＳＧＷ３３１と、ＰＧＷ３３２と、ＭＭＥ３３３と、を含む。
【００３５】
ＵＥ３１１およびｅＮＢ３２１，３２２は、無線通信を行うことにより無線アクセス網を形成する。ＵＥ３１１およびｅＮＢ３２１，３２２が形成する無線アクセス網は、一例としては３ＧＰＰにおいて規定されたＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であるが、特にこれに限定されない。
【００３６】
ＵＥ３１１は、ｅＮＢ３２１のセルに在圏し、ｅＮＢ３２１との間で無線通信を行う端末である。ＵＥ３１１は、一例としては、ｅＮＢ３２１、ＳＧＷ３３１およびＰＧＷ３３２を経由する経路によって、他の通信装置との間で通信を行う。ＵＥ３１１と通信を行う他の通信装置は、一例としては、ＵＥ３１１と異なる通信端末や、サーバなどである。ＵＥ３１１と他の通信装置との間の通信は、一例としてはデータ通信や音声通信であるが、特にこれらに限定されない。音声通信は、一例としてはＶｏＬＴＥ（Ｖｏｉｃｅ  ｏｖｅｒ  ＬＴＥ）であるが、特にこれに限定されない。
【００３７】
ｅＮＢ３２１は、セル３２１ａを形成し、セル３２１ａに在圏するＵＥ３１１との間で無線通信を行う基地局である。ｅＮＢ３２１は、ＵＥ３１１とＳＧＷ３３１との間の通信を中継する。ｅＮＢ３２２は、セル３２２ａを形成し、セル３２２ａに在圏するＵＥとの間で無線通信を行う基地局である。ｅＮＢ３２２は、セル３２２ａに在圏するＵＥとＳＧＷ３３１との間の通信を中継する。
【００３８】
ｅＮＢ３２１とｅＮＢ３２２との間は、たとえば物理的または論理的な基地局間インタフェースによって接続されていてもよい。基地局間インタフェースは、一例としてはＸ２インタフェースであるが、基地局間インタフェースは特にこれに限定されない。ｅＮＢ３２１とＳＧＷ３３１との間は、たとえば物理的または論理的なインタフェースによって接続される。ｅＮＢ３２１とＳＧＷ３３１との間のインタフェースは、一例としてはＳ１−Ｕインタフェースであるが、特にこれに限定されない。
【００３９】
ＳＧＷ３３１は、ｅＮＢ３２１を収容し、ｅＮＢ３２１を経由する通信におけるＵ−ｐｌａｎｅ（Ｕｓｅｒ  ｐｌａｎｅ）の処理を行うサービングゲートウェイである。たとえば、ＳＧＷ３３１は、ＵＥ３１１の通信におけるＵ−ｐｌａｎｅの処理を行う。Ｕ−ｐｌａｎｅは、ユーザデータ（パケットデータ）の伝送を行う機能群である。また、ＳＧＷ３３１は、ｅＮＢ３２２を収容し、ｅＮＢ３２２を経由する通信におけるＵ−ｐｌａｎｅの処理を行ってもよい。
【００４０】
ＰＧＷ３３２は、外部ネットワークに接続するためのパケットデータネットワークゲートウェイである。外部ネットワークは、一例としてはインターネットであるが、特にこれに限らない。ＰＧＷ３３２は、たとえば、ＳＧＷ３３１と外部ネットワークとの間においてユーザデータを中継する。また、たとえば、ＰＧＷ３３２は、ＵＥ３１１がＩＰフローを送受信するために、ＵＥ３１１にＩＰアドレスを割り当てるＩＰアドレスアロケーション３０１を行う。
【００４１】
ＳＧＷ３３１とＰＧＷ３３２との間は、たとえば物理的または論理的なインタフェースによって接続される。ＳＧＷ３３１とＰＧＷ３３２との間のインタフェースは、一例としてはＳ５インタフェースであるが、特にこれに限定されない。
【００４２】
ＭＭＥ３３３（Ｍｏｂｉｌｉｔｙ  Ｍａｎａｇｅｍｅｎｔ  Ｅｎｔｉｔｙ：移動性管理エンティティ）は、ｅＮＢ３２１を収容し、ｅＮＢ３２１を経由する通信におけるＣ−ｐｌａｎｅ（Ｃｏｎｔｒｏｌ  ｐｌａｎｅ）の処理を行う。たとえば、ＭＭＥ３３３は、ｅＮＢ３２１を介したＵＥ３１１の通信におけるＣ−ｐｌａｎｅの処理を行う。Ｃ−ｐｌａｎｅは、たとえば、各装置間で通話やネットワークを制御するための機能群である。一例としては、Ｃ−ｐｌａｎｅは、パケット呼の接続、ユーザデータを伝送するための経路の設定、ハンドオーバの制御などに用いられる。また、ＭＭＥ３３３は、ｅＮＢ３２２を収容し、ｅＮＢ３２２を経由する通信におけるＣ−ｐｌａｎｅの処理を行ってもよい。
【００４３】
ＭＭＥ３３３とｅＮＢ３２１との間は、たとえば物理的または論理的なインタフェースによって接続されている。ＭＭＥ３３３とｅＮＢ３２１との間のインタフェースは、一例としてはＳ１−ＭＭＥインタフェースであるが、特にこれに限定されない。ＭＭＥ３３３とＳＧＷ３３１との間は、たとえば物理的または論理的なインタフェースによって接続されている。ＭＭＥ３３３とＳＧＷ３３１との間のインタフェースは、一例としてはＳ１１インタフェースであるが、特にこれに限定されない。
【００４４】
無線通信システム３００において、ＵＥ３１１が送信または受信するＩＰフローは、ＥＰＳベアラ３４１〜３４ｎに分類され（振り分けられ）、ＰＧＷ３３２およびＳＧＷ３３１を経由して伝送される。ＥＰＳベアラ３４１〜３４ｎは、ＥＰＳ（Ｅｖｏｌｖｅｄ  Ｐａｃｋｅｔ  Ｓｙｓｔｅｍ）におけるＩＰフローである。ＥＰＳベアラ３４１〜３４ｎは、ＵＥ３１１およびｅＮＢ３２１，３２２が形成する無線アクセス網においてはラジオベアラ３５１〜３５ｎ（Ｒａｄｉｏ  Ｂｅａｒｅｒ）となる。ＥＰＳベアラ３４１〜３４ｎの設定、セキュリティの設定、モビリティの管理などの通信全体の制御はＭＭＥ３３３によって行われる。
【００４５】
ＥＰＳベアラ３４１〜３４ｎに分類されたＩＰフローは、ＬＴＥ網内においては、たとえば各ノード間に設定されたＧＴＰ（ＧＰＲＳ  Ｔｕｎｎｅｌｉｎｇ  Ｐｒｏｔｏｃｏｌ）トンネルによって伝送される。ＥＰＳベアラ３４１〜３４ｎは、それぞれ一意にラジオベアラ３５１〜３５ｎにマッピングされ、ＱｏＳを考慮して無線伝送される。
【００４６】
また、無線通信システム３００のＵＥ３１１とｅＮＢ３２１との間の通信においては、ＬＴＥ−Ａのトラフィックを、ＬＴＥ−ＡとＷＬＡＮとを同時に用いて伝送する、ＬＴＥ−ＡおよびＷＬＡＮによるアグリゲーションが行われる。これにより、ＵＥ３１１とｅＮＢ３２１との間のトラフィックをＬＴＥ−ＡおよびＷＬＡＮに分散し、無線通信システム３００におけるスループットの向上を図ることができる。図１に示した第１の無線通信１０１は、たとえばＬＴＥ−Ａによる無線通信とすることができる。図１に示した第２の無線通信１０２は、たとえばＷＬＡＮによる無線通信とすることができる。ＬＴＥ−ＡおよびＷＬＡＮによるアグリゲーションについては後述する。
【００４７】
なお、アグリゲーションという呼称は一例であり、通信周波数（キャリア）を複数使うという意味で使用されることが多い。アグリゲーションとは別に、異なるシステムを統合して複数使うという意味では、インテグレーションと呼称されることもある。以降では、代表的な呼称としてアグリゲーションを使用する。
【００４８】
図１，図２に示した基地局１１０，１１０Ａ，１１０Ｂは、たとえばｅＮＢ３２１，３２２により実現することができる。図１，図２に示した移動局１２０は、たとえばＵＥ３１１により実現することができる。
【００４９】
図４は、実施の形態２にかかる端末の一例を示す図である。図３に示したＵＥ３１１は、たとえば図４に示す端末４００により実現することができる。端末４００は、無線通信部４１０と、制御部４２０と、記憶部４３０と、を備える。無線通信部４１０は、無線送信部４１１と、無線受信部４１２と、を備える。これらの各構成は、一方向または双方向に、信号やデータの入出力が可能なように接続されている。また、無線通信部４１０は、たとえばＬＴＥ−Ａによる無線通信（第１の無線通信１０１）と、ＷＬＡＮによる無線通信（第２の無線通信１０２）と、が可能である。
【００５０】
無線送信部４１１は、ユーザデータや制御信号を、アンテナを介して無線通信で送信する。無線送信部４１１が送信する無線信号には、任意のユーザデータや制御情報など（符号化や変調等がなされる）を含めることができる。無線受信部４１２は、ユーザデータや制御信号を、アンテナを介して無線通信で受信する。無線受信部４１２が受信する無線信号には、任意のユーザデータや制御信号など（符号化や変調等がなされる）を含めることができる。なお、アンテナは送信と受信で共通でもよい。
【００５１】
制御部４２０は、他の無線局へ送信するユーザデータや制御信号を無線送信部４１１に出力する。また、制御部４２０は、無線受信部４１２によって受信されたユーザデータや制御信号を取得する。制御部４２０は、後述する記憶部４３０との間でユーザデータ、制御情報、プログラムなどの入出力を行う。また、制御部４２０は、無線通信部４１０との間で、他の通信装置などとの間で送受信するユーザデータや制御信号の入出力を行う。制御部４２０は、これら以外にも、端末４００における種々の制御を行う。記憶部４３０は、ユーザデータ、制御情報、プログラムなどの各種情報の記憶を行う。
【００５２】
図１に示した移動局１２０の処理部１２１は、たとえば制御部４２０により実現することができる。
【００５３】
図５は、実施の形態２にかかる端末のハードウェア構成の一例を示す図である。図４に示した端末４００は、たとえば図５に示す端末５００により実現することができる。端末５００は、たとえば、アンテナ５１１と、ＲＦ回路５１２と、プロセッサ５１３と、メモリ５１４と、を備える。これら各構成要素は、たとえばバスを介して各種信号やデータの入出力が可能なように接続されている。
【００５４】
アンテナ５１１は、無線信号を送信する送信アンテナと、無線信号を受信する受信アンテナと、を含む。また、アンテナ５１１は、無線信号を送受信する共用アンテナであってもよい。ＲＦ回路５１２は、アンテナ５１１によって受信された信号や、アンテナ５１１によって送信される信号のＲＦ（Ｒａｄｉｏ  Ｆｒｅｑｕｅｎｃｙ：高周波）処理を行う。ＲＦ処理には、たとえばベースバンド帯とＲＦ帯との周波数変換が含まれる。
【００５５】
プロセッサ５１３は、たとえばＣＰＵ（Ｃｅｎｔｒａｌ  Ｐｒｏｃｅｓｓｉｎｇ  Ｕｎｉｔ：中央処理装置）やＤＳＰ（Ｄｉｇｉｔａｌ  Ｓｉｇｎａｌ  Ｐｒｏｃｅｓｓｏｒ）などである。また、プロセッサ５１３は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、ＬＳＩ（Ｌａｒｇｅ  Ｓｃａｌｅ  Ｉｎｔｅｇｒａｔｉｏｎ：大規模集積回路）などのデジタル電子回路により実現してもよい。
【００５６】
メモリ５１４は、たとえばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などのＲＡＭ（Ｒａｎｄｏｍ  Ａｃｃｅｓｓ  Ｍｅｍｏｒｙ：ランダムアクセスメモリ）、ＲＯＭ（Ｒｅａｄ  Ｏｎｌｙ  Ｍｅｍｏｒｙ）、フラッシュメモリにより実現することができる。メモリ５１４は、たとえばユーザデータ、制御情報、プログラムなどを格納する。
【００５７】
図４に示した無線通信部４１０は、たとえばアンテナ５１１およびＲＦ回路５１２により実現することができる。図４に示した制御部４２０は、たとえばプロセッサ５１３により実現することができる。図４に示した記憶部４３０は、たとえばメモリ５１４により実現することができる。
【００５８】
図６は、実施の形態２にかかる基地局の一例を示す図である。図３に示したｅＮＢ３２１，３２２のそれぞれは、たとえば図６に示す基地局６００により実現することができる。図６に示すように、基地局６００は、たとえば、無線通信部６１０と、制御部６２０と、記憶部６３０と、通信部６４０と、を備える。無線通信部６１０は、無線送信部６１１と、無線受信部６１２と、を備える。これらの各構成は、一方向または双方向に、信号やデータの入出力が可能なように接続されている。また、無線通信部６１０は、たとえばＬＴＥ−Ａによる無線通信（第１の無線通信１０１）と、ＷＬＡＮによる無線通信（第２の無線通信１０２）と、が可能である。
【００５９】
無線送信部６１１は、ユーザデータや制御信号を、アンテナを介して無線通信で送信する。無線送信部６１１が送信する無線信号には、任意のユーザデータや制御情報など（符号化や変調等がなされる）を含めることができる。無線受信部６１２は、ユーザデータや制御信号を、アンテナを介して無線通信で受信する。無線受信部６１２が受信する無線信号には、任意のユーザデータや制御信号など（符号化や変調等がなされる）を含めることができる。なお、アンテナは送信と受信で共通でもよい。
【００６０】
制御部６２０は、他の無線局へ送信するユーザデータや制御信号を無線送信部６１１に出力する。また、制御部６２０は、無線受信部６１２によって受信されたユーザデータや制御信号を取得する。制御部６２０は、後述する記憶部６３０との間でユーザデータ、制御情報、プログラムなどの入出力を行う。また、制御部６２０は、後述する通信部６４０との間で、他の通信装置などとの間で送受信するユーザデータや制御信号の入出力を行う。制御部６２０は、これら以外にも、基地局６００における種々の制御を行う。
【００６１】
記憶部６３０は、ユーザデータ、制御情報、プログラムなどの各種情報の記憶を行う。通信部６４０は、たとえば有線信号によって、他の通信装置との間でユーザデータや制御信号を送受信する。
【００６２】
図１に示した基地局１１０の制御部１１１および処理部１１２は、たとえば制御部６２０により実現することができる。
【００６３】
図７は、実施の形態２にかかる基地局のハードウェア構成の一例を示す図である。図６に示した基地局６００は、たとえば図７に示す基地局７００により実現することができる。基地局７００は、アンテナ７１１と、ＲＦ回路７１２と、プロセッサ７１３と、メモリ７１４と、ネットワークＩＦ７１５と、を備える。これら各構成要素は、たとえばバスを介して各種信号やデータの入出力が可能なように接続されている。
【００６４】
アンテナ７１１は、無線信号を送信する送信アンテナと、無線信号を受信する受信アンテナと、を含む。また、アンテナ７１１は、無線信号を送受信する共用アンテナであってもよい。ＲＦ回路７１２は、アンテナ７１１によって受信された信号や、アンテナ７１１によって送信される信号のＲＦ処理を行う。ＲＦ処理には、たとえばベースバンド帯とＲＦ帯との周波数変換が含まれる。
【００６５】
プロセッサ７１３は、たとえばＣＰＵやＤＳＰなどである。また、プロセッサ７１３は、ＡＳＩＣ、ＦＰＧＡ、ＬＳＩなどのデジタル電子回路により実現してもよい。
【００６６】
メモリ７１４は、たとえばＳＤＲＡＭなどのＲＡＭ、ＲＯＭ、フラッシュメモリにより実現することができる。メモリ７１４は、たとえばユーザデータ、制御情報、プログラムなどを格納する。
【００６７】
ネットワークＩＦ７１５は、たとえば有線によってネットワークとの間で通信を行う通信インタフェースである。ネットワークＩＦ７１５は、たとえば基地局間で有線通信を行うためのＸｎインタフェースを含んでもよい。
【００６８】
図６に示した無線通信部６１０は、たとえばアンテナ７１１およびＲＦ回路７１２により実現することができる。図６に示した制御部６２０は、たとえばプロセッサ７１３により実現することができる。図６に示した記憶部６３０は、たとえばメモリ７１４により実現することができる。図６に示した通信部６４０は、たとえばネットワークＩＦ７１５により実現することができる。
【００６９】
図８は、実施の形態２にかかる無線通信システムにおけるプロトコルスタックの一例を示す図である。実施の形態２にかかる無線通信システム３００には、たとえば図８に示すプロトコルスタック８００を適用することができる。プロトコルスタック８００は、３ＧＰＰに規定されたＬＴＥ−Ａのプロトコルスタックである。レイヤ群８０１〜８０５は、それぞれＵＥ３１１、ｅＮＢ３２１、ＳＧＷ３３１、ＰＧＷ３３２および外部ネットワークのサーバにおける各処理を示すレイヤ群である。
【００７０】
無線通信システム３００においてＩＰフローを伝送する場合に、個々のＩＰフローに対してＱｏＳクラスに応じた取り扱いを実施するために、ＩＰフローのフィルタリングが実施される。たとえばＵＥ３１１がＩＰフローを受信する下りリンクについては、ＰＧＷ３３２がＩＰフローに対するパケットフィルタリングを行ってＩＰフローをＥＰＳベアラ３４１〜３４ｎに分類する。
【００７１】
ＵＥ３１１がＩＰフローを送信する上りリンクについては、ＰＧＷ３３２からパケットのフィルタリング規則がＵＥ３１１に通知される。そして、ＰＧＷ３３２から通知されたフィルタリング規則に基づいて、ＵＥ３１１がＩＰフローに対するパケットフィルタリングを行ってＩＰフローをＥＰＳベアラ３４１〜３４ｎに分類する。
【００７２】
たとえば、上りリンクにおいて、ＰＧＷ３３２は、ＰＧＷ３３２のレイヤ群８０４のうちのＩＰレイヤ（ＩＰ）に含まれるフィルタレイヤ８１１（Ｆｉｌｔｅｒ）によって、ＩＰフローのフィルタリングを行う。また、下りリンクにおいて、ＵＥ３１１は、ＵＥ３１１のレイヤ群８０１のうちのＩＰレイヤ（ＩＰ）に含まれるフィルタレイヤ８１２（Ｆｉｌｔｅｒ）によって、ＩＰフローのフィルタリングを行う。
【００７３】
また、ＬＴＥ網内のルータでＱｏＳ制御（ＱｏＳ管理）を行うために、ＰＧＷ３３２（下りリンクの場合）またはＵＥ３１１（上りリンクの場合）が、ＩＰパケットのヘッダのＴｏＳ（Ｔｙｐｅ  ｏｆ  Ｓｅｒｖｉｃｅ）フィールドにＱｏＳ値を設定する。
【００７４】
ＰＧＷ３３２またはＵＥ３１１によるパケットフィルタリングは、たとえば５−ｔｕｐｌｅ（送受信元ＩＰアドレス、送受信元ポート番号、プロトコルタイプ）を利用して行われる。パケットフィルタリングのフィルタリング規則は、たとえばＴＦＴ（Ｔｒａｆｆｉｃ  Ｆｌｏｗ  Ｔｅｍｐｌａｔｅ）と呼ばれる。なお、ＥＰＳベアラ３４１〜３４ｎの中にはＴＦＴが設定されないＥＰＳベアラが存在してもよい。
【００７５】
ＴＦＴを用いてＩＰフローのフィルタリングを実施すると、ＩＰフローを最大で１１種類のＥＰＳベアラに分類することができる。ＥＰＳベアラ３４１〜３４ｎのうちの一つのベアラはデフォルトベアラ（Ｄｅｆａｕｌｔ  Ｂｅａｒｅｒ：既定ベアラ）と呼ばれる。デフォルトベアラは、ＰＧＷ３３２がＵＥ３１１にＩＰアドレスを割り当てる際に生成され、ＵＥ３１１に割り当てられたＩＰアドレスが解放されるまで常に存在する。ＥＰＳベアラ３４１〜３４ｎのうちのデフォルトベアラとは異なるベアラは、個別ベアラ（Ｄｅｄｉｃａｔｅｄ  Ｂｅａｒｅｒ）と呼ばれる。個別ベアラは、伝送するユーザデータの状況に応じて適宜生成および解放することが可能である。
【００７６】
図９は、実施の形態２にかかる無線通信システムにおけるレイヤ２の一例を示す図である。実施の形態２にかかる無線通信システム３００には、レイヤ２の処理として、一例としては図９に示す処理を適用することができる。図９に示す処理は、３ＧＰＰに規定されたＬＴＥ−Ａのレイヤ２の処理である。図９に示すように、ＬＴＥ−Ａのレイヤ２は、ＰＤＣＰ９１０と、ＲＬＣ９２０と、ＭＡＣ９３０と、を含む。
【００７７】
ＰＤＣＰ９１０には、流入するＩＰデータグラムのヘッダ圧縮を行うＲＯＨＣ（Ｒｏｂｕｓｔ  Ｈｅａｄｅｒ  Ｃｏｍｐｒｅｓｓｉｏｎ）やセキュリティに関する処理が含まれる。セキュリティに関する処理には、たとえば秘匿や完全性保護などが含まれる。通常のＬＴＥ−Ａの通信においては、ユーザデータは、ＰＤＣＰ９１０のこれらの処理が実施されて下位レイヤ（たとえばレイヤ１）に回送される。
【００７８】
また、たとえばデュアルコネクティビティ（Ｄｕａｌ  Ｃｏｎｎｅｃｔｉｖｉｔｙ）を実施する場合は、ＵＥ３１１は、最大で二つの基地局（たとえばｅＮＢ３２１，３２２）との同時通信が可能である。ＭＣＧベアラ９０１（Ｍａｓｔｅｒ  Ｃｅｌｌ  Ｇｒｏｕｐ  Ｂｅａｒｅｒ）は、主たる基地局のラジオベアラである。
【００７９】
また、ＭＣＧベアラ９０１に対して、スプリットベアラ９０２（Ｓｐｌｉｔ  Ｂｅａｒｅｒ）やＳＣＧベアラ９０３（Ｓｅｃｏｎｄａｒｙ  Ｃｅｌｌ  Ｇｒｏｕｐ  Ｂｅａｒｅｒ）が付随できる。スプリットベアラ９０２を用いる場合は、レイヤ２から下位レイヤ（たとえばレイヤ１）にユーザデータを回送する際に、１つの基地局のみにユーザデータを回送するか、２つの基地局にユーザデータを回送するかを選択することが可能である。
【００８０】
ＲＬＣ９２０には、ユーザデータの無線伝送を行う前の一次処理が含まれる。たとえば、ＲＬＣ９２０には、ユーザデータを無線品質に応じたサイズに調整するための、ユーザデータの分割（Ｓｅｇｍ．：Ｓｅｇｍｅｎｔａｔｉｏｎ）が含まれる。また、ＲＬＣ９２０には、下位層で誤り訂正ができなかったユーザデータの再送のためＡＲＱ（Ａｕｔｏｍａｔｉｃ  Ｒｅｐｅａｔ  ｒｅＱｕｅｓｔ）等が含まれていてもよい。下位層にユーザデータを回送する際に、ＥＰＳベアラは、対応するロジカルチャネル（Ｌｏｇｉｃａｌ  Ｃｈａｎｎｅｌ）にマッピングされて無線伝送される。
【００８１】
ＭＡＣ９３０には、無線伝送の制御が含まれる。たとえば、ＭＡＣ９３０には、パケットスケジューリングを行い、送信データのＨＡＲＱ（Ｈｙｂｒｉｄ  Ａｕｔｏｍａｔｉｃ  Ｒｅｐｅａｔ  ｒｅＱｕｅｓｔ）を実施する処理が含まれる。ＨＡＲＱは、キャリアアグリゲーションにおいてはアグリゲーション対象の各キャリアに対して実施される。
【００８２】
送信側は、ＭＡＣ９３０において、ユーザデータであるＭＡＣ  ＳＤＵ（ＭＡＣ  Ｓｅｒｖｉｃｅ  Ｄａｔａ  Ｕｎｉｔ）にＬＣＩＤ（Ｌｏｇｉｃａｌ  Ｃｈａｎｎｅｌ  Ｉｄｅｎｔｉｆｉｅｒ）を付加して送信する。受信側は、ＭＡＣ９３０において、送信側によって付加されたＬＣＩＤを用いてラジオベアラをＥＰＳベアラに変換する。
【００８３】
図１０は、実施の形態２にかかる無線通信システムにおいて伝送されるＩＰパケットのＩＰヘッダの一例を示す図である。実施の形態２にかかる無線通信システム３００においては、たとえば図１０に示すＩＰヘッダ１０００を有するＩＰパケットが伝送される。ＩＰヘッダ１０００には、たとえば、送信元を示すソースアドレス１００１や、宛先を示すデスティネーションアドレス１００２が含まれる。
【００８４】
また、ＩＰヘッダ１０００には、ＱｏＳを行うためのＴｏＳフィールド１００３が含まれる。上述したＱｏＳ制御は、たとえばＴｏＳフィールド１００３の値に基づいて行われる。また、ＩＰヘッダ１０００には、上位に当たるトランスポート層のプロトコル番号が格納されるプロトコルフィールド１００４が含まれる。
【００８５】
図１１は、実施の形態２にかかる無線通信システムにおいて伝送されるＩＰパケットのＩＰヘッダに含まれるＴｏＳフィールドの値の一例を示す図である。図１１に示すテーブル１１００における「先頭３ビット」は、図１０に示したＴｏＳフィールド１００３における先頭の３ビットに該当するＩＰプレシデンスを示し、２＾３＝８通りのパターンをとり得る。テーブル１１００において、８通りのパターンは、上のパターンほど優先度（プライオリティ）が高いことを示している。
【００８６】
たとえば、ＴｏＳフィールド１００３のＩＰプレシデンスにおいて最も優先度が高い“１１１”は、ＩＰパケットがネットワークコントロールに対応することを示し、ルーティング等の制御のために予約されている。また、ＴｏＳフィールド１００３のＩＰプレシデンスにおいて２番目に優先度が高い“１１０”は、ＩＰパケットがインターネットコントロールに対応することを示し、ルーティング等の制御のために予約されている。
【００８７】
図１１に示す例では、ＱｏＳの優先度情報としてＴｏＳフィールド１００３のＩＰプレシデンスを用いる場合について説明したが、ＱｏＳの優先度情報はこれに限らず、たとえばＤＳＣＰ（Ｄｉｆｆｅｒｅｎｔｉａｔｅｄ  Ｓｅｒｖｉｃｅｓ  Ｃｏｄｅ  Ｐｏｉｎｔ）フィールドを用いてもよい。ＤＳＣＰは、ＴｏＳフィールド１００３における先頭の６ビットに該当するフィールドである。
【００８８】
図１２は、実施の形態２にかかる無線通信システムにおけるＬＴＥ−ＡおよびＷＬＡＮによるアグリゲーションの一例を示す図である。ＬＴＥ−ＡおよびＷＬＡＮによるアグリゲーションにおけるレイヤ２の処理は、たとえば、ＬＴＥ−Ａの後方互換性を考慮し、上述したデュアルコネクティビティの処理が基本となる。
【００８９】
ＩＰフロー１２０１は、ＵＥ３１１とｅＮＢ３２１との間のＨＴＴＰ（Ｈｙｐｅｒｔｅｘｔ  Ｔｒａｎｓｆｅｒ  Ｐｒｏｔｏｃｏｌ：ハイパーテキスト転送プロトコル）によるＩＰフローである。ＩＰフロー１２０２は、ＵＥ３１１とｅＮＢ３２１との間のＦＴＰ（Ｆｉｌｅ  Ｔｒａｎｓｆｅｒ  Ｐｒｏｔｏｃｏｌ：ファイル転送プロトコル）によるＩＰフローである。
【００９０】
非アグリゲーション処理１２１１は、ＩＰフロー１２０１，１２０２を、ＷＬＡＮを用いずにＬＴＥ−Ａで送信する場合の処理を示している。この非アグリゲーション処理１２１１は、図１に示した第１の無線通信１０１による無線通信を用いたデータの伝送に対応する。非アグリゲーション処理１２１１においては、ＩＰフロー１２０１，１２０２のそれぞれについて、ＰＤＣＰ、ＲＬＣ、ＬＴＥ−ＭＡＣ、ＬＴＥ−ＰＨＹの順に処理が行われる。このＰＤＣＰ、ＲＬＣ、ＬＴＥ−ＭＡＣは、たとえばそれぞれ図９に示したＰＤＣＰ９１０、ＲＬＣ９２０およびＭＡＣ９３０である。ＬＴＥ−ＰＨＹは、ＬＴＥ−Ａにおける物理レイヤである。
【００９１】
アグリゲーション処理１２１２は、ＩＰフロー１２０１，１２０２を、ＬＴＥ−ＡおよびＷＬＡＮを同時に使用して送信する場合の処理を示している。このアグリゲーション処理１２１２は、図１に示した第１の無線通信１０１および第２の無線通信１０２による無線通信を用いたデータの伝送に対応する。
【００９２】
アグリゲーション処理１２１２において、ＩＰフロー１２０１は、ＰＤＣＰにより、ＬＴＥ−Ａにより伝送されるパケットと、ＷＬＡＮにより伝送されるパケットと、に分割される。そして、ＩＰフロー１２０１のうちのＬＴＥ−Ａにより伝送されるパケットは、ＲＬＣ、ＬＴＥ−ＭＡＣ、ＬＴＥ−ＰＨＹの順に処理が行われる。
【００９３】
また、ＩＰフロー１２０１のうちのＷＬＡＮにより伝送されるパケットは、ＰＤＣＰの処理の後に、アウターＩＰレイヤによってアウターＩＰヘッダを付されてＷＬＡＮ側へ転送されることでトンネリングされる。アウターＩＰヘッダは、たとえばＰＤＣＰの上位のＩＰレイヤによって付されるＩＰヘッダのコピーであって、ＰＤＣＰによって秘匿化されていないＩＰヘッダである。ＩＰフロー１２０１のうちのアウターＩＰヘッダを付されてＷＬＡＮ側へ転送されたパケットは、．１１ｘ  ＭＡＣ、．１１ｘ  ＰＨＹの順に処理が行われる。．１１ｘ  ＭＡＣ、．１１ｘ  ＰＨＹは、それぞれＷＬＡＮ（８０２．１１ｘ）におけるＭＡＣレイヤおよびＰＨＹレイヤである。
【００９４】
なお、アウターＩＰレイヤは、セカンダリ基地局（たとえば後述のセカンダリｅＮＢ３２３）側にも設置することができる。つまり、アウターＩＰヘッダを付すために、関連する情報（パラメータ等）をマスタ基地局（たとえばｅＮＢ３２１）からセカンダリ基地局に通知しておけばよい。パラメータの具体例を述べる。第２無線通信システム（たとえばＷＬＡＮ）において、通信事業者（オペレータ）がプライベートＩＰネットワークを構築すると仮定すると、ＩＰヘッダのバージョンは独自に決定できるため、通知は必須ではない。ヘッダ長は第１無線通信システム（たとえばＬＴＥ−Ａ）のＰＤＵ長であるため通知は必須ではない。ＴＯＳについては、第１無線通信システムのＱｏＳ情報を引き継ぐ必要があるため通知することが好ましい。そのため、第１無線通信システムで使われるＱｏＳ情報、たとえばＱＣＩの値を通知する。第２無線通信システムではＱＣＩの値からＴＯＳの値に再変換を行い、得られた値をアウターＩＰヘッダのＴＯＳフィールドに設定する。フラグメンテーションに関わるＩＤ、ＩＰフラグ、オフセットフィールドは第２無線通信システムのみで決定できるため、通知は必須ではない。プロトコル番号は、後述するように第２無線通信システムで独自に決定できるため、通知は必須ではない。ヘッダチェックサムは当該ヘッダの内容で算出される値のため、通知は必須ではない。
【００９５】
このように、ＱｏＳ制御に関わるＴＯＳ値を第１無線通信システムから第２無線通信システムに通知することが好ましい。さらに、ＱｏＳクラスに応じたスケジューリングを実施するため、移動局がサポートしている最大通信レート（ＡＭＢＲ：Ａｇｇｒｅｇａｔｅｄ  Ｍａｘｉｍｕｍ  Ｂｉｔ  Ｒａｔｅ）、遅延時間を制御するＴＴＷ（Ｔｉｍｅ  ｔｏ  Ｗａｉｔ）、そして保障帯域（ＧＢＲ：Ｇｕａｒａｎｔｅｅｄ  Ｂｉｔ  Ｒａｔｅ）等も通知してもよい。このように、セカンダリ基地局においてＩＰヘッダを付する場合は、必ずしもインナーＩＰヘッダのコピーでなくともよい。
【００９６】
また、アグリゲーション処理１２１２において、ＩＰフロー１２０２は、ＩＰフロー１２０１と同様に、ＰＤＣＰにより、ＬＴＥ−Ａにより伝送されるパケットと、ＷＬＡＮにより伝送されるパケットと、に分割される。そして、ＩＰフロー１２０２のうちのＬＴＥ−Ａにより伝送されるパケットは、ＲＬＣ、ＬＴＥ−ＭＡＣ、ＬＴＥ−ＰＨＹの順に処理が行われる。
【００９７】
また、ＩＰフロー１２０２のうちのＷＬＡＮにより伝送されるパケットは、ＰＤＣＰの処理の後に、アウターＩＰレイヤによってアウターＩＰヘッダを付されてＷＬＡＮ側へ転送されることでトンネリングされる。アウターＩＰヘッダは、たとえばＰＤＣＰの上位のＩＰレイヤによって付されるＩＰヘッダのコピーであって、ＰＤＣＰによって秘匿化されていないＩＰヘッダである。ＩＰフロー１２０２のうちのアウターＩＰヘッダを付されてＷＬＡＮ側へ転送されたパケットは、．１１ｘ  ＭＡＣ、．１１ｘ  ＰＨＹの順に処理が行われる。
【００９８】
ＬＴＥ−Ａにおいては、ＩＰフローは、ベアラに分類されてベアラとして管理される。これに対して、たとえばＷＬＡＮの１つであるＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：電気電子学会）の８０２．１１ｘにおいては、ＩＰフローはベアラではなくＩＰフローのまま管理される。このため、マッピング管理１２２０のように、いずれのベアラがいずれのＬ２レイヤに属するかのマッピングを管理し、非アグリゲーション処理１２１１およびアグリゲーション処理１２１２を高速に行うことが求められる。
【００９９】
マッピング管理１２２０は、たとえばＵＥ３１１とｅＮＢ３２１との間の無線制御を行うＲＲＣによって行われる。ＲＲＣは、ラジオベアラを管理することにより、ＬＴＥ−Ａによる無線通信を用いる非アグリゲーション処理１２１１と、ＬＴＥ−Ａによる無線通信およびＷＬＡＮによる無線通信を用いるアグリゲーション処理１２１２とをラジオベアラレベルでサポートする。図１２に示す例では、ＨＴＴＰにおけるＩＰフローＩＤ＝０のＩＰフロー１２０１がベアラＩＤ＝０のベアラとして管理され、ＦＴＰのＩＰフローＩＤ＝０のＩＰフロー１２０２がベアラＩＤ＝１のベアラとして管理されている。
【０１００】
また、実施の形態２にかかる無線通信システム３００は、ＷＬＡＮに転送するパケットにアウターＩＰヘッダを付加する。これにより、ＬＴＥ−ＡのトラフィックをＷＬＡＮにおいて伝送することが可能になる。また、ＷＬＡＮにおいて、転送されたＩＰフロー１２０１，１２０２に含まれるＴｏＳフィールドを参照可能になる。
【０１０１】
たとえば、ＩＥＥＥ８０２．１１ｅにおけるＱｏＳにおいては、ＩＰヘッダのＴｏＳフィールド等を参照してＩＰフローを４種のＡＣ（Ａｃｃｅｓｓ  Ｃａｔｅｇｏｒｙ：アクセスカテゴリ）に集約してＱｏＳが管理される。無線通信システム３００においては、ＷＬＡＮにおいて、転送されたＩＰフロー１２０１，１２０２に含まれるＴｏＳフィールドを参照し、ＴｏＳフィールドに基づくＱｏＳ処理を行うことが可能になる。このため、アグリゲーション処理１２１２においてＷＬＡＮのＱｏＳのサポートが可能になる。
【０１０２】
このように、送信側のｅＮＢ３２１は、ＬＴＥ−ＡとＷＬＡＮを同時に使用するアグリゲーションを行う際に、ＷＬＡＮを用いて送信するためにＰＤＣＰにより処理した後のデータに、ＰＤＣＰの処理前のサービス品質情報を含むアウターＩＰヘッダを付加する。
【０１０３】
このサービス品質情報は、たとえばデータのサービスクラスなどの伝送の優先度を示すＱｏＳ情報である。一例としては、サービス品質情報は、上述したＴｏＳフィールドとすることができるが、サービス品質情報はこれに限らず、データの伝送の優先度を示す各種の情報とすることができる。たとえば、ＶＬＡＮ（Ｖｉｒｔｕａｌ  Ｌｏｃａｌ  Ａｒｅａ  Ｎｅｔｗｏｒｋ：仮想構内通信網）では、ＶＬＡＮタグの中にＱｏＳを規定するフィールドが規定されている。また、より一般的には、ＱｏＳ情報は５タプルで設定される情報である。５タプルは、送信元ＩＰアドレスおよびポート番号、送信先ＩＰアドレスおよびポート番号、プロトコルタイプである。
【０１０４】
たとえば、ＬＴＥの無線制御によりＬＴＥのデータをＷＬＡＮへ転送する際に、ＰＤＣＰ等によりデータのヘッダに秘匿化等の処理が行われると、ＷＬＡＮにおいてデータに含まれるＱｏＳ情報が参照できなくなる。このため、ＷＬＡＮにおいてＱｏＳ情報に基づくデータの伝送制御ができず、ＬＴＥ−ＡとＷＬＡＮを同時に使用するアグリゲーションを行う際の通信品質が低下する場合がある。
【０１０５】
これに対して、ＷＬＡＮへ転送するデータにサービス品質情報を含むアウターＩＰヘッダを付加することで、ＷＬＡＮの処理においてサービス品質情報に基づく伝送制御が可能になる。サービス品質情報に基づく伝送制御は、たとえば、サービス品質情報に応じて伝送の優先度を制御するＱｏＳ制御である。ただし、サービス品質情報に基づく伝送制御はこれに限らず各種の制御とすることができる。
【０１０６】
なお、アグリゲーション処理１２１２において、ＷＬＡＮへ転送されたユーザデータには、ＷＬＡＮにおける秘匿化の処理等が行われる。このため、秘匿化されていないアウターヘッダが付されたユーザデータがＷＬＡＮへ転送されても、アウターヘッダが秘匿化されずにｅＮＢ３２１とＵＥ３１１との間で伝送されることを回避することができる。
【０１０７】
ＷＬＡＮの秘匿化には、たとえばＡＥＳ（Ａｄｖａｎｃｅｄ  Ｅｎｃｒｙｐｔｉｏｎ  Ｓｔａｎｄａｒｄ）、ＴＫＩＰ（Ｔｅｍｐｏｒａｌ  Ｋｅｙ  Ｉｎｔｅｇｒｉｔｙ  Ｐｒｏｔｏｃｏｌ）、ＷＥＰ（Ｗｉｒｅｄ  Ｅｑｕｉｖａｌｅｎｔ  Ｐｒｉｖａｃｙ）などを用いることができる。
【０１０８】
図１２に示す例においては、アグリゲーション処理１２１２を行う際に、ＰＤＣＰを収束レイヤ（分岐点）とし、ＩＰフロー１２０１，１２０２がＲＬＣおよびＬＴＥ−ＭＡＣを通過しない場合について説明したが、このような処理に限らない。たとえば、アグリゲーション処理１２１２を行う際に、ＰＤＣＰの下位レイヤであるＲＬＣやＬＴＥ−ＭＡＣを収束レイヤ（分岐点）とし、ＩＰフロー１２０１，１２０２が、ＰＤＣＰだけでなく、ＲＬＣおよびＬＴＥ−ＭＡＣを通過するようにしてもよい。このように、ＷＬＡＮへの転送を行う際の収束レイヤ（分岐点）を確立する処理部は、ＰＤＣＰの処理部に限らず、ＲＬＣやＬＴＥ−ＭＡＣの処理部であってもよい。
【０１０９】
ＰＤＣＰ、ＲＬＣ、ＬＴＥ−ＭＡＣなどのデータリンク層（レイヤ２）は、ＵＥ３１１とｅＮＢ３２１との間の無線区間における通信の混雑状況を把握することができる。このため、データリンク層において収束レイヤを確立してＷＬＡＮへの転送を行うことにより、ＵＥ３１１とｅＮＢ３２１との間の無線区間における通信の混雑状況に応じてアグリゲーション処理１２１２の実行の要否等を判断することができる。
【０１１０】
また、アグリゲーション処理１２１２においてアウターＩＰヘッダをパケットに付加するアウターＩＰレイヤは、たとえばＰＤＣＰレイヤの一部として設けられる。ただし、後述のように、アウターＩＰレイヤをＰＤＣＰの下位レイヤとして設けてもよい。
【０１１１】
図１３は、実施の形態２にかかる無線通信システムにおけるＴｏＳフィールドに基づくＱｏＳ制御の一例を示す図である。たとえばｅＮＢ３２１がＷＬＡＮ通信の機能を有し、ｅＮＢ３２１からＵＥ３１１へＩＰパケット１３０１を送信する場合について説明する。ｅＮＢ３２１は、ＩＰパケット１３０１のＩＰヘッダにおけるＴｏＳフィールドに基づいて、ＩＰパケット１３０１をボイス、ビデオ、ベストエフォート、バックグラウンドのいずれかのＡＣ１３１１〜１３１４に分類する。
【０１１２】
そして、無線通信システム３００においては、ＬＴＥ−ＡおよびＷＬＡＮを同時に使用するアグリゲーションが行われる場合に、ＰＤＣＰレイヤにより処理されＷＬＡＮへ転送されるパケット（ＰＤＣＰパケット）にアウターＩＰヘッダが付加される。このため、ｅＮＢ３２１は、ＷＬＡＮの処理においても、ＩＰパケット１３０１のアウターＩＰヘッダに含まれるＴｏＳフィールドを参照し、ＴｏＳフィールドに基づくＡＣ分類を行うことができる。
【０１１３】
ｅＮＢ３２１がＷＬＡＮ通信の機能を有する場合について説明したが、ｅＮＢ３２１がＷＬＡＮのアクセスポイントへＩＰフローを伝送することでＬＴＥ−ＡおよびＷＬＡＮを同時に使用するアグリゲーションを行う場合についても同様である。また、ｅＮＢ３２１からＵＥ３１１へＩＰパケット１３０１を送信する場合（下りリンク）について説明したが、ＵＥ３１１からｅＮＢ３２１へＩＰパケット１３０１を送信する場合（上りリンク）についても同様である。
【０１１４】
図１４は、実施の形態２にかかる無線通信システムにおけるＡＣ分類の一例を示す図である。図１４において、図１３に示した部分と同様の部分については同一の符号を付して説明を省略する。
【０１１５】
図１４においては、ｅＮＢ３２１がＷＬＡＮ通信の機能を有する場合について説明する。ＩＰパケット１４０１，１４０２は、ＬＴＥ−ＡおよびＷＬＡＮを同時に使用するアグリゲーションにおいて、ｅＮＢ３２１がＷＬＡＮによって送信するパケットである。ＩＰパケット１４０１，１４０２はそれぞれＨＴＴＰおよびＦＴＰのＩＰパケットである。
【０１１６】
ｅＮＢ３２１は、ＩＰパケット１４０１，１４０２について、ＩＰヘッダに含まれるＴｏＳフィールドの値に基づいてＡＣ１３１１〜１３１４いずれかに分類するＴｏＳ値解析分類１４１０を行う。図１４に示す例では、ｅＮＢ３２１は、ＩＰパケット１４０１をＡＣ１３１３（ベストエフォート）に分類し、ＩＰパケット１４０２をＡＣ１３１４（バックグラウンド）に分類している。そして、ｅＮＢ３２１は、ＴｏＳ値解析分類１４１０を行ったＩＰパケット１４０１，１４０２をＵＥ３１１へＷＬＡＮにより送信する。
【０１１７】
ｅＮＢ３２１とＵＥ３１１との間のＲＲＣによるマッピング管理１４２０において、ＨＴＴＰのＩＰパケット１４０１は、ＩＰフローＩＤ＝ＡＣ＝２、ベアラＩＤ＝０として管理される。ＡＣ＝２はＡＣ１３１３（ベストエフォート）を示す。また、マッピング管理１４２０において、ＦＴＰのＩＰパケット１４０２は、ＩＰフローＩＤ＝ＡＣ＝３、ベアラＩＤ＝１として管理される。ＡＣ＝３はＡＣ１３１４（バックグラウンド）を示す。
【０１１８】
ＵＥ３１１は、ｅＮＢ３２１の側のＴｏＳ値解析分類１４１０（クラシフィケーション）に対応するＴｏＳ値解析分類１４３０（デクラシフィケーション）を行うことにより、ＩＰパケット１４０１，１４０２をそれぞれＰＤＣＰにより終端する。
【０１１９】
ｅＮＢ３２１からＵＥ３１１へＩＰパケット１４０１，１４０２を送信する場合（下りリンク）について説明したが、ＵＥ３１１からｅＮＢ３２１へＩＰパケット１４０１，１４０２を送信する場合（上りリンク）についても同様である。
【０１２０】
図１５は、実施の形態２にかかる無線通信システムにおけるアグリゲーションの一例を示す図である。図１５においては、下りリンクについて、ｅＮＢ３２１がマスタｅＮＢとなりｅＮＢとＷＬＡＮ通信の機能（ｅＮＢ＋ＷＬＡＮ）を有するセカンダリｅＮＢ３２３を用いるＷＬＡＮ独立型の構成にてＬＴＥ−ＡとＷＬＡＮを同時に使用するアグリゲーションを行う場合について説明する。
【０１２１】
このアグリゲーションは、図１に示した第１の無線通信１０１および第２の無線通信１０２を同時に用いたデータの伝送である。セカンダリｅＮＢ３２３は、たとえばＸ２インタフェースなどの基地局間インタフェースによってｅＮＢ３２１と通信可能であり、ＵＥ３１１との間でＷＬＡＮでの通信が可能な基地局である。
【０１２２】
図１５に示す例では、ｅＮＢ３２１とＵＥ３１１との間にｎ個（ｎはたとえば１０）のＥＰＳベアラ１５００〜１５０ｎが設定されて通信が行われており、ＥＰＳベアラ１５００〜１５０ｎをそれぞれＬＴＥ−ＡとＷＬＡＮに分割して伝送する場合について説明する。なお、ＥＰＳベアラ１５００〜１５０ｎの一部のみをＬＴＥ−ＡとＷＬＡＮに分割して伝送してもよい。図１５に示す例では、ＥＰＳベアラ１５００〜１５０ｎは、ｅＮＢ３２１からＵＥ３１１への下り方向のベアラである。ただし、図１５においてはｎ個のＥＰＳベアラ１５００〜１５０ｎが設定されている場合について説明するが、設定されるＥＰＳベアラの数は任意である。
【０１２３】
ＥＰＳベアラ１５００〜１５０ｎは、ＥＢＩ（ＥＰＳ  Ｂｅａｒｅｒ  ＩＤ）がそれぞれ０〜ｎのｎ＋１個のＥＰＳベアラである。ＥＰＳベアラ１５００〜１５０ｎの送信元（ｓｒｃ  ＩＰ）はともにコアネットワーク（ＣＮ）である。ＥＰＳベアラ１５００〜１５０ｎの宛先（ｄｓｔ  ＩＰ）はともにＵＥ３１１（ＵＥ）である。
【０１２４】
ｅＮＢ３２１は、ＥＰＳベアラ１５００〜１５０ｎのそれぞれにおけるＷＬＡＮへ転送パケットを、それぞれＰＤＣＰレイヤ１５１０〜１５１ｎを介してセカンダリｅＮＢ３２３へ転送する。すなわち、ｅＮＢ３２１は、ＥＰＳベアラ１５００〜１５０ｎのＷＬＡＮへの転送を、ＬＴＥ−Ａのレイヤ２（図１５に示す例ではＰＤＣＰ）によって制御する。
【０１２５】
このとき、ｅＮＢ３２１は、ＥＰＳベアラ１５００〜１５０ｎのそれぞれにおけるＷＬＡＮへ転送するパケットに対してアウターＩＰヘッダを付加する。これにより、ＥＰＳベアラ１５００〜１５０ｎはＩＰパケットとしてセカンダリｅＮＢ３２３へ転送される。すなわち、ＥＰＳベアラ１５００〜１５０ｎは、上述したＴｏＳフィールド（ＱｏＳ情報）を含み秘匿化されていないアウターＩＰヘッダが付された状態でＷＬＡＮへ転送される。
【０１２６】
また、アウターＩＰヘッダにおけるプロトコルフィールド（たとえば図１０に示したプロトコルフィールド１００４）の値は、たとえば“９９”（ａｎｙ  ｐｒｉｖａｔｅ  ｅｎｃｒｙｐｔｉｏｎ  ｓｃｈｅｍｅ）とすることができる。ただし、アウターＩＰヘッダにおけるプロトコルフィールドの値は、“９９”に限らず、“６１”（ａｎｙ  ｈｏｓｔ  ｉｎｔｅｒｎａｌ  ｐｒｏｔｏｃｏｌ）、“６３”（ａｎｙ  ｌｏｃａｌ  ｎｅｔｗｏｒｋ）、“１１４”（ａｎｙ  ０−ｈｏｐ  ｐｒｏｔｏｃｏｌ）などにしてもよい。
【０１２７】
ｅＮＢ３２１からセカンダリｅＮＢ３２３へのＥＰＳベアラ１５００〜１５０ｎの転送は、たとえばＬＴＥ−Ａのハンドオーバと同様に行うことができる。たとえば、ｅＮＢ３２１からセカンダリｅＮＢ３２３へのＥＰＳベアラ１５００〜１５０ｎの転送は、ｅＮＢ３２１とセカンダリｅＮＢ３２３との間のＧＴＰトンネル１５２０〜１５２ｎを用いて行うことができる。ＧＴＰトンネル１５２０〜１５２ｎは、ｅＮＢ３２１とセカンダリｅＮＢ３２３との間にＥＰＳベアラごとに設定されたＧＴＰトンネルである。ただし、この転送は、ＧＴＰトンネルに限らず、イーサネット（登録商標）など各種の方法により行うことができる。
【０１２８】
また、ｅＮＢ３２１は、ＥＰＳベアラ１５００〜１５０ｎのそれぞれにおけるＬＴＥ−Ａにより伝送するパケットに対してはアウターＩＰヘッダを付加せずに、ＲＬＣ、ＭＡＣ、ＰＨＹの順に処理してＬＴＥ−ＡによりＵＥ３１１へ無線送信する。ＵＥ３１１は、ＬＴＥ−ＡによりｅＮＢ３２１から送信されたパケットを、ＰＨＹ、ＭＡＣ、ＲＬＣ、ＰＤＣＰ（ＰＤＣＰレイヤ１５７０〜１５７ｎ）により処理することによって受信する。
【０１２９】
セカンダリｅＮＢ３２３は、ＧＴＰトンネル１５２０〜１５２ｎを介してｅＮＢ３２１から転送されたＥＰＳベアラ１５００〜１５０ｎをそれぞれ受信する。そして、セカンダリｅＮＢ３２３は、受信したＥＰＳベアラ１５００〜１５０ｎに対応する各ＩＰパケットに対して、各ＩＰパケットのアウターＩＰヘッダに含まれるＴｏＳフィールドに基づくＡＣクラシフィケーション１５４０を行う。
【０１３０】
ＡＣクラシフィケーション１５４０は、セカンダリｅＮＢ３２３におけるＷＬＡＮ（８０２．１１ｅ）の機能による処理である。ＡＣクラシフィケーション１５４０により、たとえば図１３に示したように、各ＩＰパケットがボイス（ＶＯ）、ビデオ（ＶＩ）、ベストエフォート（ＢＥ）、バックグラウンド（ＢＫ）のいずれかのＡＣに分類される。
【０１３１】
セカンダリｅＮＢ３２３は、ＡＣクラシフィケーション１５４０によって分類された各ＩＰパケットを、ＷＬＡＮ１５５０を介してＵＥ３１１へ送信する。この場合に、ＷＬＡＮ１５５０におけるＳＳＩＤ（Ｓｅｒｖｉｃｅ  Ｓｅｔ  Ｉｄｅｎｔｉｆｉｅｒ：サービスセット識別子）は、たとえば「ｏｆｆｌｏａｄ」とすることができる。
【０１３２】
ＵＥ３１１は、ＷＬＡＮ１５５０を介して受信した各ＩＰパケットに対して、ＩＰパケットのアウターＩＰヘッダに含まれるＴｏＳフィールドに基づくＡＣデクラシフィケーション１５６０を行う。ＡＣデクラシフィケーション１５６０は、ＵＥ３１１におけるＷＬＡＮ（８０２．１１ｅ）の機能による処理である。
【０１３３】
ＵＥ３１１は、ＡＣデクラシフィケーション１５６０によって受信した各ＩＰパケットを、それぞれ分類されたＡＣに基づいてＥＰＳベアラ１５００〜１５０ｎに再分類する。そして、ＵＥ３１１は、再分類したＥＰＳベアラ１５００〜１５０ｎをそれぞれＰＤＣＰレイヤ１５７０〜１５７ｎによって処理して受信する。
【０１３４】
レイヤ群１５５１は、ＵＥ３１１がＰＤＣＰレイヤ１５７０〜１５７ｎによって受信した各ＩＰパケットの各プロトコルを示している。レイヤ群１５５１に示すように、ＷＬＡＮにより伝送されるデータは、アプリケーションレイヤ（ＡＰＰ）、ＴＣＰ／ＵＤＰレイヤ、ＩＰレイヤ（インナーレイヤ）、ＰＤＣＰレイヤ、アウターＩＰレイヤにより処理されたデータである。アプリケーションレイヤ、ＴＣＰ／ＵＤＰレイヤ、ＩＰレイヤによるデータ（斜線部）は、ＰＤＣＰレイヤの処理によって暗号化されて伝送される。
【０１３５】
ＵＥ３１１は、受信した各ＩＰパケットに付されたアウターＩＰヘッダを除去する。レイヤ群１５５２は、ＵＥ３１１が受信したＩＰパケットからアウターＩＰヘッダを除去したＰＤＣＰパケットの各プロトコルを示している。ｅＮＢ３２１からＰＤＣＰパケットをアウターＩＰレイヤによるトンネリングを用いて伝送することで、レイヤ群１５５２に示すように、ＵＥ３１１はＷＬＡＮによって伝送されるデータについてもＰＤＣＰパケットとして受信することができる。
【０１３６】
レイヤ群１５５３は、ＵＥ３１１がｅＮＢ３２１からＬＴＥ−Ａにより受信するＰＤＣＰパケットの各プロトコルを示している。レイヤ群１５５３に示すように、ｅＮＢ３２１は、ＰＤＣＰパケットに対してアウターＩＰヘッダを付加せずに、ＰＤＣＰパケットのままＵＥ３１１へ伝送する。
【０１３７】
ＵＥ３１１は、ＷＬＡＮにより受信したＰＤＣＰパケットと、ＬＴＥ−Ａにより受信したＰＤＣＰパケットと、の間の順序制御を、各ＰＤＣＰパケットのヘッダに含まれるシーケンス番号に基づいて行う。ＰＤＣＰパケットのヘッダに含まれるシーケンス番号は、ＰＤＣＰレイヤによる処理によってデータに付加されたヘッダに含まれるシーケンス番号である。
【０１３８】
これにより、ＵＥ３１１は、ＷＬＡＮにより受信したＰＤＣＰパケットと、ＬＴＥ−Ａにより受信したＰＤＣＰパケットと、を正しい順序に並べ、ｅＮＢ３２１がＬＴＥ−ＡとＷＬＡＮに分割して送信したデータを受信することができる。
【０１３９】
このように、無線通信システム３００においては、ＥＰＳベアラ１５００〜１５０ｎをＬＴＥ−ＡおよびＷＬＡＮに分割して伝送する場合に、ＷＬＡＮにより伝送するＰＤＣＰパケットをアウターＩＰでトンネリングすることができる。これにより、受信側において、ＷＬＡＮにより伝送されたデータをＰＤＣＰパケットとして受信し、ＰＤＣＰのシーケンス番号を用いて、ＬＴＥ−Ａにより受信したパケットと、ＷＬＡＮにより受信したパケットと、の間の順序制御を行うことができる。このため、ＬＴＥ−ＡとＷＬＡＮを同時に用いたデータ伝送が可能になる。
【０１４０】
また、ＷＬＡＮにより伝送するＰＤＣＰパケットに、インナーＩＰヘッダのコピーであるアウターＩＰヘッダを付加してトンネリングを行うことにより、セカンダリｅＮＢ３２３において各ＩＰパケットのアウターＩＰヘッダのＴｏＳフィールドが参照可能になる。このため、ＷＬＡＮ１５５０により伝送するデータについて、ＴｏＳフィールドに基づくＡＣクラシフィケーション１５４０を行い、トラフィックの性質に応じたＱｏＳ制御を行うことができる。
【０１４１】
なお、ＷＬＡＮ１５５０において、ＩＥＥＥ８０２．１ｑで規定されるＶＬＡＮタグ内のプライオリティ値を参照してＡＣ分類を行うことも可能である。ＶＬＡＮタグは、ＶＬＡＮの識別子である。
【０１４２】
図１５においては、ｅＮＢ３２１がマスタｅＮＢとなりｅＮＢとＷＬＡＮ通信の機能（ｅＮＢ＋ＷＬＡＮ）を有するセカンダリｅＮＢ３２３を用いるＷＬＡＮ独立型の構成にてＬＴＥ−ＡとＷＬＡＮを同時に使用するアグリゲーションを行う場合について説明した。ただし、アグリゲーションはこれに限らず、たとえばｅＮＢ３２１がＷＬＡＮ通信の機能（ｅＮＢ＋ＷＬＡＮ）も有する構成にてアグリゲーションを行ってもよい。この場合は、ＷＬＡＮによるＵＥ３１１との通信もｅＮＢ３２１が行い、セカンダリｅＮＢ３２３は用いなくてもよい。
【０１４３】
図１６は、実施の形態２にかかる無線通信システムに適用可能なＱｏＳクラスのＡＣへのマッピングの一例を示す図である。ＷＬＡＮの送信側（たとえばセカンダリｅＮＢ３２３）は、たとえば図１６のテーブル１６００のように、送信対象のＥＰＳベアラをＡＣに分類する。たとえば、ＥＰＳベアラのＱｏＳクラスは、ＱＣＩ（ＱｏＳ  Ｃｌａｓｓ  Ｉｄｅｎｔｉｆｉｅｒ）によって識別される。
【０１４４】
各ＱＣＩは、四つのＡＣであるボイス（ＶＯ）、ビデオ（ＶＩ）、ベストエフォート（ＢＥ）、バックグラウンド（ＢＫ）に分類される。ＷＬＡＮの受信側（たとえばＵＥ３１１）は、ＡＣからＱｏＳクラスへの変換を行う。そのために、ｅＮＢ３２１は、ＷＬＡＮへ転送するＥＰＳベアラをＵＥ３１１に事前に設定する。これに対して、たとえば下りリンクにおいて、ＵＥ３１１は、ｅＮＢ３２１から設定されたＥＰＳベアラに基づいてＥＰＳベアラを特定することができる。また、上りリンクにおいて、ＵＥ３１１は、ｅＮＢ３２１から設定されたＥＰＳベアラに基づいてＡＣ分類を行うことができる。
【０１４５】
図１７は、実施の形態２にかかる無線通信システムにおける送信側装置による処理の一例を示すフローチャートである。図１７においては、ｅＮＢ３２１からＵＥ３１１へユーザデータを送信する下りリンクの場合について説明する。
【０１４６】
まず、ｅＮＢ３２１は、ＵＥ３１１へのユーザデータについて、ＬＴＥ−ＡとＷＬＡＮを同時に使用するアグリゲーションを実行するか否かを判断する（ステップＳ１７０１）。ステップＳ１７０１における判断方法については後述する。
【０１４７】
ステップＳ１７０１において、アグリゲーションを実行しないと判断した場合（ステップＳ１７０１：Ｎｏ）は、ｅＮＢ３２１は、ＬＴＥ−ＡによりＵＥ３１１へのユーザデータを送信し（ステップＳ１７０２）、一連の処理を終了する。ステップＳ１７０２においては、ＰＤＣＰの秘匿化やヘッダ圧縮等が行われたユーザデータが送信される。これに対して、ＵＥ３１１は、ＰＤＣＰレイヤにおいて、秘匿化に対する復号や、ヘッダ圧縮に対するヘッダ解凍などの処理を行うことによって、ｅＮＢ３２１から送信されたユーザデータを受信することができる。
【０１４８】
ステップＳ１７０１において、アグリゲーションを実行すると判断した場合（ステップＳ１７０１：Ｙｅｓ）は、ｅＮＢ３２１は、ＷＬＡＮへ転送するデータを処理するためのアウターＩＰレイヤを設定する（ステップＳ１７０３）。ステップＳ１７０３において、ｅＮＢ３２１は、自局に合わせてＵＥ３１１のアウターＩＰレイヤを設定させるようにＵＥ３１１を制御してもよい。
【０１４９】
つぎに、ｅＮＢ３２１は、ＬＴＥ−ＡとＷＬＡＮを同時に使用してＵＥ３１１へのユーザデータを送信し（ステップＳ１７０４）、一連の処理を終了する。ステップＳ１７０４において、ｅＮＢ３２１は、ＷＬＡＮにより送信するユーザデータについては、ステップＳ１７０３によって設定したアウターＩＰレイヤによってアウターＩＰヘッダを付加することによりトンネリングして送信する。
【０１５０】
また、ステップＳ１７０４において、ｅＮＢ３２１がＷＬＡＮ通信の機能を有する場合は、ｅＮＢ３２１は、自局のＬＴＥ−Ａ通信およびＷＬＡＮ通信の機能によりＵＥ３１１へのユーザデータを送信する。一方、ｅＮＢ３２１がＷＬＡＮ通信の機能を有していない場合は、ｅＮＢ３２１は、ＷＬＡＮにより送信するユーザデータについては、自局と接続されたＷＬＡＮ通信の機能を有するセカンダリｅＮＢ３２３へＵＥ３１１へのユーザデータを転送する。
【０１５１】
また、ステップＳ１７０３によって設定されたアウターＩＰレイヤにより、ＷＬＡＮへ転送されるデータにはアウターＩＰヘッダが付加されるため、ＷＬＡＮにおいて、アウターＩＰヘッダに含まれるＴｏＳフィールドに基づくＱｏＳ制御が可能になる。
【０１５２】
上述したステップＳ１７０１の判断は、たとえば、ＵＥ３１１またはネットワーク側（たとえばＰＧＷ３３２）から、ＵＥ３１１のユーザデータについてアグリゲーションを行うことが指示されているか否かに基づいて行うことができる。または、ステップＳ１７０１の判断は、たとえば、ＵＥ３１１へのユーザデータの量が閾値を超えたか否かに基づいて行うことができる。ユーザデータの量は、時間当りの量であってもよいし、ＵＥ３１１の一連のユーザデータの総量であってもよい。または、ステップＳ１７０１の判断は、たとえば、ｅＮＢ３２１とＵＥ３１１との間のＬＴＥ−Ａによる通信の遅延時間や、ｅＮＢ３２１とＵＥ３１１との間のＷＬＡＮによる通信の遅延時間などに基づいて行うことができる。
【０１５３】
また、図１７においては、アグリゲーションを行わない場合はＬＴＥ−Ａのみを用いてユーザデータを送信する場合について説明したが、ｅＮＢ３２１は、アグリゲーションを行わない場合はＷＬＡＮのみを用いてユーザデータを送信してもよい。アグリゲーションを行わない場合に、ＬＴＥ−ＡおよびＷＬＡＮのいずれを用いるか否かの判断は、たとえば、ＵＥ３１１またはネットワーク側（たとえばＰＧＷ３３２）からの指示に基づいて行うことができる。または、この判断は、たとえば、ＵＥ３１１へのユーザデータの量が閾値を超えたか否かに基づいて行うことができる。ユーザデータの量は、時間当りの量であってもよいし、ＵＥ３１１の一連のユーザデータの総量であってもよい。または、この判断は、たとえば、ｅＮＢ３２１とＵＥ３１１との間のＬＴＥ−Ａによる通信の遅延時間や、ｅＮＢ３２１とＵＥ３１１との間のＷＬＡＮによる通信の遅延時間などに基づいて行うことができる。
【０１５４】
また、図１７においてはｅＮＢ３２１からＵＥ３１１へユーザデータを送信する下りリンクの場合のｅＮＢ３２１による処理について説明したが、ＵＥ３１１からｅＮＢ３２１へユーザデータを送信する上りリンクの場合のＵＥ３１１による処理も同様である。ただし、ステップＳ１７０４における処理は、ｅＮＢ３２１がＷＬＡＮ通信の機能を有しているか否かによって異なる。ｅＮＢ３２１がＷＬＡＮ通信の機能を有している場合は、ＵＥ３１１は、ＷＬＡＮにより送信するｅＮＢ３２１へのユーザデータをｅＮＢ３２１へ直接送信する。一方、ｅＮＢ３２１がＷＬＡＮ通信の機能を有していない場合は、ＵＥ３１１は、ＷＬＡＮにより送信するｅＮＢ３２１へのユーザデータを、ｅＮＢ３２１と接続されたＷＬＡＮ通信の機能を有するセカンダリｅＮＢ３２３へ転送する。これにより、セカンダリｅＮＢ３２３を介してｅＮＢ３２１へのユーザデータを送信することができる。
【０１５５】
図１８は、実施の形態２にかかる無線通信システムにおいて複数のＥＰＳベアラが同一のＱｏＳクラスを有する場合の一例を示す図である。図１８において、図１４に示した部分と同様の部分については同一の符号を付して説明を省略する。たとえば、ＩＰパケット１４０１，１４０２がともにバックグラウンドのＩＰパケットである場合に、ＴｏＳ値解析分類１４１０において、ＩＰパケット１４０１，１４０２はともにＡＣ１３１４（バックグラウンド）に分類される。
【０１５６】
この場合に、ＵＥ３１１とｅＮＢ３２１との間のＲＲＣにおけるマッピング管理１４２０において、ＨＴＴＰのＩＰパケット１４０１は、ＩＰフローＩＤ＝ＡＣ＝３、ベアラＩＤ＝０として管理される。また、マッピング管理１４２０において、ＦＴＰのＩＰパケット１４０２は、ＩＰフローＩＤ＝ＡＣ＝３、ベアラＩＤ＝１として管理される。
【０１５７】
この場合に、ＵＥ３１１は、ＴｏＳ値解析分類１４１０に対応するＴｏＳ値解析分類１４３０を行っても、受信したＩＰパケット１４０１，１４０２のそれぞれが、ベアラＩＤ＝０，１のいずれのＥＰＳベアラであるかをＡＣに基づいて判断することができない。
【０１５８】
また、ユーザデータをＷＬＡＮで送信する場合に、ＩＰデータグラム（ＰＤＣＰ  ＳＤＵ）にＬＣＩＤを付加することはできない。このため、ｅＮＢ３２１は、受信したＩＰパケット１４０１，１４０２のそれぞれが、ベアラＩＤ＝０，１のいずれのＥＰＳベアラであるかをＬＣＩＤに基づいて判断することができない。
【０１５９】
このように、複数のＥＰＳベアラが同一のＱｏＳクラスを有する場合は、受信側（図１８に示す例ではＵＥ３１１）がＥＰＳベアラを一意に識別することができない場合がある。すなわち、受信側が、受信したラジオベアラをＥＰＳベアラに変換することができない場合がある。特に上りリンクにおいては、ｅＮＢ３２１とＰＧＷ３３２との間のＩＰフローはＥＰＳベアラとして管理されるため、ｅＮＢ３２１がラジオベアラをＥＰＳベアラに変換できない場合はｅＮＢ３２１からＰＧＷ３３２へのＩＰフローの伝送が困難になる。
【０１６０】
これに対して、実施の形態２にかかる無線通信システム３００においては、たとえば、ＵＥ３１１およびｅＮＢ３２１のうちの送信側が、同一のＱｏＳクラスを有するＥＰＳベアラについて同時にアグリゲーションを行わないようにする。
【０１６１】
たとえば、送信側は、同一のＱｏＳクラスを有する複数のＥＰＳベアラをＵＥ３１１へ送信する場合に、その複数のＥＰＳベアラのうちの１個のみについてアグリゲーションを行う。そして、送信側は、残りのＥＰＳベアラはアグリゲーションを行わずにＬＴＥ−ＡによりＵＥ３１１へ送信する。または、送信側は、同一のＱｏＳクラスを有する複数のＥＰＳベアラをＵＥ３１１へ送信する場合は、アグリゲーションを行わずにＬＴＥ−Ａによる送信を行う。これにより、同一のＱｏＳクラスを有する複数のＥＰＳベアラが同時にＷＬＡＮへ転送されないため、ＷＬＡＮへ転送された各ユーザデータについて、ＵＥ３１１がＡＣに基づいてＥＰＳベアラを一意に特定することができる。
【０１６２】
または、ＵＥ３１１およびｅＮＢ３２１のうちの送信側は、同一のＱｏＳクラスを有する複数のＥＰＳベアラをＵＥ３１１へ送信する場合に、その複数のＥＰＳベアラを１つのベアラに集約する処理を行ってもよい。複数のＥＰＳベアラを１つのベアラに集約する処理には、たとえば３ＧＰＰのＴＳ２３．４０１に規定された「ＵＥ  ｒｅｑｕｅｓｔｅｄ  ｂｅａｒｅｒ  ｒｅｓｏｕｒｃｅ  ｍｏｄｉｆｉｃａｔｉｏｎ  ｐｒｏｃｅｄｕｒｅ」を用いることができる。これにより、同一のＱｏＳクラスを有する複数のＥＰＳベアラが同時にＷＬＡＮへ転送されないため、ＷＬＡＮへ転送された各ユーザデータについて、ＵＥ３１１がＡＣに基づいてＥＰＳベアラを一意に特定することができる。
【０１６３】
また、たとえば後述（たとえば図２２〜図２４参照）のように、アウターＩＰレイヤとは別に新規のトンネリングレイヤを設け、該トンネリングレイヤによってベアラごとの識別情報を含むトンネリング用のヘッダをデータに付加することも考えられる。この場合は、ＷＬＡＮへ転送された各ユーザデータについて、ＵＥ３１１が該識別情報を用いてＥＰＳベアラを一意に特定することができる。
【０１６４】
図１９は、実施の形態２において３ＧＰＰプロトコルを用いるアウターＩＰレイヤの実装の一例を示す図である。図１５等に示した例では、アウターＩＰレイヤをＰＤＣＰレイヤの一部として設ける場合について説明したが、図１９に示すプロトコルスタックのように、アウターＩＰレイヤ１９００をＰＤＣＰレイヤ１９０１の下位レイヤとして設けてもよい。
【０１６５】
この場合は、たとえば、ＰＤＣＰレイヤ１９０１は、ＰＤＣＰによる秘匿化等の処理を行ってＰＤＣＰヘッダを付したＰＤＣＰパケットと、ＰＤＣＰによる秘匿化等の処理を行う前のパケットに付加されたＩＰヘッダと、をアウターＩＰレイヤ１９００へ転送する。ＰＤＣＰヘッダは、たとえば２バイトのヘッダである。
【０１６６】
アウターＩＰレイヤ１９００は、ＰＤＣＰレイヤ１９０１から転送されたＰＤＣＰパケットに、ＰＤＣＰレイヤ１９０１から転送されたＩＰヘッダをアウターＩＰヘッダとして付加する。これにより、ＰＤＣＰパケットをトンネリングによってＷＬＡＮ経由で伝送することができる。アウターＩＰヘッダは、たとえばインナーＩＰヘッダと同じ２０バイトのヘッダである。
【０１６７】
図２０は、実施の形態２において３ＧＰＰプロトコルを用いるアウターＩＰレイヤの実装の他の例を示す図である。図２０において、図１９に示した部分と同様の部分については同一の符号を付して説明を省略する。図２０に示すプロトコルスタックのように、アウターＩＰレイヤ１９００をＰＤＣＰレイヤ１９０１およびＲＬＣレイヤ１９０２の下位レイヤとして設けてもよい。
【０１６８】
この場合は、たとえば、ＰＤＣＰレイヤ１９０１は、ＰＤＣＰによる秘匿化等の処理を行ったＰＤＣＰパケットと、ＰＤＣＰによる秘匿化等の処理を行う前のパケットに付加されたＩＰヘッダ（インナーＩＰヘッダ）と、をＲＬＣレイヤ１９０２へ転送する。
【０１６９】
ＲＬＣレイヤ１９０２は、ＰＤＣＰレイヤ１９０１から転送されたＰＤＣＰパケットに対してＲＬＣヘッダを付加し、ＲＬＣヘッダを付加したＲＬＣパケットと、ＰＤＣＰレイヤ１９０１から転送されたＩＰヘッダと、をアウターＩＰレイヤ１９００へ転送する。ＲＬＣヘッダは、たとえば可変長のヘッダである。
【０１７０】
アウターＩＰレイヤ１９００は、ＲＬＣレイヤ１９０２から転送されたＲＬＣパケットに、ＲＬＣレイヤ１９０２から転送されたＩＰヘッダをアウターＩＰヘッダとして付加する。これにより、ＲＬＣパケットをトンネリングによってＷＬＡＮ経由で伝送することができる。このため、トンネリングによってＷＬＡＮ経由で伝送するデータについて、たとえばＲＬＣによる再送制御が可能になる。
【０１７１】
図２１は、実施の形態２において３ＧＰＰプロトコルを用いるアウターＩＰレイヤの実装のさらに他の例を示す図である。図２１において、図２０に示した部分と同様の部分については同一の符号を付して説明を省略する。図２１に示すプロトコルスタックのように、ＰＤＣＰレイヤ１９０１、ＲＬＣレイヤ１９０２およびＭＡＣレイヤ１９０３の下位レイヤとしてアウターＩＰレイヤ１９００を設けてもよい。
【０１７２】
この場合は、ＲＬＣレイヤ１９０２は、ＲＬＣヘッダを付加したＲＬＣパケットと、ＰＤＣＰレイヤ１９０１から転送されたＩＰヘッダと、をＭＡＣレイヤ１９０３へ転送する。ＭＡＣレイヤ１９０３は、ＲＬＣレイヤ１９０２から転送されたＰＤＣＰパケットに対してＭＡＣヘッダを付加し、ＭＡＣヘッダを付加したＭＡＣフレームと、ＲＬＣレイヤ１９０２から転送されたＩＰヘッダと、をアウターＩＰレイヤ１９００へ転送する。ＭＡＣヘッダは、たとえば可変長のヘッダである。
【０１７３】
アウターＩＰレイヤ１９００は、ＭＡＣレイヤ１９０３から転送されたＭＡＣフレームに、ＭＡＣレイヤ１９０３から転送されたＩＰヘッダをアウターＩＰヘッダとして付加する。これにより、ＭＡＣフレームをトンネリングによってＷＬＡＮ経由で伝送することができる。このため、トンネリングによってＷＬＡＮ経由で伝送するデータについて、たとえばＨＡＲＱによる再送制御が可能になる。
【０１７４】
図２２は、実施の形態２において新規トンネリングプロトコルを用いるアウターＩＰレイヤの実装の一例を示す図である。図２２において、図１９に示した部分と同様の部分については同一の符号を付して説明を省略する。図２２に示すように、ＰＤＣＰレイヤ１９０１とアウターＩＰレイヤ１９００との間に新規のトンネリングプロトコルであるトンネリングレイヤ２２０１（ＴＵＮ）を設けてもよい。
【０１７５】
トンネリングレイヤ２２０１は、ＰＤＣＰレイヤ１９０１によってＰＤＣＰヘッダを付加されたＰＤＣＰパケットに対してトンネリング用のヘッダを付加する。また、トンネリングレイヤ２２０１は、たとえば、ベアラの識別情報を含むトンネリング用のヘッダをＰＤＣＰパケットに付加してもよい。アウターＩＰレイヤ１９００は、トンネリングレイヤ２２０１によってトンネリング用のヘッダを付されたパケットに対してアウターＩＰヘッダを付加する。ベアラ識別情報は、たとえば、ベアラのＩＤである。受信局は当該ベアラＩＤを参照することによってＥＰＳベアラを特定することが可能になる。
【０１７６】
図２３は、実施の形態２において新規トンネリングプロトコルを用いるアウターＩＰレイヤの実装の他の例を示す図である。図２３において、図２０または図２２に示した部分と同様の部分については同一の符号を付して説明を省略する。図２３に示すように、ＲＬＣレイヤ１９０２とアウターＩＰレイヤ１９００との間にトンネリングレイヤ２２０１を設けてもよい。トンネリングレイヤ２２０１は、ＲＬＣレイヤ１９０２によってＲＬＣヘッダを付加されたＲＬＣパケットに対してトンネリング用のヘッダを付加する。
【０１７７】
図２４は、実施の形態２において新規トンネリングプロトコルを用いるアウターＩＰレイヤの実装のさらに他の例を示す図である。図２４において、図２１または図２３に示した部分と同様の部分については同一の符号を付して説明を省略する。図２４に示すように、ＭＡＣレイヤ１９０３とアウターＩＰレイヤ１９００との間にトンネリングレイヤ２２０１を設けてもよい。トンネリングレイヤ２２０１は、ＭＡＣレイヤ１９０３によってＭＡＣヘッダを付加されたＭＡＣフレームに対してトンネリング用のヘッダを付加する。
【０１７８】
図１９〜図２４に示したように、アウターＩＰレイヤ１９００を実装する位置は、ＰＤＣＰレイヤ１９０１に限らず、たとえばＰＤＣＰレイヤ１９０１の下位における各位置とすることができる。また、たとえばＲＬＣレイヤ１９０２やＭＡＣレイヤ１９０３とは別にアウターＩＰレイヤ１９００を設ける場合について説明したが、ＲＬＣレイヤ１９０２やＭＡＣレイヤ１９０３の一部としてアウターＩＰレイヤ１９００を設けてもよい。
【０１７９】
このように、実施の形態２によれば、ｅＮＢ３２１およびＵＥ３１１のうちの送信側の局は、ＬＴＥ−ＡとＷＬＡＮを同時に使用するアグリゲーションを行う場合に、ＷＬＡＮにより伝送するＰＤＣＰパケットをアウターＩＰでトンネリングすることができる。これにより、受信側において、ＷＬＡＮにより伝送されたデータをＰＤＣＰパケットとして受信し、ＰＤＣＰのシーケンス番号を用いて、ＬＴＥ−Ａにより受信したパケットと、ＷＬＡＮにより受信したパケットと、の間の順序制御を行うことができる。このため、ＬＴＥ−ＡとＷＬＡＮを同時に用いたデータ伝送が可能になる。
【０１８０】
ＬＴＥ−ＡとＷＬＡＮを同時に用いたデータ伝送が可能になることにより、データの伝送速度の向上を図ることができる。たとえば、ＬＴＥ−ＡとＷＬＡＮのうちのいずれかのみを用いる場合における最大の伝送速度は、ＬＴＥ−Ａの使用時にはＬＴＥ−Ａの最大の伝送速度となり、ＷＬＡＮの使用時にはＷＬＡＮの最大の伝送速度となる。これに対して、ＬＴＥ−ＡとＷＬＡＮを同時に用いる場合における最大の伝送速度は、ＬＴＥ−Ａの最大の伝送速度と、ＷＬＡＮの最大の伝送速度と、の総和となる。
【０１８１】
また、ｅＮＢ３２１およびＵＥ３１１のうちの送信側の局は、ＷＬＡＮにより伝送するＰＤＣＰパケットに、インナーＩＰヘッダのコピーであるアウターＩＰヘッダを付加してトンネリングを行うことができる。これにより、ＷＬＡＮにおいて、各ＩＰパケットのアウターＩＰヘッダに含まれるＴｏＳフィールドが参照可能になる。このため、ＷＬＡＮにより伝送するデータについて、ＴｏＳフィールドに基づくＡＣクラシフィケーションを行い、トラフィックの性質に応じたＱｏＳ制御を行うことができる。
【０１８２】
（実施の形態３）
実施の形態３においては、同一のＱｏＳクラスを有するＥＰＳベアラについて同時にアグリゲーションしないという制約をなくし、アグリゲーション可能なユーザデータの量の増加を図ることができる方法について説明する。なお、実施の形態３は、上述した実施の形態１を具象化した実施例として捉えることができるため、実施の形態１と組み合わせて実施することが可能である。また、実施の形態３は、実施の形態２と共通する部分についても組み合わせて実施することが可能である。
【０１８３】
図２５は、実施の形態３にかかる無線通信システムにおいてＵＬのＴＦＴを用いてＥＰＳベアラを識別する方法の一例を示す図である。図２５において、図１５に示した部分と同様の部分については同一の符号を付して説明を省略する。
【０１８４】
図２５においては、上りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。図２５に示す例では、ＥＰＳベアラ１５００〜１５０ｎは、ＵＥ３１１からｅＮＢ３２１への上り方向のベアラである。すなわち、ＥＰＳベアラ１５００〜１５０ｎの送信元（ｓｒｃ  ＩＰ）はともにＵＥ３１１（ＵＥ）である。ＥＰＳベアラ１５００〜１５０ｎの宛先（ｄｓｔ  ＩＰ）はともにコアネットワーク（ＣＮ）である。
【０１８５】
ＵＥ３１１は、ＥＰＳベアラ１５００〜１５０ｎについてＬＴＥ−ＡとＷＬＡＮを同時に使用するアグリゲーションを行う場合に、ＥＰＳベアラ１５００〜１５０ｎに対してＰＤＣＰレイヤ１５７０〜１５７ｎを経由させる。このとき、ＵＥ３１１は、ＷＬＡＮにより送信するＰＤＣＰパケットに対してアウターＩＰヘッダを付加することによりＰＤＣＰパケットのトンネリングを行う。これにより、ＷＬＡＮにより送信するＰＤＣＰパケットはＩＰパケットとなる。
【０１８６】
ＵＥ３１１は、ＰＤＣＰレイヤ１５７０〜１５７ｎを経由したＥＰＳベアラ１５００〜１５０ｎに対応する各ＩＰパケットに対して、ＩＰパケットのアウターＩＰヘッダに含まれるＴｏＳフィールドに基づくＡＣクラシフィケーション２５１０を行う。ＡＣクラシフィケーション２５１０は、ＵＥ３１１におけるＷＬＡＮ（８０２．１１ｅ）の機能による処理である。
【０１８７】
ＡＣクラシフィケーション２５１０によって分類された各ＩＰパケットは、ＷＬＡＮ１５５０を介してｅＮＢ３２１へ送信される。ｅＮＢ３２１は、ＷＬＡＮ１５５０を介して受信した各ＩＰパケットに対して、ＩＰパケットのアウターＩＰヘッダに含まれるＴｏＳフィールドに基づくＡＣデクラシフィケーション２５２０を行う。ＡＣデクラシフィケーション２５２０は、ｅＮＢ３２１におけるＷＬＡＮ（８０２．１１ｅ）の機能による処理である。
【０１８８】
また、ＵＥ３１１は、ＥＰＳベアラ１５００〜１５０ｎのそれぞれにおけるＬＴＥ−Ａにより伝送するパケットに対してはアウターＩＰヘッダを付加せずに、ＲＬＣ、ＭＡＣ、ＰＨＹの順に処理してＬＴＥ−ＡによりｅＮＢ３２１へ無線送信する。ｅＮＢ３２１は、ＬＴＥ−ＡによりＵＥ３１１から送信されたパケットを、ＰＨＹ、ＭＡＣ、ＲＬＣ、ＰＤＣＰ（ＰＤＣＰレイヤ１５７０〜１５７ｎ）により処理することによって受信する。
【０１８９】
ｅＮＢ３２１は、ＡＣデクラシフィケーション２５２０によって受信した各ＩＰパケットに対して、ＵＬ（上りリンク）のＴＦＴに基づくパケットフィルタリング２５３０を行う。パケットフィルタリング２５３０においては、各ＩＰパケットが、ＴＦＴに対応する各条件（ｆ１〜ｆ３）を満たすか否か（ｍａｔｃｈ／ｎｏ）によってフィルタリングされる。そして、このフィルタリングの結果に応じてＥＰＳベアラを識別するＥＰＳベアラクラシフィケーション２５３１が行われる。これにより、ＷＬＡＮへ転送された各ＩＰパケットに対応するＥＰＳベアラが識別される。ｅＮＢ３２１におけるＵＬのＴＦＴの取得方法については後述する（たとえば図２７参照）。
【０１９０】
ｅＮＢ３２１は、ＥＰＳベアラクラシフィケーション２５３１による識別結果に基づいて、各ＩＰパケットを、ＰＤＣＰレイヤ１５１０〜１５１ｎのうちのＩＰパケットのＥＰＳベアラに対応するＰＤＣＰレイヤへ転送する。これにより、ＷＬＡＮへ転送された各ＩＰパケット（ＩＰフロー）は、それぞれ対応するＥＰＳベアラに変換されてＰＤＣＰレイヤ１５１０〜１５１ｎへ転送される。
【０１９１】
ｅＮＢ３２１は、ＷＬＡＮにより受信した各ＩＰパケットに付されたアウターＩＰヘッダを除去することによりＰＤＣＰパケットを得る。そして、ｅＮＢ３２１は、ＷＬＡＮにより受信したＰＤＣＰパケットと、ＬＴＥ−Ａにより受信したＰＤＣＰパケットと、の間の順序制御を、各ＰＤＣＰパケットのヘッダに含まれるシーケンス番号に基づいて行う。これにより、ｅＮＢ３２１は、ＷＬＡＮにより受信したＰＤＣＰパケットと、ＬＴＥ−Ａにより受信したＰＤＣＰパケットと、を正しい順序に並べ、ｅＮＢ３２１がＬＴＥ−ＡとＷＬＡＮに分割して送信したデータを受信することができる。
【０１９２】
このように、ｅＮＢ３２１は、ＷＬＡＮへ転送された各ＩＰパケットに対してＵＬのＴＦＴに基づくパケットフィルタリング２５３０を行うことにより、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０１９３】
図２６は、実施の形態３にかかる無線通信システムにおいてＵＬのＴＦＴを用いてＥＰＳベアラを識別する方法の他の例を示す図である。図２６において、図１５または図２５に示した部分と同様の部分については同一の符号を付して説明を省略する。
【０１９４】
図２６においては、上りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、たとえばＥＰＳベアラごとのＧＴＰトンネル１５２０〜１５２ｎが設定される。
【０１９５】
セカンダリｅＮＢ３２３は、ＵＥ３１１からＷＬＡＮ１５５０を介して送信された各ＩＰパケットを受信する。そして、セカンダリｅＮＢ３２３は、受信した各ＩＰパケットに対して、図２５に示した例と同様のＡＣデクラシフィケーション２５２０およびパケットフィルタリング２５３０を行う。これにより、各ＩＰパケットについてパケットフィルタリング２５３０におけるＥＰＳベアラクラシフィケーション２５３１が行われ、各ＩＰパケットに対応するＥＰＳベアラが識別される。
【０１９６】
セカンダリｅＮＢ３２３は、ＥＰＳベアラクラシフィケーション２５３１による識別結果に基づいて、各ＩＰパケットを、ＧＴＰトンネル１５２０〜１５２ｎのうちの、ＩＰパケットのＥＰＳベアラに対応するＧＴＰトンネルへ転送する。これにより、各ＩＰパケットが、ｅＮＢ３２１のＰＤＣＰレイヤ１５１０〜１５１ｎのうちの対応するＰＤＣＰレイヤへ転送される。
【０１９７】
このように、セカンダリｅＮＢ３２３は、ＷＬＡＮへ転送された各ＩＰパケットに対してＵＬのＴＦＴに基づくパケットフィルタリング２５３０を行うことにより、ＷＬＡＮへ転送された各ＩＰパケットのＥＰＳベアラを識別することができる。そして、セカンダリｅＮＢ３２３がＥＰＳベアラの識別結果に応じて各ＩＰパケットをＧＴＰトンネル１５２０〜１５２ｎにより転送することにより、ｅＮＢ３２１は、ＷＬＡＮへ転送された各ＩＰパケットをＥＰＳベアラとして受信することができる。
【０１９８】
このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０１９９】
図２７は、実施の形態３にかかる無線通信システムにおけるＴＦＴの取得方法の一例を示す図である。図２７に示す各ステップは、３ＧＰＰのＴＳ２３．４０１に規定された「Ｄｅｄｉｃａｔｅｄ  Ｂｅａｒｅｒ  Ａｃｔｉｖａｔｉｏｎ  Ｐｒｏｃｅｄｕｒｅ」の処理である。図２７に示すＰＣＲＦ２７０１（Ｐｏｌｉｃｙ  ａｎｄ  Ｃｈａｒｇｉｎｇ  Ｒｕｌｅｓ  Ｆｕｎｃｔｉｏｎ）は、パケットコア網３３０に接続された、サービスに応じた優先制御や課金のルールを設定するための処理部である。
【０２００】
たとえば、ＰＧＷ３３２は、ＵＥ３１１についてＵＬおよびＤＬのＴＦＴを設定し、設定したＴＦＴを、図２７に示すクリエイトベアラリクエスト２７０２に格納してＳＧＷ３３１へ送信する。ＳＧＷ３３１は、ＰＧＷ３３２から送信されたクリエイトベアラリクエスト２７０２をＭＭＥ３３３へ送信する。
【０２０１】
ＭＭＥ３３３は、ＳＧＷ３３１から送信されたクリエイトベアラリクエスト２７０２に含まれるＴＦＴを含むベアラセットアップリクエスト／セッションマネジメントリクエスト２７０３をｅＮＢ３２１へ送信する。ＴＦＴは、たとえばベアラセットアップリクエスト／セッションマネジメントリクエスト２７０３におけるセッションマネジメントリクエストに含まれる。これにより、ｅＮＢ３２１は、ＵＬおよびＤＬのＴＦＴを取得することができる。
【０２０２】
ｅＮＢ３２１は、ＭＭＥ３３３から送信されたベアラセットアップリクエスト／セッションマネジメントリクエスト２７０３に含まれるＴＦＴのうちのＵＬのＴＦＴを含むＲＲＣコネクションリコンフィギュレーション２７０４をＵＥ３１１へ送信する。これにより、ＵＥ３１１は、ＵＬのＴＦＴを取得することができる。なお、ＵＬ  ＴＦＴはＲＲＣコネクションリコンフィギュレーションメッセージ中に規定することは可能であるが、好ましくは、当該メッセージ中で伝送されるＮＡＳ（Ｎｏｎ  Ａｃｃｅｓｓ  Ｓｔｒａｔｕｍ）  ＰＤＵに規定する。以降も同様である。
【０２０３】
たとえば図２５に示した例において、ｅＮＢ３２１は、ベアラセットアップリクエスト／セッションマネジメントリクエスト２７０３から取得したＵＬのＴＦＴを用いてパケットフィルタリング２５３０を行うことができる。また、図２６に示した例において、ｅＮＢ３２１は、ベアラセットアップリクエスト／セッションマネジメントリクエスト２７０３から取得したＵＬのＴＦＴをセカンダリｅＮＢ３２３へ送信する。そして、セカンダリｅＮＢ３２３は、ｅＮＢ３２１から送信されたＵＬのＴＦＴに基づいてパケットフィルタリング２５３０を行うことができる。
【０２０４】
図２８は、実施の形態３にかかる無線通信システムにおいてＤＬのＴＦＴを用いてＥＰＳベアラを識別する方法の一例を示す図である。図２８において、図１５に示した部分と同様の部分については同一の符号を付して説明を省略する。
【０２０５】
図２８においては、下りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。図２８に示す例では、ＥＰＳベアラ１５００〜１５０ｎは、ｅＮＢ３２１からＵＥ３１１への下り方向のベアラである。
【０２０６】
ＵＥ３１１は、ＡＣデクラシフィケーション１５６０によって受信した各ＩＰパケットに対して、ＤＬ（下りリンク）のＴＦＴに基づくパケットフィルタリング２８１０を行う。ＵＥ３１１によるパケットフィルタリング２８１０は、ＤＬのＴＦＴに基づく処理であるため、たとえば図８に示したＰＧＷ３３２におけるフィルタレイヤ８１１によるパケットフィルタリングと同様の処理である。
【０２０７】
パケットフィルタリング２８１０においては、各ＩＰパケットが、ＴＦＴに対応する各条件（ｆ１〜ｆ３）を満たすか否か（ｍａｔｃｈ／ｎｏ）によってフィルタリングされる。そして、このフィルタリングの結果に応じてＥＰＳベアラを識別するＥＰＳベアラクラシフィケーション２８１１が行われる。これにより、ＷＬＡＮへ転送された各ＩＰパケットに対応するＥＰＳベアラが識別される。
【０２０８】
たとえば、ｅＮＢ３２１は、図２７に示したＵＥ３１１へのＲＲＣコネクションリコンフィギュレーション２７０４に、ＵＬのＴＦＴに加えてＤＬのＴＦＴも格納する。これにより、ＵＥ３１１は、ＲＲＣコネクションリコンフィギュレーション２７０４からＤＬのＴＦＴを取得し、取得したＤＬのＴＦＴに基づくパケットフィルタリング２８１０を行うことができる。
【０２０９】
ＵＥ３１１は、ＥＰＳベアラクラシフィケーション２８１１による識別結果に基づいて、各ＩＰパケットを、ＰＤＣＰレイヤ１５７０〜１５７ｎのうちのＩＰパケットのＥＰＳベアラに対応するＰＤＣＰレイヤへ転送する。これにより、ＷＬＡＮへ転送された各ＩＰパケット（ＩＰフロー）は、それぞれ対応するＥＰＳベアラに変換されてＰＤＣＰレイヤ１５７０〜１５７ｎへ転送される。
【０２１０】
このように、ＵＥ３１１は、ＷＬＡＮへ転送された各ＩＰパケットに対してＤＬのＴＦＴに基づくパケットフィルタリング２８１０を行うことにより、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２１１】
図２９は、実施の形態３にかかる無線通信システムにおいてＤＬのＴＦＴを用いてＥＰＳベアラを識別する方法の他の例を示す図である。図２９において、図１５または図２８に示した部分と同様の部分については同一の符号を付して説明を省略する。
【０２１２】
図２９においては、下りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、ＥＰＳベアラごとのＧＴＰトンネル１５２０〜１５２ｎが設定される。
【０２１３】
セカンダリｅＮＢ３２３は、ＵＥ３１１からＷＬＡＮ１５５０を介して送信された各ＩＰパケットを受信する。そして、セカンダリｅＮＢ３２３は、受信した各ＩＰパケットをＰＤＣＰレイヤ１５７０〜１５７ｎへ転送する。
【０２１４】
これにより、図２８に示した例と同様に、ＵＥ３１１は、ＷＬＡＮへ転送された各ＩＰパケットに対してＤＬのＴＦＴに基づくパケットフィルタリング２８１０を行うことにより、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２１５】
図２５〜図２９に示したＴＦＴを用いた方法によれば、たとえばＶＬＡＮタグを用いる場合のようにＷＬＡＮへ転送可能なＥＰＳベアラの数がＶＬＡＮタグのビット数に制限されずにＥＰＳベアラを識別可能である。また、図２５〜図２９に示したＴＦＴを用いた方法によれば、ＷＬＡＮへ転送されたユーザデータにＶＬＡＮタグ等のヘッダを追加しなくてもＥＰＳベアラを識別可能である。
【０２１６】
図３０は、実施の形態３にかかる無線通信システムにおいて仮想ＩＰフローを用いてＥＰＳベアラを識別する方法の一例を示す図である。図３０において、図１５に示した部分と同様の部分については同一の符号を付して説明を省略する。
【０２１７】
図３０においては、下りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。図３０に示す例では、ＥＰＳベアラ１５００〜１５０ｎは、ｅＮＢ３２１からＵＥ３１１への下り方向のベアラである。
【０２１８】
また、図３０に示す例では、ｅＮＢ３２１におけるＰＤＣＰレイヤ１５１０〜１５１ｎとＷＬＡＮ１５５０との間に仮想ＧＷ３０１０が設定される。仮想ＧＷ３０１０には、ＮＡＴ処理部３０２０〜３０２ｎおよびＭＡＣ処理部３０３０（８０２．３  ＭＡＣ）が含まれる。また、ＵＥ３１１におけるＷＬＡＮ１５５０とＰＤＣＰレイヤ１５７０〜１５７ｎとの間に仮想ＧＷ３０４０が設定される。仮想ＧＷ３０４０には、ＭＡＣ処理部３０５０（８０２．３  ＭＡＣ）およびｄｅ−ＮＡＴ処理部３０６０〜３０６ｎが含まれる。
【０２１９】
ＰＤＣＰレイヤ１５１０〜１５１ｎを経由したＥＰＳベアラ１５００〜１５０ｎは、仮想ＧＷ３０１０のＮＡＴ処理部３０２０〜３０２ｎへ転送される。ＮＡＴ処理部３０２０〜３０２ｎは、それぞれＥＰＳベアラ１５００〜１５０ｎを、仮想宛先ＩＰアドレスによって仮想ＩＰフローに分類するＮＡＴ（Ｎｅｔｗｏｒｋ  Ａｄｄｒｅｓｓ  Ｔｒａｎｓｌａｔｉｏｎ）処理を行う。仮想ＩＰフローは、たとえばｅＮＢ３２１とＵＥ３１１との間のローカルな仮想データフローである。仮想宛先ＩＰアドレスは、仮想ＩＰフローの宛先アドレスである。ＮＡＴ処理部３０２０〜３０２ｎは、分類した各仮想ＩＰフローをＭＡＣ処理部３０３０へ転送する。
【０２２０】
たとえば、ＮＡＴ処理部３０２０〜３０２ｎは、ＥＰＳベアラ１５００〜１５０ｎと仮想宛先ＩＰアドレスを一対一でマッピングする。ＮＡＴ処理部３０２０〜３０２ｎから転送される各仮想ＩＰフローの仮想送信元ＩＰアドレス（ｓｒｃ  ＩＰ）は、たとえば仮想ＧＷ３０１０（ｖＧＷ）とすることができる。また、ＮＡＴ処理部３０２０〜３０２ｎから転送される各仮想ＩＰフローの仮想宛先ＩＰアドレス（ｄｓｔ  ＩＰ）は、たとえばそれぞれＣ−ＲＮＴＩ＋０〜Ｃ−ＲＮＴＩ＋ｎとすることができる。
【０２２１】
なお、仮想宛先ＩＰアドレスはたとえばＣ−ＲＮＴＩから算出可能であるが、これには限らない。たとえば、呼の設定時やＬＴＥ−ＷＬＡＮアグリゲーション設定時などに、事前に、ｅＮＢ３２１（マスタｅＮＢ）によるＲＲＣシグナリングによって、ＥＰＳベアラ識別子とＩＰアドレスの対応付けをＵＥ３１１（移動局）に通知してもよい。
【０２２２】
Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ：セル無線ネットワーク一時識別子）は、ＵＥ３１１に一時的に割り当てられ、ＬＴＥ−Ａセル内でＵＥ３１１の一意な識別子である。たとえば、Ｃ−ＲＮＴＩは１６ビットの値を有する。図３０に示す例のように、Ｃ−ＲＮＴＩとベアラ識別子（０〜ｎ）を加算して仮想送信元ＩＰアドレスを生成することで、仮想送信元ＩＰアドレスの重複の発生を回避することができる。たとえば、クラスＡのＩＰアドレスを使用する場合に、ＷＬＡＮによる伝送に十分となる約２４ビット分のＥＰＳベアラを識別可能になる。ここではＣ−ＲＮＴＩとベアラ識別子を加算して仮想送信元ＩＰアドレスを生成する場合について説明したが、仮想送信元ＩＰアドレスを生成する方法についてはこれに限らない。
【０２２３】
ＭＡＣ処理部３０３０は、ＮＡＴ処理部３０２０〜３０２ｎから転送された各仮想ＩＰフローをイーサネットやＩＥＥＥ  ８０２．３等のＭＡＣフレームに変換する。この場合に、ＭＡＣフレームの送信元ＭＡＣアドレス（ｓｒｃ  ＭＡＣ）は、たとえば仮想ＧＷ３０１０，３０４０における任意のプライベートアドレス（ａｎｙ  ｐｒｉｖａｔｅ）とすることができる。たとえばＭＡＣフレームの送信元ＭＡＣアドレスは、先頭のオクテットを「ｘｘｘｘｘｘ１０」としたアドレス（ｘは任意の値）とすることができる。また、ＭＡＣフレームの宛先ＭＡＣアドレス（ｄｓｔ  ＭＡＣ）はたとえばＵＥ３１１のＭＡＣアドレス（ＵＥ  ＭＡＣ）とすることができる。
【０２２４】
ｅＮＢ３２１は、ＭＡＣ処理部３０３０によって変換されたＭＡＣフレームに対してＡＣクラシフィケーション１５４０を行い、ＡＣクラシフィケーション１５４０を行ったＭＡＣフレームを、ＷＬＡＮ１５５０を介してＵＥ３１１へ送信する。
【０２２５】
ＵＥ３１１は、ＷＬＡＮ１５５０を介してｅＮＢ３２１から受信したＭＡＣフレームに対してＡＣデクラシフィケーション１５６０を行う。仮想ＧＷ３０４０のＭＡＣ処理部３０５０は、ＡＣデクラシフィケーション１５６０が行われたＭＡＣフレームを仮想ＩＰフローとして受信する。
【０２２６】
ｄｅ−ＮＡＴ処理部３０６０〜３０６ｎは、ＭＡＣ処理部３０５０によって受信された仮想ＩＰフローについて、仮想ＩＰフローの仮想宛先ＩＰアドレス（ｄｓｔ  ＩＰ）を参照することにより、仮想ＩＰフローをＥＰＳベアラに変換する。このとき、仮想ＩＰフローの仮想宛先ＩＰアドレスは、ｄｅ−ＮＡＴ処理部３０６０〜３０６ｎによるｄｅ−ＮＡＴによって本来のＩＰアドレスに変換される。
【０２２７】
このように、ｅＮＢ３２１およびＵＥ３１１にそれぞれ仮想ＧＷ３０１０，３０４０を設定し、ＮＡＴを利用することで、仮想ＧＷ３０１０，３０４０においてＥＰＳベアラを仮想ＩＰフローとして識別することができる。ＩＰアドレスとＭＡＣアドレスは、プライベート空間のアドレスで構成することができる。このように仮想ＧＷ３０１０，３０４０の間で仮想ＩＰネットワークを構築することで、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２２８】
図３０においては下りリンクについて説明したが、上りリンクについても同様の方法によりＥＰＳベアラを識別することができる。すなわち、ｅＮＢ３２１およびＵＥ３１１に設定した仮想ＧＷ３０１０，３０４０の間で仮想ＩＰネットワークを構築することで、上りリンクにおいてＷＬＡＮへ転送された各ＩＰパケットのＥＰＳベアラを識別することができる。
【０２２９】
図３１は、実施の形態３にかかる無線通信システムにおいて仮想ＩＰフローを用いてＥＰＳベアラを識別する方法の他の例を示す図である。図３１において、図１５または図３０に示した部分と同様の部分については同一の符号を付して説明を省略する。
【０２３０】
図３１においては、下りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、ＥＰＳベアラごとのＧＴＰトンネル１５２０〜１５２ｎが設定される。
【０２３１】
図３０に示したＮＡＴ処理部３０２０〜３０２ｎは、図３１に示す例ではセカンダリｅＮＢ３２３に設定される。セカンダリｅＮＢ３２３は、ＵＥ３１１からＷＬＡＮ１５５０を介して送信された各ＩＰパケットを受信する。また、セカンダリｅＮＢ３２３は、受信した各ＩＰパケットを仮想ＧＷ３０１０のＮＡＴ処理部３０２０〜３０２ｎへ転送する。
【０２３２】
これにより、図３０に示した例と同様に、仮想ＧＷ３０１０，３０４０においてＥＰＳベアラを仮想ＩＰフローとして識別可能になる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２３３】
図３１においては下りリンクについて説明したが、上りリンクについても同様の方法によりＥＰＳベアラを識別することができる。すなわち、セカンダリｅＮＢ３２３およびＵＥ３１１に設定した仮想ＧＷ３０１０，３０４０の間で仮想ＩＰネットワークを構築することで、上りリンクにおいてＷＬＡＮへ転送された各ＩＰパケットのＥＰＳベアラを識別することができる。
【０２３４】
図３０，図３１に示した仮想ＩＰフローを用いた方法によれば、たとえばＶＬＡＮタグを用いる場合のようにＷＬＡＮへ転送可能なＥＰＳベアラの数がＶＬＡＮタグのビット数に制限されずにＥＰＳベアラを識別可能である。また、図３０，図３１に示した仮想ＩＰフローを用いた方法によれば、ｅＮＢ３２１とセカンダリｅＮＢ３２３との間は、ＧＴＰトンネルに限らずイーサネット等により接続することも可能である。
【０２３５】
また、図３０，図３１に示した仮想ＩＰフローを用いた方法によれば、ＵＥ３１１にＤＬのＴＦＴを設定したり、ｅＮＢ３２１にＵＬのＴＦＴを設定したりしなくても、ＥＰＳベアラを識別可能である。また、図３０，図３１に示した仮想ＩＰフローを用いた方法によれば、ＷＬＡＮへ転送されたユーザデータにＶＬＡＮタグ等のヘッダを追加しなくてもＥＰＳベアラを識別可能である。
【０２３６】
図３２は、実施の形態３にかかる無線通信システムにおいてＶＬＡＮを用いてＥＰＳベアラを識別する方法の一例を示す図である。図３２において、図１５または図３０に示した部分と同様の部分については同一の符号を付して説明を省略する。図３０においては仮想ＩＰネットワークを構築することによりＥＰＳベアラを識別する方法について説明したが、図３２においてはイーサネットを仮想化するＶＬＡＮによりＥＰＳベアラを識別する方法について説明する。
【０２３７】
また、図３２においては、下りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。この場合に、ＥＰＳベアラ１５００〜１５０ｎは、ｅＮＢ３２１からＵＥ３１１への下り方向のベアラである。
【０２３８】
図３２に示す例においては、図３０に示した例と同様にｅＮＢ３２１およびＵＥ３１１にそれぞれ仮想ＧＷ３０１０，３０４０が設定される。ただし、図３２に示す例においては、ｅＮＢ３２１の仮想ＧＷ３０１０には、ＶＬＡＮ処理部３２１０〜３２１ｎおよびＭＡＣ処理部３２２０〜３２２ｎ（８０２．３  ＭＡＣ）が含まれる。また、ＵＥ３１１の仮想ＧＷ３０４０には、ＭＡＣ処理部３２３０〜３２３ｎ（８０２．３  ＭＡＣ）およびｄｅ−ＶＬＡＮ処理部３２４０〜３２４ｎが含まれる。
【０２３９】
ＰＤＣＰレイヤ１５１０〜１５１ｎを経由したＥＰＳベアラ１５００〜１５０ｎは、仮想ＧＷ３０１０のＶＬＡＮ処理部３２１０〜３２１ｎへ転送される。ＶＬＡＮ処理部３２１０〜３２１ｎは、それぞれＥＰＳベアラ１５００〜１５０ｎを、ｅＮＢ３２１とＵＥ３１１との間のローカルなＩＰフローにＶＬＡＮによって分類し、分類した各ＩＰフローをＭＡＣ処理部３２２０〜３２２ｎへ転送する。
【０２４０】
たとえば、ＶＬＡＮ処理部３２１０〜３２１ｎは、ＥＰＳベアラ１５００〜１５０ｎとＶＬＡＮタグを一対一でマッピングする。ＶＬＡＮ処理部３２１０〜３２１ｎから転送される各ＩＰフローのＶＬＡＮの識別子は、それぞれ０〜ｎとすることができる。
【０２４１】
ＭＡＣ処理部３２２０〜３２２ｎは、それぞれＶＬＡＮ処理部３２１０〜３２１ｎから転送された各ＩＰフローをイーサネットやＩＥＥＥ  ８０２．３等のＭＡＣフレームに変換する。ＭＡＣ処理部３２２０〜３２２ｎによって変換される各ＭＡＣフレームの送信元ＭＡＣアドレス（ｓｒｃ  ＭＡＣ）は、たとえば仮想ＧＷ３０１０，３０４０における任意のプライベートアドレス（ａｎｙ  ｐｒｉｖａｔｅ）とすることができる。たとえば、ＭＡＣフレームの送信元ＭＡＣアドレスは、先頭のオクテットを「ｘｘｘｘｘｘ１０」としたアドレス（ｘは任意の値）とすることができる。また、ＭＡＣ処理部３２２０〜３２２ｎによって変換される各ＭＡＣフレームの宛先ＭＡＣアドレス（ｄｓｔ  ＭＡＣ）は、たとえばＵＥ３１１のＭＡＣアドレス（ＵＥ  ＭＡＣ）とすることができる。
【０２４２】
また、ＭＡＣ処理部３２２０〜３２２ｎによって変換される各ＭＡＣフレームのＶＬＡＮタグ（ＶＬＡＮ  ｔａｇ）は、たとえばそれぞれのＥＰＳベアラに対応する０〜ｎとすることができる。このように、各ＭＡＣフレームには、ＥＰＳベアラごとのＶＬＡＮタグが付加される。ＶＬＡＮタグは、たとえば１２ビットのタグである。このため、最大で４０９４個のＶＬＡＮを仮想ＧＷ３０１０，３０４０の間で構築することが可能である。仮に、ＵＥ３１１を含む各ＵＥが全てのＥＰＳベアラを張っており、全てのＥＰＳベアラをＷＬＡＮへ転送すると、約４７２局のＵＥをＷＬＡＮに収容することが可能である。ただし、実際に全てのＥＰＳベアラを張って通信を行う可能性は低いため、ＶＬＡＮを用いることで十分な数のＥＰＳベアラをＷＬＡＮへ転送することが可能である。
【０２４３】
ｅＮＢ３２１は、ＭＡＣ処理部３２２０〜３２２ｎによって変換されたＶＬＡＮタグ付きのＭＡＣフレームに対してＡＣクラシフィケーション１５４０を行う。そして、ｅＮＢ３２１は、ＡＣクラシフィケーション１５４０を行ったＶＬＡＮタグ付きのＭＡＣフレームを、ＷＬＡＮ１５５０を介してＵＥ３１１へ送信する。
【０２４４】
ＵＥ３１１は、ＷＬＡＮ１５５０を介してｅＮＢ３２１から受信したＶＬＡＮタグ付きのＭＡＣフレームに対してＡＣデクラシフィケーション１５６０を行う。仮想ＧＷ３０４０のＭＡＣ処理部３２３０〜３２３ｎは、それぞれＥＰＳベアラ１５００〜１５０ｎに対応するＭＡＣ処理部である。ＭＡＣ処理部３２３０〜３２３ｎのそれぞれは、ＡＣデクラシフィケーション１５６０が行われたＭＡＣフレームについて、ＭＡＣフレームに付されたＶＬＡＮタグを参照することにより、対応するＥＰＳベアラのＭＡＣフレームをＩＰフローとして受信する。
【０２４５】
ｄｅ−ＶＬＡＮ処理部３２４０〜３２４ｎは、それぞれＭＡＣ処理部３２３０〜３２３ｎによって受信されたＩＰフローをＥＰＳベアラ１５００〜１５０ｎに変換する。ＰＤＣＰレイヤ１５７０〜１５７ｎは、それぞれｄｅ−ＶＬＡＮ処理部３２４０〜３２４ｎによって変換されたＥＰＳベアラ１５００〜１５０ｎを処理する。
【０２４６】
このように、仮想ＧＷ３０１０，３０４０の間においてＥＰＳベアラごとにＶＬＡＮを設定することで、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２４７】
図３２においては下りリンクについて説明したが、上りリンクについても同様の方法によりＥＰＳベアラを識別することができる。すなわち、ｅＮＢ３２１およびＵＥ３１１に設定した仮想ＧＷ３０１０，３０４０の間においてＥＰＳベアラごとにＶＬＡＮを設定することで、上りリンクにおいてＷＬＡＮへ転送された各ＩＰパケットのＥＰＳベアラを識別することができる。
【０２４８】
図３３は、実施の形態３にかかる無線通信システムにおいてＶＬＡＮを用いてＥＰＳベアラを識別する方法の他の例を示す図である。図３３において、図１５または図３２に示した部分と同様の部分については同一の符号を付して説明を省略する。
【０２４９】
図３３においては、下りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、ＥＰＳベアラごとのＧＴＰトンネル１５２０〜１５２ｎが設定される。
【０２５０】
図３２に示したＶＬＡＮ処理部３２１０〜３２１ｎは、図３３に示す例ではセカンダリｅＮＢ３２３に設定される。セカンダリｅＮＢ３２３は、ＵＥ３１１からＷＬＡＮ１５５０を介して送信された各ＩＰパケットを受信する。そして、セカンダリｅＮＢ３２３は、受信した各ＩＰパケットを仮想ＧＷ３０１０のＶＬＡＮ処理部３２１０〜３２１ｎへ転送する。
【０２５１】
これにより、図３２に示した例と同様に、仮想ＧＷ３０１０，３０４０においてＥＰＳベアラを仮想ＩＰフローとして識別可能になる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２５２】
図３３においては下りリンクについて説明したが、上りリンクについても同様の方法によりＥＰＳベアラを識別することができる。すなわち、セカンダリｅＮＢ３２３およびＵＥ３１１に設定した仮想ＧＷ３０１０，３０４０の間にＥＰＳベアラごとにＶＬＡＮを設定することで、上りリンクにおいてＷＬＡＮへ転送された各ＩＰパケットのＥＰＳベアラを識別することができる。
【０２５３】
図３２，図３３に示したＶＬＡＮを用いた方法によれば、ｅＮＢ３２１とセカンダリｅＮＢ３２３との間は、ＧＴＰトンネルに限らずイーサネット等により接続することも可能である。また、図３２，図３３に示したＶＬＡＮを用いた方法によれば、ＷＬＡＮにおいて、ＩＰヘッダを参照したパケットの処理を行わなくても、ＶＬＡＮタグの付加によって各ＩＰパケットのＥＰＳベアラを識別することができる。また、図３２，図３３に示したＶＬＡＮを用いた方法によれば、ＵＥ３１１にＤＬのＴＦＴを設定したり、ｅＮＢ３２１にＵＬのＴＦＴを設定したりしなくてもＥＰＳベアラを識別可能である。
【０２５４】
図３４は、実施の形態３にかかる無線通信システムにおいてＧＲＥトンネリングを用いてＥＰＳベアラを識別する方法の一例を示す図である。図３４において、図１５または図３０に示した部分と同様の部分については同一の符号を付して説明を省略する。
【０２５５】
図３４においては、下りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。図３４に示す例では、ＥＰＳベアラ１５００〜１５０ｎは、ｅＮＢ３２１からＵＥ３１１への下り方向のベアラである。
【０２５６】
また、図３４に示す例では、ｅＮＢ３２１におけるＰＤＣＰレイヤ１５１０〜１５１ｎとＷＬＡＮ１５５０との間に仮想ＧＷ３０１０が設定される。仮想ＧＷ３０１０には、ＧＲＥ処理部３４１０〜３４１ｎおよびＭＡＣ処理部３０３０（８０２．３  ＭＡＣ）が含まれる。また、ＵＥ３１１におけるＷＬＡＮ１５５０とＰＤＣＰレイヤ１５７０〜１５７ｎとの間に仮想ＧＷ３０４０が設定される。仮想ＧＷ３０４０には、ＭＡＣ処理部３０５０（８０２．３  ＭＡＣ）およびｄｅ−ＧＲＥ処理部３４２０〜３４２ｎが含まれる。
【０２５７】
ＰＤＣＰレイヤ１５１０〜１５１ｎを経由したＥＰＳベアラ１５００〜１５０ｎは、仮想ＧＷ３０１０のＧＲＥ処理部３４１０〜３４１ｎへ転送される。ＧＲＥ処理部３４１０〜３４１ｎは、それぞれＥＰＳベアラ１５００〜１５０ｎを、ｅＮＢ３２１とＵＥ３１１との間のローカルなＩＰフローにＧＲＥ（Ｇｅｎｅｒｉｃ  Ｒｏｕｔｉｎｇ  Ｅｎｃａｐｓｕｌａｔｉｏｎ）トンネリングを用いて分類し、分類した各ＩＰフローをＭＡＣ処理部３０３０へ転送する。
【０２５８】
たとえば、ＧＲＥ処理部３４１０〜３４１ｎは、ＥＰＳベアラ１５００〜１５０ｎに対応するＩＰパケットに対して、ＧＲＥヘッダを付加し、さらにＩＰヘッダを付加してＩＰフローとしてＭＡＣ処理部３０３０へ転送する。ＧＲＥ処理部３４１０〜３４１ｎから転送される各ＩＰフローの送信元ＩＰアドレス（ｓｒｃ  ＩＰ）は、たとえば仮想ＧＷ３０１０（ｖＧＷ）とすることができる。また、ＧＲＥ処理部３４１０〜３４１ｎから転送される各ＩＰフローの宛先ＩＰアドレス（ｄｓｔ  ＩＰ）は、たとえばそれぞれＣ−ＲＮＴＩ＋０〜Ｃ−ＲＮＴＩ＋ｎとすることができる。
【０２５９】
ＭＡＣ処理部３０３０は、たとえば図３０に示した例と同様に、ＧＲＥ処理部３４１０〜３４１ｎから転送された各ＩＰフローをイーサネット（ＩＥＥＥ  ８０２．３）のＭＡＣフレームに変換する。
【０２６０】
ｅＮＢ３２１は、ＭＡＣ処理部３０３０によって変換されたＭＡＣフレームに対してＡＣクラシフィケーション１５４０を行い、ＡＣクラシフィケーション１５４０を行ったＭＡＣフレームを、ＷＬＡＮ１５５０を介してＵＥ３１１へ送信する。これにより、ｅＮＢ３２１は、ｅＮＢ３２１とＵＥ３１１との間に設定したＷＬＡＮのＧＲＥトンネル（カプセル化トンネル）でユーザデータを伝送することができる。
【０２６１】
ＵＥ３１１は、ＷＬＡＮ１５５０を介してｅＮＢ３２１から受信したＭＡＣフレームに対してＡＣデクラシフィケーション１５６０を行う。仮想ＧＷ３０４０のＭＡＣ処理部３０５０は、たとえば図３０に示した例と同様に、ＡＣデクラシフィケーション１５６０が行われたＭＡＣフレームをＩＰフローとして受信する。
【０２６２】
ｄｅ−ＧＲＥ処理部３４２０〜３４２ｎは、ＭＡＣ処理部３０５０によって受信されたＩＰフローについて、ＩＰフローのＩＰヘッダに含まれる宛先ＩＰアドレス（ｄｓｔ  ＩＰ）を参照することにより、ＩＰフローをＥＰＳベアラに変換する。
【０２６３】
このように、ｅＮＢ３２１およびＵＥ３１１にそれぞれ仮想ＧＷ３０１０，３０４０を設定し、ＧＲＥトンネリングを利用することで、仮想ＧＷ３０１０，３０４０においてＥＰＳベアラをＩＰフローとして識別することができる。ＩＰアドレスとＭＡＣアドレスは、プライベート空間のアドレスで構成することができる。このように仮想ＧＷ３０１０，３０４０の間でＧＲＥトンネルを構築することで、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２６４】
図３４においては下りリンクについて説明したが、上りリンクについても同様の方法によりＥＰＳベアラを識別することができる。すなわち、仮想ＧＷ３０１０，３０４０の間でＧＲＥトンネルを構築することで、上りリンクにおいてＷＬＡＮへ転送された各ＩＰパケットのＥＰＳベアラを識別することができる。
【０２６５】
図３５は、実施の形態３にかかる無線通信システムにおいてＧＲＥトンネリングを用いてＥＰＳベアラを識別する方法の他の例を示す図である。図３５において、図１５または図３４に示した部分と同様の部分については同一の符号を付して説明を省略する。
【０２６６】
図３５においては、下りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、ＥＰＳベアラごとのＧＴＰトンネル１５２０〜１５２ｎが設定される。
【０２６７】
セカンダリｅＮＢ３２３は、ＵＥ３１１からＷＬＡＮ１５５０を介して送信された各ＩＰパケットを受信する。そして、セカンダリｅＮＢ３２３は、受信した各ＩＰパケットをＧＲＥ処理部３４１０〜３４１ｎへ転送する。
【０２６８】
これにより、図３４に示した例と同様に、ＵＥ３１１は、ＧＲＥトンネリングを利用することで、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２６９】
図３４，図３５に示したＧＲＥトンネリングを用いた方法によれば、たとえばＶＬＡＮタグを用いる場合のようにＷＬＡＮへ転送なＥＰＳベアラの数がＶＬＡＮタグのビット数に制限されずにＥＰＳベアラを識別可能である。また、図３４，図３５に示したＧＲＥトンネリングを用いた方法によれば、ｅＮＢ３２１とセカンダリｅＮＢ３２３との間は、ＧＴＰトンネルに限らずイーサネット等により接続することも可能である。
【０２７０】
また、図３４，図３５に示したＧＲＥトンネリングを用いた方法によれば、ＵＥ３１１にＤＬのＴＦＴを設定したり、ｅＮＢ３２１にＵＬのＴＦＴを設定したりしなくてもＥＰＳベアラを識別可能である。また、図３４，図３５に示したＧＲＥトンネリングを用いた方法によれば、ＷＬＡＮへ転送されたユーザデータにＶＬＡＮタグ等のヘッダを追加しなくてもＥＰＳベアラを識別可能である。
【０２７１】
図３６は、実施の形態３にかかる無線通信システムにおいてＰＤＣＰｏＩＰを用いてＥＰＳベアラを識別する方法の一例を示す図である。図３６において、図１５または図３０に示した部分と同様の部分については同一の符号を付して説明を省略する。
【０２７２】
図３６においては、下りリンクについて、ｅＮＢ３２１がＷＬＡＮ通信の機能（ｅＮＢ＋ＷＬＡＮ）を有する構成にてＬＴＥ−ＡとＷＬＡＮを同時に使用するアグリゲーションを行う場合について説明する。図３６に示す例では、ＥＰＳベアラ１５００〜１５０ｎは、ｅＮＢ３２１からＵＥ３１１への下り方向のベアラである。
【０２７３】
また、図３６に示す例では、ｅＮＢ３２１におけるＰＤＣＰレイヤ１５１０〜１５１ｎとＷＬＡＮ１５５０との間に仮想ＧＷ３０１０が設定される。仮想ＧＷ３０１０には、ＰＤＣＰｏＩＰ処理部３６１０〜３６１ｎおよびＭＡＣ処理部３０３０（８０２．３  ＭＡＣ）が含まれる。また、ＵＥ３１１におけるＷＬＡＮ１５５０とＰＤＣＰレイヤ１５７０〜１５７ｎとの間に仮想ＧＷ３０４０が設定される。仮想ＧＷ３０４０には、ＭＡＣ処理部３０５０（８０２．３  ＭＡＣ）およびｄｅ−ＰＤＣＰｏＩＰ処理部３６２０〜３６２ｎ（ｄｅ−ＰｏＩＰ）が含まれる。
【０２７４】
ＰＤＣＰレイヤ１５１０〜１５１ｎを経由したＥＰＳベアラ１５００〜１５０ｎは仮想ＧＷ３０１０のＰＤＣＰｏＩＰ処理部３６１０〜３６１ｎへ転送される。ＰＤＣＰｏＩＰ処理部３６１０〜３６１ｎは、それぞれＥＰＳベアラ１５００〜１５０ｎのアウターＩＰヘッダのアドレスを仮想ＩＰアドレスに変換することによって仮想ＩＰフローに分類するＰＤＣＰｏＩＰ（Ｐａｃｋｅｔ  Ｄａｔａ  Ｃｏｎｖｅｒｇｅｎｃｅ  Ｐｒｏｔｏｃｏｌ  ｏｎ  ＩＰ）処理を行う。仮想ＩＰフローは、たとえばｅＮＢ３２１とＵＥ３１１との間のローカルな仮想データフローである。仮想宛先ＩＰアドレスは、仮想ＩＰフローの宛先アドレスである。ＰＤＣＰｏＩＰ処理部３６１０〜３６１ｎは、分類した各仮想ＩＰフローをＭＡＣ処理部３０３０へ転送する。
【０２７５】
たとえば、ＰＤＣＰｏＩＰ処理部３６１０〜３６１ｎは、ＥＰＳベアラ１５００〜１５０ｎと仮想宛先ＩＰアドレスを一対一でマッピングする。ＰＤＣＰｏＩＰ処理部３６１０〜３６１ｎから転送される各仮想ＩＰフローの仮想送信元ＩＰアドレス（ｓｒｃ  ＩＰ）は、たとえば仮想ＧＷ３０１０（ｖＧＷ）とすることができる。また、ＰＤＣＰｏＩＰ処理部３６１０〜３６１ｎから転送される各仮想ＩＰフローの仮想宛先ＩＰアドレス（ｄｓｔ  ＩＰ）は、たとえばそれぞれＣ−ＲＮＴＩ＋０〜Ｃ−ＲＮＴＩ＋ｎとすることができる。
【０２７６】
Ｃ−ＲＮＴＩは、ＵＥ３１１に一時的に割り当てられ、ＬＴＥ−Ａセル内でＵＥ３１１の一意な識別子である。たとえば、Ｃ−ＲＮＴＩは１６ビットの値を有する。図３６に示す例のように、Ｃ−ＲＮＴＩとベアラ識別子（０〜ｎ）を加算して仮想送信元ＩＰアドレスを生成することで、仮想送信元ＩＰアドレスの重複の発生を回避することができる。たとえば、クラスＡのＩＰアドレスを使用する場合に、ＷＬＡＮによる伝送に十分となる約２４ビット分のＥＰＳベアラを識別可能になる。ここではＣ−ＲＮＴＩとベアラ識別子を加算して仮想送信元ＩＰアドレスを生成する場合について説明したが、仮想送信元ＩＰアドレスを生成する方法についてはこれに限らない。
【０２７７】
ＭＡＣ処理部３０３０は、ＰＤＣＰｏＩＰ処理部３６１０〜３６１ｎから転送された各仮想ＩＰフローをイーサネットやＩＥＥＥ  ８０２．３等のＭＡＣフレームに変換する。この場合に、ＭＡＣフレームの送信元ＭＡＣアドレス（ｓｒｃ  ＭＡＣ）は、たとえば仮想ＧＷ３０１０，３０４０における任意のプライベートアドレス（ａｎｙ  ｐｒｉｖａｔｅ）とすることができる。たとえばＭＡＣフレームの送信元ＭＡＣアドレスは、先頭のオクテットを「ｘｘｘｘｘｘ１０」としたアドレス（ｘは任意の値）とすることができる。また、ＭＡＣフレームの宛先ＭＡＣアドレス（ｄｓｔ  ＭＡＣ）はたとえばＵＥ３１１のＭＡＣアドレス（ＵＥ  ＭＡＣ）とすることができる。
【０２７８】
ｅＮＢ３２１は、ＭＡＣ処理部３０３０によって変換されたＭＡＣフレームに対してＡＣクラシフィケーション１５４０を行い、ＡＣクラシフィケーション１５４０を行ったＭＡＣフレームを、ＷＬＡＮ１５５０を介してＵＥ３１１へ送信する。
【０２７９】
ＵＥ３１１は、ＷＬＡＮ１５５０を介してｅＮＢ３２１から受信したＭＡＣフレームに対してＡＣデクラシフィケーション１５６０を行う。仮想ＧＷ３０４０のＭＡＣ処理部３０５０は、ＡＣデクラシフィケーション１５６０が行われたＭＡＣフレームを仮想ＩＰフローとして受信する。
【０２８０】
ｄｅ−ＰＤＣＰｏＩＰ処理部３６２０〜３６２ｎは、ＭＡＣ処理部３０５０によって受信された仮想ＩＰフローについて、仮想ＩＰフローの仮想宛先ＩＰアドレス（ｄｓｔ  ＩＰ）を参照することにより、仮想ＩＰフローをＥＰＳベアラに変換する。このとき、仮想ＩＰフローの仮想宛先ＩＰアドレスは、ｄｅ−ＰＤＣＰｏＩＰ処理部３６２０〜３６２ｎによるｄｅ−ＰＤＣＰｏＩＰによって本来のＩＰアドレスに変換される。
【０２８１】
このように、ｅＮＢ３２１およびＵＥ３１１にそれぞれ仮想ＧＷ３０１０，３０４０を設定し、ＰＤＣＰｏＩＰによるアドレス変換を利用することで、仮想ＧＷ３０１０，３０４０においてＥＰＳベアラを仮想ＩＰフローとして識別することができる。ＩＰアドレスとＭＡＣアドレスは、プライベート空間のアドレスで構成することができる。このように仮想ＧＷ３０１０，３０４０の間で仮想ＩＰネットワークを構築することで、ＷＬＡＮへ転送された各ＩＰパケットのＥＰＳベアラを識別することができる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２８２】
図３６においては下りリンクについて説明したが、上りリンクについても同様の方法によりＥＰＳベアラを識別することができる。すなわち、ｅＮＢ３２１およびＵＥ３１１に設定した仮想ＧＷ３０１０，３０４０の間で仮想ＩＰネットワークを構築することで、上りリンクにおいてＷＬＡＮへ転送された各ＩＰパケットのＥＰＳベアラを識別することができる。
【０２８３】
図３７は、実施の形態３にかかる無線通信システムにおいてＰＤＣＰｏＩＰを用いてＥＰＳベアラを識別する方法の他の例を示す図である。図３７において、図１５または図３６に示した部分と同様の部分については同一の符号を付して説明を省略する。
【０２８４】
図３７においては、下りリンクについて、ｅＮＢ３２１がマスタｅＮＢとなりｅＮＢとＷＬＡＮ通信の機能を有するセカンダリｅＮＢ３２３を用いるＷＬＡＮ独立型の構成にてＬＴＥ−ＡとＷＬＡＮを同時に使用するアグリゲーションを行う場合について説明する。この場合に、ｅＮＢ３２１とセカンダリｅＮＢ３２３との間には、ＥＰＳベアラごとのＧＴＰトンネル１５２０〜１５２ｎが設定される。
【０２８５】
図３６に示したＰＤＣＰｏＩＰ処理部３６１０〜３６１ｎは、図３７に示す例ではセカンダリｅＮＢ３２３に設定される。セカンダリｅＮＢ３２３は、ＵＥ３１１からＷＬＡＮ１５５０を介して送信された各ＩＰパケットを受信する。また、セカンダリｅＮＢ３２３は、受信した各ＩＰパケットを仮想ＧＷ３０１０のＰＤＣＰｏＩＰ処理部３６１０〜３６１ｎへ転送する。
【０２８６】
これにより、図３６に示した例と同様に、仮想ＧＷ３０１０，３０４０においてＥＰＳベアラを仮想ＩＰフローとして識別可能になる。このため、無線通信システム３００は、同一のＱｏＳクラスを有する複数のＥＰＳベアラを同時にアグリゲーションしないという制約を設けなくてもアグリゲーションを可能にし、伝送可能なユーザデータの量の増加を図ることができる。
【０２８７】
図３７においては下りリンクについて説明したが、上りリンクについても同様の方法によりＥＰＳベアラを識別することができる。すなわち、セカンダリｅＮＢ３２３およびＵＥ３１１に設定した仮想ＧＷ３０１０，３０４０の間で仮想ＩＰネットワークを構築することで、上りリンクにおいてＷＬＡＮへ転送された各ＩＰパケットのＥＰＳベアラを識別することができる。
【０２８８】
図３６，図３７に示したＰＤＣＰｏＩＰによるアドレス変換を用いた方法によれば、たとえばＶＬＡＮタグを用いる場合のようにＷＬＡＮへ転送可能なＥＰＳベアラの数がＶＬＡＮタグのビット数に制限されずにＥＰＳベアラを識別可能である。また、図３６，図３７に示したＰＤＣＰｏＩＰによるアドレス変換を用いた方法によれば、ｅＮＢ３２１とセカンダリｅＮＢ３２３との間は、ＧＴＰトンネルに限らずイーサネット等により接続することも可能である。
【０２８９】
また、図３６，図３７に示したＰＤＣＰｏＩＰによるアドレス変換を用いた方法によれば、ＵＥ３１１にＤＬのＴＦＴを設定したり、ｅＮＢ３２１にＵＬのＴＦＴを設定したりしなくても、ＥＰＳベアラを識別可能である。また、図３６，図３７に示したＰＤＣＰｏＩＰによるアドレス変換を用いた方法によれば、ＷＬＡＮへ転送されたユーザデータにＶＬＡＮタグ等のヘッダを追加しなくてもＥＰＳベアラを識別可能である。
【０２９０】
このように、実施の形態３によれば、同一のＱｏＳクラスを有する複数のＥＰＳベアラを同時にアグリゲーションしないという制約を設けなくても、ＬＴＥ−ＡとＷＬＡＮを同時に使用するアグリゲーションが可能になる。このため、伝送可能なユーザデータの量の増加を図ることができる。
【０２９１】
ただし、ｅＮＢ３２１からＵＥ３１１への下りリンクにおいて、ＵＥ３１１がラジオベアラとして受信したユーザデータをベアラに変換せずに自局の上位層（たとえばアプリケーションレイヤ）に回送すればよい場合がある。このような場合は、複数のＥＰＳベアラが同一のＱｏＳクラスを有する場合であっても、ＵＥ３１１がベアラを識別せずに、ＬＴＥ−ＡとＷＬＡＮを同時に使用するアグリゲーションを行うことができる。
【０２９２】
（実施の形態４）
図３８および図３９は、実施の形態４にかかる無線通信システムにおいてＷＬＡＮにより伝送するデータに対する処理を説明する図である。図３８に示すプロトコルスタックは、実施の形態２，３のように、ＷＬＡＮにより伝送するデータに対して、ＰＤＣＰレイヤ３８０１（ＰＤＣＰ  ＰＤＵ）、アウターＩＰレイヤ３８０２、ＷＬＡＮのＭＡＣレイヤ３８０３（ＷＬＡＮ  ＭＡＣ）の順に行われる処理を示している。
【０２９３】
なお、上述した実施の形態においてはアウターＩＰという文言を便宜上使ったが、アウターＩＰは技術的には単にＩＰ（Ｉｎｔｅｒｎｅｔ  Ｐｒｏｔｏｃｏｌ）である。この点は本実施の形態でも同様である。
【０２９４】
ＰＤＣＰレイヤ３８０１は、たとえば、図１２に示したアグリゲーション処理１２１２におけるＰＤＣＰレイヤや、図１９〜図２４に示したＰＤＣＰレイヤ１９０１に対応する。アウターＩＰレイヤ３８０２は、たとえば、図１２に示したアグリゲーション処理１２１２におけるアウターＩＰの処理や、図１９〜図２４に示したアウターＩＰレイヤ１９００に対応する。ＭＡＣレイヤ３８０３は、たとえば、図１２に示したアグリゲーション処理１２１２における．１１ｘ  ＭＡＣの処理に対応する。
【０２９５】
図３８に示すプロトコルスタックにおいては、アウターＩＰレイヤ３８０２を用いることにより、ＷＬＡＮによりデータを伝送する際に、たとえばＩＰにおけるＡＲＰ（Ａｄｄｒｅｓｓ  Ｒｅｓｏｌｕｔｉｏｎ  Ｐｒｏｔｏｃｏｌ：アドレス解決プロトコル）により、データの宛先のＩＰアドレスからデータの宛先のＭＡＣアドレスを得ることができる。ＡＲＰは、一例としてはＲＦＣ８２６で定義されたＡＲＰである。この場合は、ＷＬＡＮノード（たとえばｅＮＢ３２１やセカンダリｅＮＢ３２３）は、たとえばルータのようなモードで動作することもできる。
【０２９６】
図３９に示すプロトコルスタックは、実施の形態４にかかる無線通信システム３００においてＷＬＡＮにより伝送するデータに対する処理を示している。図３９に示すプロトコルスタックのように、実施の形態４にかかる無線通信システム３００においては、ＷＬＡＮにより伝送するデータに対して、ＰＤＣＰレイヤ３８０１の処理、アダプテーションレイヤ３９０１（Ａｄａｐｔａｔｉｏｎ  Ｌａｙｅｒ）の処理、ＷＬＡＮのＭＡＣレイヤ３８０３の処理が行われる。図３９に示す処理においては、ＷＬＡＮにより伝送されるパケットは、ＰＤＣＰレイヤ３８０１の処理の後に、アダプテーションレイヤ３９０１によって所定のヘッダを付されてＷＬＡＮ側へ転送されることでトンネリングされる。
【０２９７】
このように、ＷＬＡＮにより伝送するデータに対して、アウターＩＰレイヤ３８０２の処理に代えてアダプテーションレイヤ３９０１の処理を行うようにしてもよい。このような図３９に示す処理は、たとえば、ＬＴＥ−ＷＬＡＮアーキテクチャの要件や、ＷＬＡＮにおけるＩＰパケットの伝送における問題に応じて有効となる場合がある。
【０２９８】
ただし、図３９に示す処理においては、ＩＰにおけるＡＲＰを用いてＩＰアドレスからＭＡＣアドレスを得ることができない。これに対して、たとえば、アダプテーションレイヤ３９０１にＲＦＣ８２６に基づくＡＲＰの処理を設けることで、アダプテーションレイヤ３９０１におけるＡＲＰを用いてＩＰアドレスからＭＡＣアドレスを得ることができる。この場合は、ＷＬＡＮノード（たとえばｅＮＢ３２１やセカンダリｅＮＢ３２３）は、たとえばブリッジのようなモードで動作する。
【０２９９】
たとえば、ＲＦＣ８２６に基づくＡＲＰにおいては、ＡＲＰの上位レイヤはイーサネットの“ＥｔｈｅｒＴｙｐｅ”により指定される。現状の３ＧＰＰのプロトコルにおいては“ＥｔｈｅｒＴｙｐｅ”は未定義であるが、３ＧＰＰのプロトコルにおいて新たな“ＥｔｈｅｒＴｙｐｅ”が規定される場合は、アダプテーションレイヤ３９０１に対してＲＦＣ８２６に基づくＡＲＰが適用可能になる。
【０３００】
ただし、アダプテーションレイヤ３９０１に対してＲＦＣ８２６に基づくＡＲＰが適用することが困難なことも考えられる。これに対して、アダプテーションレイヤ３９０１にＲＦＣ８２６に基づくＡＲＰを適用するのではなく、独自のアドレス解決の方法を用いてもよい。この場合は、ＷＬＡＮノード（たとえばｅＮＢ３２１やセカンダリｅＮＢ３２３）は、たとえばブリッジのようなモードで動作することもできる。以下、この独自のアドレス解決の方法のアーキテクチャについて説明する。
【０３０１】
図４０は、実施の形態４にかかる無線通信システムにおける処理の一例を示すシーケンス図である。実施の形態４にかかる無線通信システム３００においては、たとえば図４０に示す各ステップが実行されることによってアドレス解決が実現される。図４０に示す通信装置４００１は、ｅＮＢ３２１を介してＵＥ３１１へデータを送信する送信元である。たとえば、通信装置４００１は、パケットコア網３３０のＰＧＷ３３２などである。
【０３０２】
図４０においては、ＷＬＡＮによって通信装置４００１からＵＥ３１１へ伝送されるデータについて説明する。この場合に、通信装置４００１とｅＮＢ３２１との間の伝送経路はＩＰネットワークであり、ｅＮＢ３２１とＵＥ３１１との間の伝送経路はＬＴＥあるいはＬＴＥ−Ａである。また、図４０に示す例では、ｅＮＢ３２１がマスタｅＮＢとなりｅＮＢとＷＬＡＮ通信の機能を有するセカンダリｅＮＢ３２３を用いるＷＬＡＮ独立型の構成について説明する。
【０３０３】
まず、ｅＮＢ３２１が、ＬＴＥ−ＷＬＡＮアグリゲーションの設定をするためのＬＴＥ−ＷＬＡＮコンフィギュレーションを含むＲＲＣコネクションリコンフィギュレーションをＵＥ３１１へ送信する（ステップＳ４００１）。つぎに、ＵＥ３１１が、ＲＲＣコネクションリコンフィギュレーションに対するＲＲＣコネクションリコンフィギュレーションコンプリートをｅＮＢ３２１へ送信する（ステップＳ４００２）。また、ＵＥ３１１は、ステップＳ４００２によって送信するＲＲＣコネクションリコンフィギュレーションコンプリートにＵＥ３１１のＭＡＣアドレスを格納する。
【０３０４】
つぎに、ｅＮＢ３２１が、ＬＴＥ−ＷＬＡＮアグリゲーションにおけるＷＬＡＮの設定をするためのＷＬＡＮアディションリクエストを、ＷＬＡＮノードであるセカンダリｅＮＢ３２３へ送信する（ステップＳ４００３）。また、ｅＮＢ３２１は、ステップＳ４００３により送信するＷＬＡＮアディションリクエストに、ステップＳ４００２により受信したＲＲＣコネクションリコンフィギュレーションコンプリートから取得したＵＥ３１１のＭＡＣアドレスを含む設定情報を格納する。
【０３０５】
これに対して、セカンダリｅＮＢ３２３は、ｅＮＢ３２１からのＷＬＡＮアディションリクエストから取得したＵＥ３１１のＭＡＣアドレスを、ＵＥ３１１のＩＰアドレスと対応付けて記憶する。
【０３０６】
つぎに、通信装置４００１が、ＵＥ３１１へのデータをｅＮＢ３２１へ送信したとする（ステップＳ４００４）。データ４０１０は、ステップＳ４００４によって送信されるデータである。データ４０１０は、送信元ＩＰアドレス４０１１と、宛先ＩＰアドレス４０１２と、ＩＰペイロード４０１３と、を含む。送信元ＩＰアドレス４０１１は、データ４０１０の送信元である通信装置４００１のＩＰアドレスである。宛先ＩＰアドレス４０１２は、データ４０１０の宛先であるＵＥ３１１のＩＰアドレスである。ＩＰペイロード４０１３は、データ４０１０のペイロード（たとえばユーザデータ）である。なお、本来ならば当該ＩＰパケットはＧＴＰトンネルで送信されるため、ＧＴＰヘッダが付加されるが、ここでは割合する。
【０３０７】
つぎに、ｅＮＢ３２１が、ステップＳ４００４によって受信したデータをＰＤＣＰ  ＰＤＵに変換してセカンダリｅＮＢ３２３へ転送する（ステップＳ４００５）。つぎに、セカンダリｅＮＢ３２３が、ステップＳ４００５によってＰＤＣＰ  ＰＤＵに変換して転送されたデータをＷＬＡＮ（ＩＥＥＥ  ＭＡＣ）によりＵＥ３１１へ送信する（ステップＳ４００６）。データ４０２０は、ステップＳ４００６によって送信されるデータである。
【０３０８】
データ４０２０は、データ４０１０の送信元ＩＰアドレス４０１１、宛先ＩＰアドレス４０１２およびＩＰペイロード４０１３に、宛先ＭＡＣアドレス４０２１および送信元ＭＡＣアドレス４０２２をヘッダとして付加したデータである。ＩＰペイロード中に当該ＰＤＣＰ  ＰＤＵが含まれている。宛先ＭＡＣアドレス４０２１は、ステップＳ４００３においてセカンダリｅＮＢ３２３が記憶しておいたＵＥ３１１のＭＡＣアドレスである。送信元ＭＡＣアドレス４０２２は、データ４０２０の送信元であるセカンダリｅＮＢ３２３のＭＡＣアドレスである。
【０３０９】
図４０に示したように、ｅＮＢ３２１がＬＴＥ−ＷＬＡＮアグリゲーションにおいてＲＲＣコネクションリコンフィギュレーションをＵＥ３１１へ送信すると、ＵＥ３１１はその応答信号に自身のＭＡＣアドレスを格納する。これにより、ｅＮＢ３２１およびセカンダリｅＮＢ３２３が、ＩＰのＡＲＰを用いなくてもＵＥ３１１のＭＡＣアドレスを取得することが可能になる。このように、たとえばＲＲＣメッセージを用いてＭＡＣアドレスを解決することができる。
【０３１０】
ｅＮＢ３２１がマスタｅＮＢとなりｅＮＢとＷＬＡＮ通信の機能を有するセカンダリｅＮＢ３２３を用いるＷＬＡＮ独立型の構成について説明したが、セカンダリｅＮＢ３２３を用いず、ｅＮＢ３２１がＷＬＡＮ通信の機能を有する構成としてもよい。この場合は、たとえばステップＳ４００３は不要となり、ｅＮＢ３２１は、ＵＥ３１１のＭＡＣアドレスをＵＥ３１１のＩＰアドレスと対応付けて記憶する。
【０３１１】
そして、ｅＮＢ３２１は、通信装置４００１から受信したデータ４０１０に宛先ＭＡＣアドレス４０２１および送信元ＭＡＣアドレス４０２２を付加したデータ４０２０をＵＥ３１１へ送信する。この場合の送信元ＭＡＣアドレス４０２２は、データ４０２０の送信元であるｅＮＢ３２１のＭＡＣアドレスとなる。
【０３１２】
また、通信装置４００１からＵＥ３１１へ伝送される下りのデータについて説明したが、ＵＥ３１１から通信装置４００１へ伝送される上りのデータについても同様に、ＲＲＣメッセージを用いてＭＡＣアドレスを解決することができる。たとえば、ｅＮＢ３２１は、通信装置４００１によって送信するＲＲＣコネクションリコンフィギュレーションに、セカンダリｅＮＢ３２３のＭＡＣアドレスを格納する。セカンダリｅＮＢ３２３のＭＡＣアドレスについては、ｅＮＢ３２１とセカンダリｅＮＢ３２３とを接続する際にｅＮＢ３２１に記憶されてもよいし、ｅＮＢ３２１がセカンダリｅＮＢ３２３に対して問い合わせることによって取得してもよい。
【０３１３】
ＵＥ３１１は、ｅＮＢ３２１からのＲＲＣコネクションリコンフィギュレーションから取得したセカンダリｅＮＢ３２３のＭＡＣアドレスを、セカンダリｅＮＢ３２３のＩＰアドレスと対応付けて記憶する。そして、ＵＥ３１１は、通信装置４００１へのデータをＷＬＡＮにより送信する際に、記憶しておいたセカンダリｅＮＢ３２３のＭＡＣアドレスを宛先として用いて該データをセカンダリｅＮＢ３２３へ送信する。このように、ＵＥ３１１から通信装置４００１へ伝送される上りのデータについても、ＲＲＣメッセージを用いてＭＡＣアドレスを解決することができる。
【０３１４】
図４１は、実施の形態４にかかる無線通信システムにおける処理において別のＲＲＣメッセージによりＭＡＣアドレスを通知する方法を示すシーケンス図である。図４１において、図４０に示した部分と同様の部分については同一の符号を付して説明を省略する。ＵＥ３１１は、ＲＲＣコネクションエスタブリッシュメント手順において、ステップＳ４００１の前に、ＲＲＣコネクションセットアップをｅＮＢ３２１へ送信する（ステップＳ４１０１）。また、ＵＥ３１１は、ステップＳ４１０１によって送信するＲＲＣコネクションセットアップにＵＥ３１１のＭＡＣアドレスを格納する。この場合は、ＵＥ３１１は、ステップＳ４００２によって送信するＲＲＣコネクションリコンフィギュレーションコンプリートにＵＥ３１１のＭＡＣアドレスを格納しなくてもよい。
【０３１５】
図４２は、実施の形態４にかかる無線通信システムにおける処理においてさらに別のＲＲＣメッセージによりＭＡＣアドレスを通知する方法を示すシーケンス図である。図４２において、図４０に示した部分と同様の部分については同一の符号を付して説明を省略する。ＵＥ３１１は、ステップＳ４００２の後に、ＲＲＣコネクションリコンフィギュレーションコンプリートやＲＲＣコネクションセットアップとは異なるＲＲＣメッセージをｅＮＢ３２１へ送信する（ステップＳ４２０１）。また、ＵＥ３１１は、ステップＳ４２０１によって送信するＲＲＣメッセージにＵＥ３１１のＭＡＣアドレスを格納する。この場合は、ＵＥ３１１は、ステップＳ４００２によって送信するＲＲＣコネクションリコンフィギュレーションコンプリートにＵＥ３１１のＭＡＣアドレスを格納しなくてもよい。
【０３１６】
図４１，図４２に示したように、ＵＥ３１１のＭＡＣアドレスを通知するために用いるＲＣＣメッセージは、ＲＲＣコネクションリコンフィギュレーションコンプリートに限らず、各種のＲＲＣメッセージとすることができる。
【０３１７】
図４３は、実施の形態４にかかる無線通信システムにおける処理の他の例を示すシーケンス図である。図４３において、図４０に示した部分と同様の部分については同一の符号を付して説明を省略する。実施の形態４にかかる無線通信システム３００においては、図４３に示す各ステップが実行されることによってアドレス解決が実現されてもよい。
【０３１８】
図４３に示すステップＳ４３０１〜Ｓ４３０５は、図４０に示したステップＳ４００１〜Ｓ４００５と同様である。ただし、ステップＳ４３０２において、ＵＥ３１１は、ＲＲＣコネクションリコンフィギュレーションコンプリートにＵＥ３１１のＭＡＣアドレスを格納しなくてもよい。また、ステップＳ４３０３において、ｅＮＢ３２１は、ＷＬＡＮアディションリクエストにＵＥ３１１のＭＡＣアドレスを格納しなくてもよい。
【０３１９】
ステップＳ４３０５のつぎに、ｅＮＢ３２１が、アダプテーションレイヤ３９０１により、ＵＥ３１１との間でＡＲＰを作動させる（ステップＳ４３０６）。そして、ｅＮＢ３２１は、ＡＲＰによって取得したＵＥ３１１のＭＡＣアドレスをセカンダリｅＮＢ３２３へ通知する。これにより、セカンダリｅＮＢ３２３がＵＥ３１１のＭＡＣアドレスを取得することができる。
【０３２０】
または、ステップＳ４３０６において、セカンダリｅＮＢ３２３とＵＥ３１１との間でＡＲＰを作動させてもよい。これにより、セカンダリｅＮＢ３２３がＵＥ３１１のＭＡＣアドレスを取得することができる。
【０３２１】
ステップＳ４３０６において作動するＡＲＰは、ＲＦＣ８２６に基づくＡＲＰではなく、たとえばアダプテーションレイヤ３９０１において独自に設計されたＡＲＰとすることができる。セカンダリｅＮＢ３２３は、ＡＲＰのパケットを用いてＵＥ３１１に対してＭＡＣアドレスを問い合わせることができる。ＡＲＰのパケットについては後述する（たとえば図４４参照）。なお、ステップＳ４３０５およびステップＳ４３０６の順序は入れ替えてもよい。
【０３２２】
つぎに、セカンダリｅＮＢ３２３が、ステップＳ４３０５によってＰＤＣＰ  ＰＤＵに変換して転送されたデータをＷＬＡＮ（ＩＥＥＥ  ＭＡＣ）によりＵＥ３１１へ送信する（ステップＳ４３０７）。ステップＳ４３０７によって送信されるデータは、たとえば図４０に示したデータ４０２０と同様である。この場合の宛先ＭＡＣアドレス４０２１は、ステップＳ４３０６において作動したＡＲＰによりセカンダリｅＮＢ３２３が取得したＵＥ３１１のＭＡＣアドレスである。
【０３２３】
図４３に示したように、ｅＮＢ３２１がＬＴＥ−ＷＬＡＮアグリゲーションをセカンダリｅＮＢ３２３（ＷＬＡＮノード）に設定すると、アダプテーションレイヤ３９０１が独自のＡＲＰを作動させることで、ＵＥ３１１のＭＡＣアドレスの取得が可能になる。このように、たとえばアダプテーションレイヤ３９０１において独自に設計されたＡＲＰを用いてＭＡＣアドレスを解決することができる。
【０３２４】
ｅＮＢ３２１がマスタｅＮＢとなりｅＮＢとＷＬＡＮ通信の機能を有するセカンダリｅＮＢ３２３を用いるＷＬＡＮ独立型の構成について説明したが、セカンダリｅＮＢ３２３を用いず、ｅＮＢ３２１がＷＬＡＮ通信の機能を有する構成としてもよい。この場合は、たとえばステップＳ４３０５は不要となり、ｅＮＢ３２１は、ステップＳ４３０６において、自装置においてＡＲＰを作動させる。これにより、ｅＮＢ３２１がＵＥ３１１のＭＡＣアドレスを取得することができる。
【０３２５】
そして、ｅＮＢ３２１は、通信装置４００１から受信したデータ４０１０に宛先ＭＡＣアドレス４０２１および送信元ＭＡＣアドレス４０２２を付加したデータ４０２０をＵＥ３１１へ送信する。この場合の送信元ＭＡＣアドレス４０２２は、データ４０２０の送信元であるｅＮＢ３２１のＭＡＣアドレスとなる。
【０３２６】
また、通信装置４００１からＵＥ３１１へ伝送される下りのデータについて説明したが、ＵＥ３１１から通信装置４００１へ伝送される上りのデータについても同様に、独自に設計されたＡＲＰを用いてＭＡＣアドレスを解決することができる。たとえば、ＵＥ３１１は、通信装置４００１へのデータをＷＬＡＮにより送信する際に、自装置において上述した独自のＡＲＰを作動させ、セカンダリｅＮＢ３２３に対して問い合わせることによってセカンダリｅＮＢ３２３のＭＡＣアドレスを取得する。
【０３２７】
そして、ＵＥ３１１は、取得したセカンダリｅＮＢ３２３のＭＡＣアドレスを宛先として用いて上りのデータをセカンダリｅＮＢ３２３へ送信する。このように、ＵＥ３１１から通信装置４００１へ伝送される上りのデータについても、独自に設計されたＡＲＰを用いてＭＡＣアドレスを解決することができる。
【０３２８】
図４４は、実施の形態４に適用可能なＡＲＰにおけるパケットフォーマットの一例を示す図である。図４３に示したようにアダプテーションレイヤ３９０１において独自に設計されるＡＲＰにおいては、たとえば図４４に示すパケット４４００を用いることができる。パケット４４００において、「Ｒ」は予約ビット（Ｒｅｓｅｒｖｅｄ）である。
【０３２９】
「Ｄ／Ｃ」は、パケット４４００がデータ信号（データ）および制御信号（コントロール）のいずれであるかを示す情報である。「Ｄ／Ｃ」には、“Ｄ”（データ）または“Ｃ”（コントロール）が指定される。「Ｄ／Ｃ」に“Ｄ”が指定された場合は、パケット４４００の２行目以降がＰＤＣＰ  ＰＤＵであることを示す。「Ｄ／Ｃ」に“Ｃ”が指定された場合は、パケット４４００の２行目以降がＡＲＰの制御情報であることを示す。図４４に示す例では、パケット４４００をＡＲＰのパケットとして用いるため、「Ｄ／Ｃ」に“Ｃ”が指定される。
【０３３０】
「タイプ」（Ｔｙｐｅ）は、パケット４４００がリクエスト信号およびレスポンス信号のいずれであるかを示す情報である。「タイプ」（Ｔｙｐｅ）は、「Ｄ／Ｃ」に“Ｄ”が指定された場合は無効になる。また、「タイプ」（Ｔｙｐｅ）は、「Ｄ／Ｃ」に“Ｃ”が指定された場合は“リクエスト”（Ｒｅｑｕｅｓｔ）または“レスポンス”（Ｒｅｓｐｏｎｓｅ）が指定される。「ＬＣＩＤ」は、ＬＴＥにおけるＬＣＩＤ（Ｌｏｇｉｃａｌ  Ｃｈａｎｎｅｌ  ＩＤ：ロジカルチャネルＩＤ）を示す。「Ｃ−ＲＮＴＩ」（Ｃｅｌｌ−Ｒａｄｉｏ  Ｎｅｔｗｏｒｋ  Ｔｅｍｐｏｒａｒｙ  Ｉｄｅｎｔｉｆｉｅｒ）は、ＵＥ３１１のセル無線ネットワーク一時識別子である。
【０３３１】
図４４に示す例では、パケット４４００をＡＲＰのパケットとして用いるため、上述のようにパケット４４００の２行目以降にはＡＲＰの制御情報が格納される。たとえば、ＭＡＣアドレスの問い合わせ元であるセカンダリｅＮＢ３２３（ＷＬＡＮノード）は、「タイプ」に“リクエスト”を指定したパケット４４００を送信する。この場合に、パケット４４００の“送信元ＭＡＣアドレス”（Ｓｏｕｒｃｅ  ＭＡＣ  Ａｄｄｒｅｓｓ）にはセカンダリｅＮＢ３２３のＭＡＣアドレス（４８ビット）が格納される。また、パケット４４００の“宛先ＭＡＣアドレス”（Ｄｅｓｔｉｎａｔｉｏｎ  ＭＡＣ  Ａｄｄｒｅｓｓ）にはブロードキャスト用のＭＡＣアドレス（４８ビット）が格納される。これにより、パケット４４００をブロードキャストし、ＵＥ３１１に対してＭＡＣアドレスの問い合わせを行うことができる。
【０３３２】
ＵＥ３１１は、セカンダリｅＮＢ３２３からのパケット４４００（リクエスト）について、パケット４４００の「Ｃ−ＲＮＴＩ」に基づいて自端末宛のパケットであると判断して受信することができる。そして、ＵＥ３１１は、セカンダリｅＮＢ３２３からのパケット４４００を受信すると、「タイプ」に“レスポンス”を指定したパケット４４００を送信する。この場合に、パケット４４００の“送信元ＭＡＣアドレス”にはＵＥ３１１のＭＡＣアドレス（４８ビット）が格納される。また、パケット４４００の“宛先ＭＡＣアドレス”（Ｄｅｓｔｉｎａｔｉｏｎ  ＭＡＣ  Ａｄｄｒｅｓｓ）にはセカンダリｅＮＢ３２３のＭＡＣアドレスが格納される。これにより、セカンダリｅＮＢ３２３に対してＵＥ３１１のＭＡＣアドレスを通知することができる。
【０３３３】
ただし、アダプテーションレイヤ３９０１において独自に設計されるＡＲＰには、図４４に示したパケット４４００に限らず、各種の形態のフォーマットのパケットを用いることができる。たとえば、アダプテーションレイヤ３９０１において独自に設計されるＡＲＰには、「Ｃ−ＲＮＴＩ」のような送信先の識別情報と、“送信元ＭＡＣアドレス”および“宛先ＭＡＣアドレス”と、が含まれていればよい。また、ＭＡＣアドレスのみでＵＥが識別できると判断される場合は、「Ｃ−ＲＮＴＩ」はなくてもよい。
【０３３４】
このように、実施の形態４によれば、たとえばＥＰＳベアラ１５００〜１５０ｎをＬＴＥ−ＡおよびＷＬＡＮに分割して伝送する場合に、ＷＬＡＮにより伝送するＰＤＣＰパケットをアダプテーションレイヤ３９０１でトンネリングすることができる。これにより、受信側において、ＷＬＡＮにより伝送されたデータをＰＤＣＰパケットとして受信し、ＰＤＣＰのシーケンス番号を用いて、ＬＴＥ−Ａにより受信したパケットと、ＷＬＡＮにより受信したパケットと、の間の順序制御を行うことができる。このため、ＬＴＥ−ＡとＷＬＡＮを同時に用いたデータ伝送が可能になる。
【０３３５】
また、受信側の局が、送信側の局へ送信するＲＲＣ（無線リソース制御）のメッセージに、ＷＬＡＮ（第２の無線通信）において使用可能な受信側の局のＭＡＣアドレスを格納することができる。これにより、ＷＬＡＮを用いてデータを伝送する際に、送信側の局は、ＲＲＣのメッセージから取得したＭＡＣアドレスを宛先アドレスにしてデータを受信側の局へ送信することができる。このため、トンネリングにおいてＩＰ（アウターＩＰ）を用いずにアダプテーションレイヤ３９０１を用いる場合においてもＭＡＣアドレスの解決が可能になる。
【０３３６】
または、ＷＬＡＮを用いてデータを伝送する際に、送信側の局は、ＷＬＡＮにおいて使用可能な受信側の局のＭＡＣアドレスを要求する第１のパケットを受信側の局へ送信することができる。また、この場合に、受信側の局は、送信側の局からの第１のパケットに対して、受信側の局のＭＡＣアドレスを含む第２のパケットを送信側の局へ送信することができる。これにより、送信側の局は、受信側の局からの第２のパケットから取得した受信側の局のＭＡＣアドレスを宛先アドレスにしてデータを受信側の局へ送信することができる。このため、トンネリングにおいてＩＰ（アウターＩＰ）を用いずにアダプテーションレイヤ３９０１を用いる場合においてもＭＡＣアドレスの解決が可能になる。
【０３３７】
なお、実施の形態４は、上述した実施の形態１〜３と適宜組み合わせて実施することも可能である。
【０３３８】
以上説明したように、無線通信システム、移動局および無線局によれば、第１の無線通信と第２の無線通信を同時に使用したデータ伝送を行うことができる。たとえば、ＬＴＥ−ＡとＷＬＡＮを同時に使用するアグリゲーションが可能になることで、ユーザデータの伝送速度の向上を図ることができる。
【０３３９】
また、仮に、ＬＴＥ−ＡとＷＬＡＮを同時に使用するアグリゲーションを行う際にＷＬＡＮにおいてＴｏＳフィールドが参照不可である場合は、たとえば全てのトラフィックをベストエフォートとすることが考えられる。しかしながら、この場合はトラフィックの性質に応じたＱｏＳ制御ができない。一例としては、ＶｏＬＴＥのトラフィックもベストエフォートとなり、ＶｏＬＴＥの通信品質が劣化する。
【０３４０】
これに対して、上述した各実施の形態によれば、ＷＬＡＮへ転送するデータにアウターＩＰヘッダを付加することで、ＷＬＡＮにおいてＴｏＳフィールドが参照可能になり、トラフィックの性質に応じたＱｏＳ制御が可能になる。一例としては、ＶｏＬＴＥのトラフィックはボイス（ＶＯ）に分類して優先的にＷＬＡＮで伝送することで、ＶｏＬＴＥの通信品質を向上させることができる。
【０３４１】
また、３ＧＰＰのＬＴＥ−Ａでは、第五世代移動体通信も視野に入れ、増加するモバイルトラフィックへの対応とユーザエクスペリエンスの向上を目指し、他の無線システムと連携しセルラ通信を行えるようにシステム高度化の検討が進められている。特に、家庭や企業に加え、スマートホンにも広く実装されているＷＬＡＮとの連携が課題となる。
【０３４２】
ＬＴＥのＲｅｌｅａｓｅ８では、ＬＴＥ−Ａのコア網でユーザデータをＷＬＡＮにオフロードする技術が標準化された。ＬＴＥ−ＡのＲｅｌｅａｓｅ１２では、ＷＬＡＮの無線チャネル使用率やユーザのオフロード志向等を考慮してオフロードができるようになった。また、ＬＴＥ−Ａの基地局間で周波数キャリアを集約（アグリゲーション）しユーザデータを同時伝送する二元接続（Ｄｕａｌ  Ｃｏｎｎｅｃｔｉｖｉｔｙ）が標準化された。
【０３４３】
ＬＴＥ−ＡのＲｅｌｅａｓｅ１３では、アンライセンス周波数帯域を活用した無線アクセス方式であるＬＡＡ（Ｌｉｃｅｎｓｅ  Ａｓｓｉｓｔｅｄ  Ａｃｃｅｓｓ）の検討が開始された。ＬＡＡは、ＬＴＥ−Ａにアンライセンス周波数帯域とライセンス周波数帯域のキャリアアグリゲーションであり、ＬＴＥ−Ａの制御チャネルによってアンライセンス周波数帯域の無線伝送を制御するレイヤ１の技術である。
【０３４４】
また、ＬＡＡとは異なり、ＬＴＥ−ＡとＷＬＡＮをレイヤ２でアグリゲーションし、双方が連携してセルラ通信を行うための標準化も開始されようとしている。これはＬＴＥ−ＷＬＡＮアグリゲーションと呼ばれている。ＬＴＥ−ＷＬＡＮアグリゲーションでは、上述した方法と比較して以下のような利点がある。
【０３４５】
まず、コア網におけるアグリゲーション技術では、ＬＴＥ−Ａの無線品質に応じた高速なアグリゲーションが困難であり、アグリゲーションの際にはコア網に送信される制御信号のオーバヘッドが生じる。ＬＴＥ−ＷＬＡＮアグリゲーションでは、アグリゲーションはＬＴＥ−Ａのレイヤ２で実施されるため、ＬＴＥ−Ａの無線品質を迅速に反映でき、かつコア網への制御信号も不要である。
【０３４６】
また、ＬＡＡではＬＴＥ−Ａの無線品質に応じた高速なアグリゲーションは可能であるが、ＬＴＥ−Ａの基地局外のＷＬＡＮと協調したアグリゲーションは困難である。これに対して、ＬＴＥ−ＷＬＡＮアグリゲーションでは、レイヤ２レベルでＬＴＥ−Ａの基地局と設置済みのＷＬＡＮのアクセスポイントを接続すれば協調したアグリゲーションが可能となる。
【０３４７】
現在、ＷＬＡＮがＬＴＥ−Ａの基地局に組み込まれているシナリオだけではなく、独立に設置されているシナリオも想定して標準化が進められようとしている。この場合に、ＷＬＡＮ側でＬＴＥ−Ａの呼（ベアラ）を識別し、ＬＴＥベアラのＱｏＳクラスを考慮してユーザデータの伝送が可能となるレイヤ２の構成の確立が重要になる。そのために、ＬＴＥ−Ａの後方互換性を担保することと、ＷＬＡＮの仕様にインパクトを与えないことが求められる。これについて、たとえば、ＩＰフローをレイヤ２の手前でカプセル化する方法も考えられるが、ＬＴＥ−ＡのベアラをＷＬＡＮ側で識別できるレイヤ２の構成については検討の余地がある。
【０３４８】
上述した各実施の形態によれば、ＬＴＥ−Ａ側のレイヤ２において得られるＰＤＣＰパケットのトンネリング方法を工夫することにより、ＬＴＥベアラのＱｏＳクラスを考慮しつつＬＴＥ−ＡとＷＬＡＮを同時に使用するアグリゲーションが可能になる。
【０３４９】
上述した実施の形態に関し、さらに以下の付記を開示する。
【０３５０】
（付記１）第１の無線通信を制御する制御部により前記第１の無線通信と異なる第２の無線通信を制御する基地局と、
前記第１の無線通信または前記第２の無線通信を用いて前記基地局との間でデータ伝送が可能な移動局と、
を含み、前記基地局と前記移動局との間で前記第２の無線通信を用いてデータを伝送する際に、前記基地局および前記移動局のうちの送信側の局における処理部であって前記第１の無線通信を行うための処理部は、前記第１の無線通信を行うための収束レイヤの処理後の前記データを、トンネリング処理を施して前記基地局および前記移動局のうちの受信側の局へ伝送し、
前記受信側の局は、前記第１の無線通信によって前記送信側の局から伝送されたデータと、前記第２の無線通信によって前記送信側の局から伝送されたデータと、の受信について、第１の無線通信処理に基づいて行うことを可能にする、
ことを特徴とする無線通信システム。
【０３５１】
（付記２）前記処理部は、前記収束レイヤの処理によって付されたシーケンス番号を前記トンネリング処理により前記受信側の局へ伝送し、
前記第１の無線通信処理は、前記第１の無線通信によって前記送信側の局から伝送されたデータと、前記第２の無線通信によって前記送信側の局から伝送されたデータとの順序制御を前記シーケンス番号に基づいて行うことを含むことを特徴とする付記１に記載の無線通信システム。
【０３５２】
（付記３）前記基地局と前記移動局との間で前記第１の無線通信および前記第２の無線通信を同時に用いてデータを伝送することを特徴とする付記１または２に記載の無線通信システム。
【０３５３】
（付記４）前記送信側の局における前記第１の無線通信を行うための処理部は、前記基地局と前記移動局との間で前記第２の無線通信を用いてデータを伝送する際に、前記収束レイヤの処理前の前記データのヘッダであってサービス品質情報を含むヘッダを前記収束レイヤの処理後の前記データに付加し、前記ヘッダを付加した前記データを前記受信側の局へ伝送することを特徴とする付記１〜３のいずれか一つに記載の無線通信システム。
【０３５４】
（付記５）前記第２の無線通信においては、前記サービス品質情報に基づく伝送制御が行われることを特徴とする付記４に記載の無線通信システム。
【０３５５】
（付記６）前記収束レイヤの処理は、前記データに対する秘匿化、ヘッダ圧縮およびシーケンス番号の付加の少なくともいずれかを含むことを特徴とする付記４または５に記載の無線通信システム。
【０３５６】
（付記７）前記送信側の局における前記第１の無線通信を行うための処理部は、前記収束レイヤにおいて、前記移動局の複数のベアラを集約し、集約したベアラによって前記受信側の局へ前記データを伝送することを特徴とする付記１〜６のいずれか一つに記載の無線通信システム。
【０３５７】
（付記８）前記制御部は、前記移動局の複数のベアラであって、サービスクラスが同一である複数のベアラの各データを前記第２の無線通信を用いて同時に伝送しないように、前記受信側の局への前記データの伝送を制御することを特徴とする付記１〜６のいずれか一つに記載の無線通信システム。
【０３５８】
（付記９）前記基地局から前記移動局へ前記第２の無線通信を用いてデータを伝送する際に、前記移動局は、前記第２の無線通信を用いて受信したデータを、前記移動局の前記第１の無線通信のベアラのうちの前記データに対応するベアラを識別せずに処理することを特徴とする付記１〜８のいずれか一つに記載の無線通信システム。
【０３５９】
（付記１０）前記移動局から前記基地局へ前記第２の無線通信を用いてデータを伝送する際に、前記基地局は、前記第２の無線通信を用いて受信したデータに対して、前記移動局から前記基地局への上りリンクにおけるフィルタリング規則を用いたパケットフィルタリングを行うことによって、前記移動局の前記第１の無線通信のベアラのうちの前記受信したデータに対応するベアラを識別することを特徴とする付記１〜９のいずれか一つに記載の無線通信システム。
【０３６０】
（付記１１）前記基地局から前記移動局へ前記第２の無線通信を用いてデータを伝送する際に、前記移動局は、前記第２の無線通信を用いて受信したデータに対して、前記基地局から前記移動局への下りリンクにおけるフィルタリング規則を用いたパケットフィルタリングを行うことによって、前記移動局の前記第１の無線通信のベアラのうちの前記受信したデータに対応するベアラを識別することを特徴とする付記１〜１０のいずれか一つに記載の無線通信システム。
【０３６１】
（付記１２）前記基地局と前記移動局との間で前記第２の無線通信を用いてデータを伝送する際に、
前記送信側の局は、前記基地局と前記移動局との間に設定した前記第２の無線通信の仮想データフローによって前記データを伝送し、
前記受信側の局は、前記データを受信した仮想データフローの宛先アドレスによって、前記移動局の前記第１の無線通信のベアラのうちの受信した前記データに対応するベアラを識別する、
ことを特徴とする付記１〜９のいずれか一つに記載の無線通信システム。
【０３６２】
（付記１３）前記基地局と前記移動局との間で前記第２の無線通信を用いてデータを伝送する際に、
前記送信側の局は、前記基地局と前記移動局との間に設定した前記第２の無線通信の仮想構内通信網によって前記データを伝送し、
前記受信側の局は、前記データを受信した仮想構内通信網の識別子によって、前記移動局の前記第１の無線通信のベアラのうちの受信した前記データに対応するベアラを識別する、
ことを特徴とする付記１〜９のいずれか一つに記載の無線通信システム。
【０３６３】
（付記１４）前記基地局と前記移動局との間で前記第２の無線通信を用いてデータを伝送する際に、
前記送信側の局は、前記基地局と前記移動局との間に設定した前記第２の無線通信のカプセル化トンネルによって前記データを伝送し、
前記受信側の局は、前記データを受信したカプセル化トンネルの宛先アドレスによって、前記移動局の前記第１の無線通信のベアラのうちの受信した前記データに対応するベアラを識別する、
ことを特徴とする付記１〜９のいずれか一つに記載の無線通信システム。
【０３６４】
（付記１５）前記基地局と前記移動局との間で前記第２の無線通信を用いてデータを伝送する際に、前記基地局および前記移動局は、前記第１の無線通信のデータを伝送するための前記第２の無線通信の通信路を前記基地局と前記移動局との間に設定し、設定した通信路によって前記データを伝送することを特徴とする付記１〜１３のいずれか一つに記載の無線通信システム。
【０３６５】
（付記１６）前記受信側の局は、前記送信側の局へ送信する無線リソース制御のメッセージに、前記第２の無線通信において使用可能な前記受信側の局のアドレスを格納し、
前記基地局と前記移動局との間で前記第２の無線通信を用いてデータを伝送する際に、前記送信側の局は、前記無線リソース制御のメッセージから取得した前記アドレスを宛先アドレスにして前記データを前記送信側の局へ送信する、
ことを特徴とする付記１〜１５のいずれか一つに記載の無線通信システム。
【０３６６】
（付記１７）前記基地局と前記移動局との間で前記第２の無線通信を用いてデータを伝送する際に、
前記送信側の局は、前記第２の無線通信において使用可能な前記受信側の局のアドレスを要求する第１のパケットを前記受信側の局へ送信し、
前記受信側の局は、前記送信側の局からの前記第１のパケットに対して、前記アドレスを含む第２のパケットを前記受信側の局へ送信し、
前記送信側の局は、前記受信側の局からの前記第２のパケットから取得した前記アドレスを宛先アドレスにして前記データを前記受信側の局へ送信する、
ことを特徴とする付記１〜１５のいずれか一つに記載の無線通信システム。
【０３６７】
（付記１８）移動局との間で第１の無線通信または前記第１の無線通信と異なる第２の無線通信を用いてデータ伝送が可能な基地局において、
前記第１の無線通信および前記第２の無線通信を制御する制御部と、
前記第１の無線通信を行うための処理部であって、前記基地局から前記移動局へ前記第２の無線通信を用いてデータを伝送する際に、前記第１の無線通信を行うための収束レイヤの処理後の前記データを、トンネリング処理を施して前記移動局へ伝送する処理部と、
を備えることを特徴とする基地局。
【０３６８】
（付記１９）基地局との間で第１の無線通信または前記第１の無線通信と異なる第２の無線通信を用いてデータ伝送が可能な移動局において、
前記第１の無線通信を行うための処理部であって、前記移動局から前記基地局へ前記第２の無線通信を用いてデータを伝送する際に、前記第１の無線通信を行うための収束レイヤの処理後の前記データを、トンネリング処理を施して前記基地局へ伝送する処理部を備える、
ことを特徴とする移動局。
【０３６９】
（付記２０）移動局との間で第１の無線通信または前記第１の無線通信と異なる第２の無線通信を用いてデータ伝送が可能な基地局による処理方法であって、
前記第１の無線通信および前記第２の無線通信を制御し、
前記第１の無線通信を行うための処理部において、前記基地局から前記移動局へ前記第２の無線通信を用いてデータを伝送する際に、前記第１の無線通信を行うための収束レイヤの処理後の前記データを、トンネリング処理を施して前記移動局へ伝送する、
ことを特徴とする処理方法。
【０３７０】
（付記２１）基地局との間で第１の無線通信または前記第１の無線通信と異なる第２の無線通信を用いてデータ伝送が可能な移動局による処理方法であって、
前記第１の無線通信を行うための処理部において、前記移動局から前記基地局へ前記第２の無線通信を用いてデータを伝送する際に、前記第１の無線通信を行うための収束レイヤの処理後の前記データを、トンネリング処理を施して前記基地局へ伝送する、
ことを特徴とする処理方法。
【符号の説明】
【０３７１】
１００，３００  無線通信システム
１０１  第１の無線通信
１０２  第２の無線通信
１１０，１１０Ａ，１１０Ｂ，６００，７００  基地局
１１１，４２０，６２０  制御部
１１２，１２１  処理部
１２０  移動局
３０１  ＩＰアドレスアロケーション
３１１  ＵＥ
３２１，３２２  ｅＮＢ
３２１ａ，３２２ａ  セル
３２３  セカンダリｅＮＢ
３３０  パケットコア網
３３１  ＳＧＷ
３３２  ＰＧＷ
３３３  ＭＭＥ
３４１〜３４ｎ，１５００〜１５０ｎ  ＥＰＳベアラ
３５１〜３５ｎ  ラジオベアラ
４００，５００  端末
４１０，６１０  無線通信部
４１１，６１１  無線送信部
４１２，６１２  無線受信部
４３０，６３０  記憶部
５１１，７１１  アンテナ
５１２，７１２  ＲＦ回路
５１３，７１３  プロセッサ
５１４，７１４  メモリ
６４０  通信部
７１５  ネットワークＩＦ
８００  プロトコルスタック
８０１〜８０５，１５５１〜１５５３  レイヤ群
８１１，８１２  フィルタレイヤ
９０１  ＭＣＧベアラ
９０２  スプリットベアラ
９０３  ＳＣＧベアラ
９１０  ＰＤＣＰ
９２０  ＲＬＣ
９３０  ＭＡＣ
１０００  ＩＰヘッダ
１００１  ソースアドレス
１００２  デスティネーションアドレス
１００３  ＴｏＳフィールド
１００４  プロトコルフィールド
１１００，１６００  テーブル
１２０１，１２０２  ＩＰフロー
１２１１  非アグリゲーション処理
１２１２  アグリゲーション処理
１２２０，１４２０  マッピング管理
１３０１，１４０１，１４０２  ＩＰパケット
１３１１〜１３１４  ＡＣ
１４１０，１４３０  ＴｏＳ値解析分類
１５２０〜１５２ｎ  ＧＴＰトンネル
１５４０，２５１０  ＡＣクラシフィケーション
１５５０  ＷＬＡＮ
１５６０，２５２０  ＡＣデクラシフィケーション
１９００，３８０２  アウターＩＰレイヤ
１９０１，３８０１  ＰＤＣＰレイヤ
１９０２  ＲＬＣレイヤ
１９０３，３８０３  ＭＡＣレイヤ
２２０１  トンネリングレイヤ
２５３０，２８１０  パケットフィルタリング
２５３１，２８１１  ＥＰＳベアラクラシフィケーション
２７０１  ＰＣＲＦ
２７０２  クリエイトベアラリクエスト
２７０３  ベアラセットアップリクエスト／セッションマネジメントリクエスト
２７０４  ＲＲＣコネクションリコンフィギュレーション
３０１０，３０４０  仮想ＧＷ
３０２０〜３０２ｎ  ＮＡＴ処理部
３０３０，３０５０，３２２０〜３２２ｎ，３２３０〜３２３ｎ  ＭＡＣ処理部
３０６０〜３０６ｎ  ｄｅ−ＮＡＴ処理部
３２１０〜３２１ｎ  ＶＬＡＮ処理部
３２４０〜３２４ｎ  ｄｅ−ＶＬＡＮ処理部
３４１０〜３４１ｎ  ＧＲＥ処理部
３４２０〜３４２ｎ  ｄｅ−ＧＲＥ処理部
３６１０〜３６１ｎ  ＰＤＣＰｏＩＰ処理部
３６２０〜３６２ｎ  ｄｅ−ＰＤＣＰｏＩＰ処理部
３９０１  アダプテーションレイヤ
４００１  通信装置
４０１０，４０２０  データ
４０１１  送信元ＩＰアドレス
４０１２  宛先ＩＰアドレス
４０１３  ＩＰペイロード
４０２１  宛先ＭＡＣアドレス
４０２２  送信元ＭＡＣアドレス
４４００  パケット
【図１】
2018152920.tif 000003
【図２】
2018152920.tif 000004
【図３】
2018152920.tif 000005
【図４】
2018152920.tif 000006
【図５】
2018152920.tif 000007
【図６】
2018152920.tif 000008
【図７】
2018152920.tif 000009
【図８】
2018152920.tif 000010
【図９】
2018152920.tif 000011
【図１０】
2018152920.tif 000012
【図１１】
2018152920.tif 000013
【図１２】
2018152920.tif 000014
【図１３】
2018152920.tif 000015
【図１４】
2018152920.tif 000016
【図１５】
2018152920.tif 000017
【図１６】
2018152920.tif 000018
【図１７】
2018152920.tif 000019
【図１８】
2018152920.tif 000020
【図１９】
2018152920.tif 000021
【図２０】
2018152920.tif 000022
【図２１】
2018152920.tif 000023
【図２２】
2018152920.tif 000024
【図２３】
2018152920.tif 000025
【図２４】
2018152920.tif 000026
【図２５】
2018152920.tif 000027
【図２６】
2018152920.tif 000028
【図２７】
2018152920.tif 000029
【図２８】
2018152920.tif 000030
【図２９】
2018152920.tif 000031
【図３０】
2018152920.tif 000032
【図３１】
2018152920.tif 000033
【図３２】
2018152920.tif 000034
【図３３】
2018152920.tif 000035
【図３４】
2018152920.tif 000036
【図３５】
2018152920.tif 000037
【図３６】
2018152920.tif 000038
【図３７】
2018152920.tif 000039
【図３８】
2018152920.tif 000040
【図３９】
2018152920.tif 000041
【図４０】
2018152920.tif 000042
【図４１】
2018152920.tif 000043
【図４２】
2018152920.tif 000044
【図４３】
2018152920.tif 000045
【図４４】
2018152920.tif 000046